(57)【要約】      （修正有）【課題】営業時間終了前の稼働の実情を反映させたシミュレーションを実行可能とする管理装置の提供。【解決手段】ＭＡＸタイプの稼働率は夕方以降は急激に低下している。これは、大当りが発生するまでに通常はある程度の時間を要するため、遊技場を退出しなければならない時間までの残り時間が少ない場合には選択され難い事情があるためである。一方、ライトタイプの稼働率は、長時間の遊技を行うことが可能な時間帯ではＭＡＸタイプよりも低く推移しているが、夕方から閉店間際にかけてはＭＡＸタイプよりも高い稼働率で推移する。これは、遊技を開始してから比較的早く大当りが発生することを期待できるため、遊技場を退出しなければならない時間までの残り時間が少ない場合にも選択され易い事情があるためである。このように、遊技場の営業時間終了前の所定期間における遊技者の立ち回りを反映した償却シミュレーションを実行する。【選択図】図３
2014155563.tif 000002
【特許請求の範囲】
【請求項１】
遊技機の遊技情報を管理する情報管理装置であって、
シミュレート対象とする仮想遊技機の仕様を入力する入力手段と、
前記仕様に係る仮想遊技機の複数営業日数にわたる稼働を算出するシミュレート手段と、を有し、
前記複数営業日数に係る各営業日について、営業時間終了前の所定期間における仮想遊技機の稼働を、その仕様に応じて異ならせることを特徴とする情報管理装置。
【請求項２】
遊技機の遊技情報を管理する情報管理装置であって、
シミュレート対象とする仮想遊技機において遊技を行う仮想遊技者が、当該仮想遊技機が設置される遊技場において会員登録されている会員遊技者であるか又は会員登録されていないビジタ遊技者であるかを入力する入力手段と、
前記仮想遊技者に係る仮想遊技機の複数営業日数にわたる稼働を算出するシミュレート手段と、を有し、
前記複数営業日数に係る各営業日について、営業時間終了前の所定期間における仮想遊技機の稼働を、その仮想遊技機で遊技を行う仮想遊技者が会員遊技者であるか又はビジタ遊技者であるかに応じて異ならせることを特徴とする情報管理装置。
【請求項３】
遊技機の遊技情報を管理する情報管理装置であって、
シミュレート対象とする仮想遊技機における遊技に使用される遊技媒体の貸与価値を入力する入力手段と、
前記貸与価値に係る仮想遊技機の複数営業日数にわたる稼働を算出するシミュレート手段と、を有し、
前記複数営業日数に係る各営業日について、営業時間終了前の所定期間における仮想遊技機の稼働を、その仮想遊技機での遊技に使用される遊技媒体の貸与価値に応じて異ならせることを特徴とする情報管理装置。
【請求項４】
遊技機の遊技情報を管理する情報管理装置であって、
シミュレート対象とする仮想遊技機において遊技を行う仮想遊技者の収支を入力する入力手段と、
前記収支に係る仮想遊技機の複数営業日数にわたる稼働を算出するシミュレート手段と、を有し、
前記複数営業日数に係る各営業日について、営業時間終了前の所定期間における仮想遊技機の稼働を、その仮想遊技機で遊技を行う仮想遊技者の収支に応じて異ならせることを特徴とする情報管理装置。
【発明の詳細な説明】
【技術分野】
【０００１】
本発明は、遊技者が所定の遊技を行うことが可能な遊技機における遊技情報を管理する情報管理装置に関する。特に、遊技機の稼働をシミュレート可能な情報管理装置に関する。
【背景技術】
【０００２】
従来より遊技機の稼働をシミュレートする装置が提案されている。例えば、特許文献１には、架空のパチンコ台で釘調整を行った場合の収支をシミュレートする装置が開示されている。また、特許文献２には、設定条件に基づいて遊技場における各遊技機の稼働をシミュレートするシステムが開示されている。
【先行技術文献】
【特許文献】
【０００３】
【特許文献１】特開２００３−３２５９７８号公報（段落００２３−００４０、図４）
【特許文献２】ＷＯ９６／３４６６７（図１８）
【発明の概要】
【発明が解決しようとする課題】
【０００４】
しかしながら現実の遊技場では、営業時間終了前において、遊技機や遊技者の性質等に応じて遊技機の稼働が特徴的に変動するという実情がある。従来型のシミュレーションでは、このような実情を反映しておらずシミュレーション結果の信頼性が損なわれていた。
【０００５】
本発明は、このような背景のもとになされたものであり、その目的は営業時間終了前の稼働の実情を反映させたシミュレーションを実行可能とすることにある。
【課題を解決するための手段】
【０００６】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００７】
まず手段１に係る発明は、
遊技機の遊技情報を管理する情報管理装置（第１実施形態に係るホールコンピュータ１２００）であって、
シミュレート対象とする仮想遊技機の仕様を入力する入力手段（図２のＳ１０４で選択機種を確認するＣＰＵ１２０２）と、
前記仕様に係る仮想遊技機の複数営業日数にわたる稼働を算出するシミュレート手段（図２のＳ１１３〜Ｓ１１９で選択機種の償却日数を算出するＣＰＵ１２０２）と、を有し、
前記複数営業日数に係る各営業日について、営業時間終了前の所定期間における仮想遊技機の稼働を、その仕様に応じて異ならせる（営業時間終了前の所定期間は、ＭＡＸタイプよりもライトタイプの稼働率が高い稼働率曲線に基づいて償却日数を算出する）ことを特徴とする。
ここで上記手段における「仕様を入力する」とは、シミュレート対象とする遊技機の仕様を決定すること又はそのための操作を受け付けることをいう。「入力」は手動に限定されず自動的に行われるものも含まれる。例えば、自動的に第１の仕様（例えば後述するＭＡＸタイプ）に基づいてシミュレーションを実行した後、第２の仕様（例えば後述するライトタイプ）に基づいてシミュレーションを実行する場合も含まれる。また上記手段における「前記仕様に係る仮想遊技機」とは、入力された仕様に合致する（近似の概念も含む）遊技機であり、実際に存在する遊技機には限定されない。
これによれば、遊技場の営業時間終了前の所定期間は遊技機の仕様に応じて稼働が異なるという実情を反映した信頼性のあるシミュレーション結果を得ることができる。
【０００８】
また手段２に係る発明は、
遊技機の遊技情報を管理する情報管理装置（第２実施形態に係るホールコンピュータ１２００）であって、
シミュレート対象とする仮想遊技機において遊技を行う仮想遊技者が、当該仮想遊技機が設置される遊技場において会員登録されている会員遊技者であるか又は会員登録されていないビジタ遊技者であるかを入力する入力手段（図７のＳ２０６で会員モデルであるかビジタモデルであるかを確認するＣＰＵ１２０２）と、
前記仮想遊技者に係る仮想遊技機の複数営業日数にわたる稼働を算出するシミュレート手段（図７のＳ２１３〜Ｓ２１９で選択モデルによる選択機種の償却日数を算出するＣＰＵ１２０２）と、を有し、
前記複数営業日数に係る各営業日について、営業時間終了前の所定期間における仮想遊技機の稼働を、その仮想遊技機で遊技を行う仮想遊技者が会員遊技者であるか又はビジタ遊技者であるかに応じて異ならせる（営業時間終了前の所定期間は、ビジタモデルよりも会員モデルの稼働率が高い稼働率曲線に基づいて償却日数を算出する）ことを特徴とする。
ここで上記手段における「会員遊技者であるか又はビジタ遊技者であるかを入力する」とは、シミュレート対象とする遊技機で遊技を行う遊技者をいずれの遊技者とするかを決定すること又はそのための操作を受け付けることをいう。「入力」は手動に限定されず自動的に行われるものも含まれる。例えば、自動的に会員遊技者の設定に基づいてシミュレーションを実行した後、ビジタ遊技者の設定に基づいてシミュレーションを実行する場合も含まれる。また上記手段における「前記仮想遊技者に係る仮想遊技機」とは、入力されたいずれかの遊技者が遊技を行う遊技機であり、実際に存在する遊技機には限定されない。
これによれば、遊技場の営業時間終了前の所定期間は遊技者が会員遊技者であるかビジタ遊技者であるかに応じて稼働が異なるという実情を反映した信頼性のあるシミュレーション結果を得ることができる。
【０００９】
また手段３に係る発明は、
遊技機の遊技情報を管理する情報管理装置（第３実施形態に係るホールコンピュータ１２００）であって、
シミュレート対象とする仮想遊技機における遊技に使用される遊技媒体の貸与価値を入力する入力手段（図１０のＳ３０６で４円モデルであるか１円モデルであるかを確認するＣＰＵ１２０２）と、
前記貸与価値に係る仮想遊技機の複数営業日数にわたる稼働を算出するシミュレート手段（図１０のＳ３１３〜Ｓ３１９で選択モデルによる選択機種の償却日数を算出するＣＰＵ１２０２）と、を有し、
前記複数営業日数に係る各営業日について、営業時間終了前の所定期間における仮想遊技機の稼働を、その仮想遊技機での遊技に使用される遊技媒体の貸与価値に応じて異ならせる（営業時間終了前の所定期間は、４円モデルよりも１円モデルの稼働率が高い稼働率曲線に基づいて償却日数を算出する）ことを特徴とする。
ここで上記手段における「貸与価値を入力する」とは、シミュレート対象とする遊技機での遊技に使用される遊技媒体の貸与価値を決定すること又はそのための操作を受け付けることをいう。「入力」は手動に限定されず自動的に行われるものも含まれる。例えば、自動的に第１の貸与価値（例えば後述する４円パチンコ）に基づいてシミュレーションを実行した後、第２の貸与価値（例えば後述する１円パチンコ）に基づいてシミュレーションを実行する場合も含まれる。また上記手段における「前記貸与価値に係る仮想遊技機」とは、入力された貸与価値の遊技媒体が使用される遊技機であり、実際に存在する遊技機には限定されない。
これによれば、遊技場の営業時間終了前の所定期間は遊技機に使用される遊技媒体の貸与価値に応じて稼働が異なるという実情を反映した信頼性のあるシミュレーション結果を得ることができる。
【００１０】
また手段４に係る発明は、
遊技機の遊技情報を管理する情報管理装置（第４実施形態に係るホールコンピュータ１２００）であって、
シミュレート対象とする仮想遊技機において遊技を行う仮想遊技者の収支を入力する入力手段（図１４のＳ４１２で当日差玉数を算出するＣＰＵ１２０２）と、
前記収支に係る仮想遊技機の複数営業日数にわたる稼働を算出するシミュレート手段（図１４のＳ４０８〜Ｓ４１７で選択機種の償却日数を算出するＣＰＵ１２０２）と、を有し、
前記複数営業日数に係る各営業日について、営業時間終了前の所定期間における仮想遊技機の稼働を、その仮想遊技機で遊技を行う仮想遊技者の収支に応じて異ならせる（営業時間終了前の所定期間は、収支が所定値以上プラスの遊技者が収支がマイナスの遊技者よりも遊技を終了し易い設定に基づいて償却日数を算出する）ことを特徴とする。
ここで上記手段における「収支を入力する」とは、シミュレート対象とする遊技機での遊技の収支を決定すること又はそのための操作を受け付けることをいう。「入力」は手動に限定されず自動的に行われるものも含まれる。例えば、自動的に第１の収支に基づいてシミュレーションを実行した後、第２の収支に基づいてシミュレーションを実行する場合も含まれる。また上記手段における「前記収支に係る仮想遊技機」とは、当該遊技機における遊技の収支が入力された収支（近似の概念も含む）となる遊技機であり、実際に存在する遊技機には限定されない。
これによれば、遊技場の営業時間終了前の所定期間は遊技者の収支に応じて稼働が異なるという実情を反映した信頼性のあるシミュレーション結果を得ることができる。
【００１１】
また手段５に係る発明は、
手段１に記載した情報管理装置（第１実施形態に係るホールコンピュータ１２００）でであって、
複数の遊技場の稼働情報を管理する管理装置（１２５０）から、前記仮想遊技機の仕様に応じた基準稼働情報（稼働率曲線および集客指数曲線）を取得し、
前記シミュレート手段は、前記基準稼働情報に基づいて稼働を算出することを特徴とする。
これによれば、複数の遊技場の稼働情報からシミュレーションに適した基準稼働情報を取得することにより、シミュレーション結果の信頼性をさらに高めることができる。
【００１２】
また手段６に係る発明は、
手段２に記載した情報管理装置（第２実施形態に係るホールコンピュータ１２００）であって、
複数の遊技場の稼働情報を管理する管理装置（１２５０）から、前記仮想遊技機で遊技を行う仮想遊技者が会員登録した会員遊技者であるか又は会員遊技者ではないビジタ遊技者であるかに応じた基準稼働情報（稼働率曲線および集客指数曲線）を取得し、
前記シミュレート手段は、前記基準稼働情報に基づいて稼働を算出することを特徴とする。
これによれば、複数の遊技場の稼働情報からシミュレーションに適した基準稼働情報を取得することにより、シミュレーション結果の信頼性をさらに高めることができる。
【００１３】
また手段７に係る発明は、
手段３に記載した情報管理装置（第３実施形態に係るホールコンピュータ１２００）であって、
複数の遊技場の稼働情報を管理する管理装置から、前記仮想遊技機における遊技に使用する遊技媒体の貸与価値に応じた基準稼働情報（稼働率曲線および集客指数曲線）を取得し、
前記シミュレート手段は、前記基準稼働情報に基づいて稼働を算出することを特徴とする。
これによれば、複数の遊技場の稼働情報からシミュレーションに適した基準稼働情報を取得することにより、シミュレーション結果の信頼性をさらに高めることができる。
【００１４】
また手段８に係る発明は、
手段４に記載した情報管理装置（第４実施形態に係るホールコンピュータ１２００）であって、
複数の遊技場の稼働情報を管理する管理装置から、前記仮想遊技機における仮想遊技者の収支に応じた基準稼働情報（遊技開始率および遊技終了率）を取得し、
前記シミュレート手段は、前記基準稼働情報に基づいて稼働を算出することを特徴とする。
これによれば、複数の遊技場の稼働情報からシミュレーションに適した基準稼働情報を取得することにより、シミュレーション結果の信頼性をさらに高めることができる。
【００１５】
また手段９に係る発明は、
手段１〜８から選択される１に記載した情報管理装置（第４実施形態に係るホールコンピュータ１２００）であって、
前記シミュレート手段は、各営業日における仮想遊技機の遊技をシミュレートするものであり、仮想遊技機における遊技が継続されるか否かの判定を当該営業日における所定のタイミング（遊技実行シミュレーションにおけるＳ４５０）で実行することを特徴とする。
これによれば、遊技者の立ち回りの実情をシミュレーション結果に反映させることが可能となり、シミュレーション結果の信頼性をさらに高めることができる。
【００１６】
また手段１０に係る発明は、
手段１〜９から選択される１に記載した情報管理装置（ホールコンピュータ１２００）であって、
遊技場に設置された遊技機に対応して設けられ、当該遊技機により生成された情報を前記情報管理装置向けに変換して送信する遊技用装置（カードユニット）と通信可能に接続され、当該遊技用装置より受信した変換後の情報に基づいて前記遊技情報を管理することを特徴とする。
これによれば、生成された情報を直接的には識別できないような遊技機の遊技情報を集計可能となる。
【００１７】
また、発明を実施するための形態には、以下に示す手段１１〜１９に係る各発明が含まれる。本発明に係る情報管理装置は、これらの発明が対象とする遊技機（第１の遊技機）の遊技情報を管理可能である。また、これらの発明が対象とする遊技機（第１の遊技機）の稼働をシミュレート可能である。なお、本発明に係る情報管理装置は、遊技機から出力される各種信号に基づいて遊技情報を管理するものであるが、遊技機から出力される各種信号が直接入力される場合と、台端末や島コンピュータ等の中継機器を介して入力される場合の両者が含まれ、実施形態中に示すホールコンピュータに限られない。
【００１８】
まず手段１１に係る発明は、
第１始動条件（第１始動入賞口１３ａへの遊技球の入賞）の成立に基づいて識別情報（第１特別図柄）の可変表示を開始して表示結果を導出表示する第１可変表示部（第１特別図柄表示器８ａ）と、第２始動条件（第２始動入賞口１３ｂへの遊技球の入賞）の成立に基づいて識別情報（第２特別図柄）の可変表示を開始して表示結果を導出表示する第２可変表示部（第２特別図柄表示器８ｂ）と、遊技球が入賞したときに前記第１始動条件が成立する第１始動領域（第１始動入賞口１３ａ）および遊技球が入賞したときに前記第２始動条件が成立する第２始動領域（第２始動入賞口１３ｂ）のいずれに入賞する遊技球も通過する共通領域に設けられ、受け入れた遊技球を前記第１始動領域と前記第２始動領域に所定の順序で振り分ける振分装置（受け入れた遊技球を第１始動入賞口１３ａと第２始動入賞口１３ｂに交互に振り分ける振分装置９０）と、開放制御されているときに前記振分装置を経由しない遊技球が入賞可能であり、遊技球が入賞したときに前記第１始動条件または前記第２始動条件のいずれかが成立する可変入賞装置（開放制御されているときに右遊技領域に発射された遊技球が入賞可能であり、遊技球が入賞したときには必ず対応する第２始動入賞口１３ｂに当該遊技球が入賞することになる可変入賞球装置１５）と、を有し、前記第１始動条件および前記第２始動条件の成立順序に従って、前記第１可変表示部による識別情報の可変表示および前記第２可変表示部による識別情報の可変表示を実行し（保留特定領域への格納順序に従って可変表示を実行し）、前記第１始動条件または前記第２始動条件のいずれの条件が成立したのかを判別可能とする識別信号（第１始動口通過信号および第２始動口通過信号、第１図柄確定信号および第２図柄確定信号）を外部出力し、前記可変入賞装置が開放制御される割合が高められた有利状態（高ベース状態）であることを示す有利状態信号（時短信号）を外部出力する遊技機(パチンコ遊技機１)と通信可能であり、当該遊技機の遊技情報を管理する情報管理装置（ホールコンピュータ１２００）であって、
前記識別信号に基づいて前記第１始動条件および前記第２始動条件の成立順序が前記所定の順序と異なるか否かを判定する成立順序判定手段（第１の異常判定方法：第１始動入賞連続数が所定数以上であるか否か、第２始動入賞連続数が所定数以上であるか否か、第２の異常判定方法：特図１スタート連続数が所定数以上であるか否か、特図２スタート連続数が所定数以上であるか否かの判定処理を実行するＣＰＵ１２０２）と、
前記有利状態信号に基づいて有利状態であると判定される期間以外の期間において、前記成立順序が前記所定の順序と異なると判定されたことに基づいて異常報知を行う異常報知手段（第１の異常判定方法，第２の異常判定方法において連続入賞異常を報知するＣＰＵ１２０２）と、
を備えることを特徴とする。
これによれば、第１始動条件および第２始動条件の成立順序が所定の順序と異なる場合に異常報知を行うことにより、振分装置の異常や不正の可能性を把握して適切な対処をすることが可能となる。
【００１９】
また手段１２に係る発明は、
第１始動条件（第１始動入賞口１３ａへの遊技球の入賞）の成立に基づいて識別情報（第１特別図柄）の可変表示を開始して表示結果を導出表示する第１可変表示部（第１特別図柄表示器８ａ）と、第２始動条件（第２始動入賞口１３ｂへの遊技球の入賞）の成立に基づいて識別情報（第２特別図柄）の可変表示を開始して表示結果を導出表示する第２可変表示部（第２特別図柄表示器８ｂ）と、遊技球が入賞したときに前記第１始動条件が成立する第１始動領域（第１始動入賞口１３ａ）および遊技球が入賞したときに前記第２始動条件が成立する第２始動領域（第２始動入賞口１３ｂ）のいずれに入賞する遊技球も通過する共通領域に設けられ、受け入れた遊技球を前記第１始動領域と前記第２始動領域に所定の順序で振り分ける振分装置（受け入れた遊技球を第１始動入賞口１３ａと第２始動入賞口１３ｂに交互に振り分ける振分装置９０）と、開放制御されているときに前記振分装置を経由しない遊技球が入賞可能であり、遊技球が入賞したときに前記第１始動条件または前記第２始動条件のいずれかが成立する可変入賞装置（開放制御されているときに右遊技領域に発射された遊技球が入賞可能であり、遊技球が入賞したときには必ず対応する第２始動入賞口１３ｂに当該遊技球が入賞することになる可変入賞球装置１５）と、を有し、前記第１始動条件および前記第２始動条件の成立順序に従って、前記第１可変表示部による識別情報の可変表示および前記第２可変表示部による識別情報の可変表示を実行し（保留特定領域への格納順序に従って可変表示を実行し）、前記第１始動条件または前記第２始動条件のいずれの条件が成立したのかを判別可能とする識別信号（第１始動口通過信号および第２始動口通過信号）を外部出力し、前記可変入賞装置の開放制御状況を示す開放信号（第２始動口開放信号）を外部出力する遊技機（パチンコ遊技機１）と通信可能であり、当該遊技機の遊技情報を管理する情報管理装置（ホールコンピュータ１２００）であって、
前記識別信号に基づいて前記第１始動条件および前記第２始動条件の成立順序が前記所定の順序と異なるか否かを判定する成立順序判定手段（第３の異常判定方法：第２始動入賞連続数が所定数以上であるか否かの判定処理を実行するＣＰＵ１２０２）と、
前記開放信号に基づいて開放制御されていると判定される期間以外の期間において、前記成立順序が前記所定の順序と異なると判定されたことに基づいて異常報知を行う異常報知手段（第３の異常判定方法において連続入賞異常を報知するＣＰＵ１２０２）と、
を備えることを特徴とする。
これによれば、第１始動条件および第２始動条件の成立順序が所定の順序と異なる場合に異常報知を行うことにより、振分装置の異常や不正の可能性を把握して適切な対処をすることが可能となる。
【００２０】
また手段１３に係る発明は、
第１領域（左遊技領域７Ａ）および第２領域（右遊技領域７Ｂ）からなる遊技領域（７）を有し、第１始動条件（第１始動入賞口１３ａへの遊技球の入賞）の成立に基づいて識別情報（第１特別図柄）の可変表示を開始して表示結果を導出表示する第１可変表示部（第１特別図柄表示器８ａ）と、第２始動条件（第２始動入賞口１３ｂへの遊技球の入賞）の成立に基づいて識別情報（第２特別図柄）の可変表示を開始して表示結果を導出表示する第２可変表示部（第２特別図柄表示器８ｂ）と、遊技球が入賞したときに前記第１始動条件が成立する第１始動領域（第１始動入賞口１３ａ）および遊技球が入賞したときに前記第２始動条件が成立する第２始動領域（第２始動入賞口１３ｂ）のいずれに入賞する遊技球も通過する共通領域に設けられ、受け入れた遊技球を前記第１始動領域と前記第２始動領域に所定の順序で振り分ける振分装置（受け入れた遊技球を第１始動入賞口１３ａと第２始動入賞口１３ｂに交互に振り分ける振分装置９０）と、前記第１領域または前記第２領域のいずれか一方に設けられる通過領域（右遊技領域７Ｂに設けられるゲート３２）と、該通過領域を遊技球が通過したことに基づいて識別情報（普通図柄）の可変表示を開始して表示結果を導出表示する普通可変表示部（普通図柄表示器１０）と、該普通可変表示部に所定表示結果（当り図柄）が導出表示されたことに基づいて開放制御され、開放制御されているときに前記振分装置を経由しない遊技球が入賞可能であり、遊技球が入賞したときに前記第１始動条件または前記第２始動条件のいずれかが成立する可変入賞装置（開放制御されているときに右遊技領域に発射された遊技球が入賞可能であり、遊技球が入賞したときには必ず対応する第２始動入賞口１３ｂに当該遊技球が入賞することになる可変入賞球装置１５）と、をさらに有し、前記第１始動条件および前記第２始動条件の成立順序に従って、前記第１可変表示部による識別情報の可変表示および前記第２可変表示部による識別情報の可変表示を実行し（保留特定領域への格納順序に従って可変表示を実行し）、前記第１始動条件または前記第２始動条件のいずれの条件が成立したのかを判別可能とする識別信号（第１始動口通過信号および第２始動口通過信号）を外部出力し、前記通過領域を遊技球が通過したことを示す通過信号（ゲート通過信号）を外部出力する遊技機（パチンコ遊技機１）と通信可能であり、当該遊技機の遊技情報を管理する情報管理装置（ホールコンピュータ１２００）であって、
前記識別信号に基づいて前記第１始動条件および前記第２始動条件の成立順序が前記所定の順序と異なるか否かを判定する成立順序判定手段（第４の異常判定方法：第２始動入賞連続数が所定数以上であるか否かの判定処理を実行するＣＰＵ１２０２）と、
前記通過信号に基づいて遊技球が前記通過領域を通過してから所定期間経過していると判定されるときに、前記成立順序が前記所定の順序と異なると判定されたことに基づいて異常報知を行う異常報知手段（第４の異常判定方法において連続入賞異常を報知するＣＰＵ１２０２）と、
を備えることを特徴とする。
これによれば、第１始動条件および第２始動条件の成立順序が所定の順序と異なる場合に異常報知を行うことにより、振分装置の異常や不正の可能性を把握して適切な対処をすることが可能となる。
【００２１】
また手段１４に係る発明は、
手段１１〜１３から選択される１の情報管理装置であって、
前記可変入賞装置は、前記第１始動領域または前記第２始動領域のいずれかに対応して設けられるものであり、前記開放制御が行われることにより当該対応する始動領域への遊技球の入賞頻度が高められ（第２始動入賞口１３ｂに対応して設けられて、開放制御されたときに第２始動入賞口１３ｂへの入賞頻度が高められ）、
前記成立順序判定手段は、前記第１始動条件または前記第２始動条件が所定の頻度で成立したか否かを判定し（ＣＰＵ１２０２は、第１始動入賞連続数や第２始動入賞連続数、特図１スタート連続数や特図２スタート連続数が所定数に達しているか否かを判定し）、
前記異常報知手段は、前記第１始動領域に対応して前記可変入賞装置が設けられていない場合には、前記可変入賞装置の開放制御状況によらず、前記第１始動条件が所定の頻度で成立したことに基づいて前記異常報知を行い、前記第２始動領域に対応して前記可変入賞装置が設けられていない場合には、前記可変入賞装置の開放制御状況によらず、前記第２始動条件が所定の頻度で成立したことに基づいて前記異常報知を行う（第１始動入賞口１３ａに対応する可変入賞球装置が設けられていない場合に、可変入賞球装置１５の開放制御状況によらず、第１始動入賞連続数が所定数以上であるか否か、特図１スタート連続数が所定数以上であるか否かの判定結果に基づく連続入賞異常の報知を行う）ことを特徴とする。
これによれば、可変入賞装置が第１始動領域または第２始動領域のいずれかに対応して設けられる場合に、適切に異常報知が行われる。
【００２２】
なお手段１４に係る発明には、
手段１１〜１３から選択される１の情報管理装置であって、
前記振分装置（９０）は、受け入れた遊技球を前記第１始動領域（第１始動入賞口１３ａ）と前記第２始動領域(第２始動入賞口１３ｂ)に交互に振り分けるものであり、
前記可変入賞装置は、前記第１始動領域または前記第２始動領域のいずれかに対応して設けられるものであり、前記開放制御が行われることにより当該対応する始動領域への遊技球の入賞頻度が高められ（第２始動入賞口１３ｂに対応して設けられて、開放制御されたときに第２始動入賞口１３ｂへの入賞頻度が高められ）、
前記成立順序判定手段は、前記第１始動条件または前記第２始動条件の成立が所定回数以上連続したか否かを判定し（ＣＰＵ１２０２は、第１始動入賞連続数や第２始動入賞連続数、特図１スタート連続数や特図２スタート連続数が所定数に達しているか否かを判定し）、
前記第１始動領域に対応して前記可変入賞装置が設けられていない場合には、前記可変入賞装置の開放制御状況によらず、前記第１始動条件の成立が所定回数以上連続したことに基づいて前記異常報知を行い、前記第２始動領域に対応して前記可変入賞装置が設けられていない場合には、前記可変入賞装置の開放制御状況によらず、前記第２始動条件の成立が所定回数以上連続したことに基づいて前記異常報知を行う（第１始動入賞口１３ａに対応する可変入賞球装置が設けられていない場合に、可変入賞球装置１５の開放制御状況によらず、第１始動入賞連続数が所定数以上であるか否か、特図１スタート連続数が所定数以上であるか否かの判定結果に基づく連続入賞異常の報知を行う）ことを特徴とする発明も含まれる。
これによれば、可変入賞装置が第１始動領域または第２始動領域のいずれかに対応して設けられ、振分装置が遊技球を第１始動領域と第２始動領域に交互に振り分ける場合に、適切に異常報知が行われる。
【００２３】
また手段１５に係る発明は、
手段１１〜１４から選択される１の情報管理装置であって、
前記可変入賞装置が開放制御される割合が高められた有利状態が終了してから所定期間（時短信号がＯＦＦに切り替わってから所定入賞数以内または所定変動数以内）は、前記異常報知を行わない（時短信号ＯＦＦから所定入賞数以内、時短信号ＯＦＦから所定変動数以内と判定されると連続異常判定を行わない）ことを特徴とする。
これによれば、第１可変表示部および第２可変表示部に表示結果が導出表示されたときに遊技機から外部出力される信号に基づいて、より適切に異常報知を行うことが可能となる。
【００２４】
また手段１６に係る発明は、
手段１１〜１５から選択される１の情報管理装置であって、
前記遊技機の電源投入後の所定期間は、前記異常報知を行わない（電源投入から最初のゲート通過までの期間は連続異常報知を行わない）ことを特徴とする。
これによれば、より適切に異常報知を行うことが可能となる。
【００２５】
また手段１７に係る発明は、
手段１１の情報管理装置であって、
前記第１始動条件および前記第２始動条件の成立順序が前記所定の順序と異なることに基づく成立順序異常（連続入賞異常）が検出された場合と、該成立順序異常以外の異常（磁気や不正電波）が検出された場合とで共通の異常検出信号（セキュリティ信号）を外部出力する遊技機の遊技情報を管理するものであり、
前記異常検出信号が入力されたときに、前記有利状態信号に基づいて有利状態であると判定される期間内である場合には、前記遊技機において前記成立順序異常が検出されていないと判定する（第１の異常判定方法，第２の異常判定方法でセキュリティ信号入力時に時短信号がＯＮのときには連続入賞異常の可能性を含まない遊技機エラーと判定する）ことを特徴とする。
これによれば、遊技機において成立順序異常以外の異常が検出されたことを把握可能である。
【００２６】
また手段１８に係る発明は、
手段１２の情報管理装置であって、
前記第１始動条件および前記第２始動条件の成立順序が前記所定の順序と異なることに基づく成立順序異常（連続入賞異常）が検出された場合と、該成立順序異常以外の異常（磁気や不正電波）が検出された場合とで共通の異常検出信号（セキュリティ信号）を外部出力する遊技機の遊技情報を管理するものであり、
前記異常検出信号が入力されたときに、前記開放信号に基づいて開放制御されていると判定される期間内である場合には、前記遊技機において前記成立順序異常が検出されていないと判定する（第３の異常判定方法で第２始動口開放信号がＯＮのときには連続入賞異常の可能性を含まない遊技機エラーと判定する）ことを特徴とする。
これによれば、遊技機において成立順序異常以外の異常が検出されたことを把握可能である。
【００２７】
また手段１９に係る発明は、
手段１３の情報管理装置であって、
前記第１始動条件および前記第２始動条件の成立順序が前記所定の順序と異なることに基づく成立順序異常（連続入賞異常）が検出された場合と、該成立順序異常以外の異常（磁気や不正電波）が検出された場合とで共通の異常検出信号（セキュリティ信号）を外部出力する遊技機の遊技情報を管理するものであり、
前記異常検出信号が入力されたときに、前記通過信号に基づいて遊技球が前記通過領域を通過してから所定期間経過していないと判定されるときには、前記遊技機において前記成立順序異常が検出されていないと判定する（第４の異常判定方法でゲート通過から所定期間内のときには連続入賞異常の可能性を含まない遊技機エラーと判定する）ことを特徴とする。
これによれば、遊技機において成立順序異常以外の異常が検出されたことを把握可能である。
【００２８】
また、発明を実施するための形態には、以下に示す手段２０〜２９に係る各発明が含まれる。本発明に係る情報管理装置は、これらの発明が対象とする遊技機（第２の遊技機）の遊技情報を管理可能である。また、これらの発明が対象とする遊技機（第２の遊技機）の稼働をシミュレート可能である。なお、本発明に係る情報管理装置は、遊技機から出力される各種信号に基づいて遊技情報を管理するものであるが、遊技機から出力される各種信号が直接入力される場合と、台端末や島コンピュータ等の中継機器を介して入力される場合の両者が含まれ、実施形態中に示すホールコンピュータに限られない。
【００２９】
まず手段２０に係る発明は、
第１通過領域（左ゲート３２）が設けられた第１遊技領域（左遊技領域７Ａ）および第２通過領域（右ゲート３３）が設けられた第２遊技領域（右遊技領域７Ｂ）からなる遊技領域を（７）有し、前記第１通過領域または前記第２通過領域を遊技球が通過したときに識別情報（普通図柄）の可変表示を開始して表示結果を導出表示する普通可変表示部（普通図柄表示器１０）と、該普通可変表示部に所定表示結果が導出表示されたことに基づいて、前記第１遊技領域に発射された遊技球および前記第２遊技領域に発射された遊技球のいずれの遊技球も入賞可能な開放状態に制御される可変入賞装置（可変入賞球装置１５）と、をさらに有し、前記第１通過領域を遊技球が通過した場合と前記第２通過領域を遊技球が通過した場合とで共通の通過信号（ゲート通過信号）を外部出力し、前記第１遊技領域よりも前記第２遊技領域に遊技球を発射する方が遊技者にとって有利となる有利状態（大当り遊技状態、高ベース状態）のときには、当該有利状態であることを判別可能とする有利状態信号（大当り信号、時短信号）を外部出力する遊技機の遊技情報を集計する情報管理装置（ホールコンピュータ１２００）であって、
前記有利状態信号により有利状態と判別される期間内に前記通過信号が入力されたか否かに基づいて、当該通過信号が前記第２通過領域の通過に基づくものであるか否かを判別する（右打ちが実行される大当り遊技状態の開始から高ベース状態終了までの期間は、入力されたゲート通過信号を右ゲートの通過に基づくものであると判定する処理を実行する）ことを特徴とする。
これによれば、入力された通過信号が第２通過領域の通過に基づくものであるか否かを判別して、第２通過領域の通過に基づく遊技情報を集計することができる。例えば、集計結果より第２通過領域の通過頻度を把握して適切に遊技釘の調整を行うことができる。
【００３０】
また手段２１に係る発明は、
第１通過領域（左ゲート３２）が設けられた第１遊技領域（左遊技領域７Ａ）および第２通過領域（右ゲート３３）が設けられた第２遊技領域（右遊技領域７Ｂ）からなる遊技領域（７）を有し、前記第１通過領域または前記第２通過領域を遊技球が通過したときに識別情報の可変表示を開始して表示結果を導出表示する普通可変表示部（普通図柄表示器１０）と、該普通可変表示部に所定表示結果が導出表示されたことに基づいて、前記第１遊技領域に発射された遊技球および前記第２遊技領域に発射された遊技球のいずれの遊技球も入賞可能な開放状態に制御される可変入賞装置（可変入賞球装置１５）と、前記第１遊技領域に発射された遊技球が入賞し易く前記第２遊技領域に発射された遊技球が入賞し難い第１入賞領域（第１始動入賞口１３ａ）、および、前記第２遊技領域に発射された遊技球が入賞し易く前記第１遊技領域に発射された遊技球が入賞し難い第２入賞領域のうち少なくとも一方の入賞領域と、をさらに有し、前記第１通過領域を遊技球が通過した場合と前記第２通過領域を遊技球が通過した場合とで共通の通過信号（ゲート通過信号）を外部出力し、前記第１入賞領域に遊技球が入賞したことを判別可能とする第１入賞信号（第１始動口通過信号）、および、前記第２入賞領域に遊技球が入賞したことを判別可能とする第２入賞信号（第２始動口通過信号）のうち少なくとも一方の入賞信号を外部出力する遊技機の遊技情報を集計する情報管理装置（ホールコンピュータ１２００）であって、
前記第１入賞信号の入力前または入力後の所定期間内に前記通過信号が入力されたか否かに基づいて、当該通過信号が前記第１通過領域の通過に基づくものであるか否かを判別する第１判別処理、および、前記第２入賞信号の入力前または入力後の所定期間内に前記通過信号が入力されたか否かに基づいて、当該通過信号が前記第２通過領域の通過に基づくものであるか否かを判別する第２判別処理のうち少なくとも一方の判別処理を実行する（第１始動口通過信号が入力されたことに基づく左打ち判定タイマがセットされてからタイムアウトするまでの期間は、入力されたゲート通過信号が左ゲートの通過に基づくものであると判定する処理を実行する）ことを特徴とする。
これによれば、入力された通過信号が第１通過領域の通過に基づくものであるか否かや第２通過領域の通過に基づくものであるか否かを判別して、第１通過領域の通過や第２通過領域の通過に基づく遊技情報を集計することができる。例えば、集計結果より第１通過領域や第２通過領域の通過頻度を把握して適切に遊技釘の調整を行うことができる。
【００３１】
また手段２２に係る発明は、
第１通過領域（左ゲート３２）が設けられた第１遊技領域（左遊技領域７Ａ）および第２通過領域（右ゲート３３）が設けられた第２遊技領域（右遊技領域７Ｂ）からなる遊技領域（７）を有し、前記第１通過領域または前記第２通過領域を遊技球が通過したときに識別情報の可変表示を開始して表示結果を導出表示する普通可変表示部（普通図柄表示器１０）と、該普通可変表示部に所定表示結果が導出表示されたことに基づいて、前記第１遊技領域に発射された遊技球および前記第２遊技領域に発射された遊技球のいずれの遊技球も入賞可能な開放状態に制御される可変入賞装置（可変入賞球装置１５）と、特定条件の成立（特別図柄表示器における大当り図柄の導出表示）に基づいて開放状態となり、開放状態において前記第１遊技領域よりも前記第２遊技領域に発射される遊技球の方が入賞し易く、入賞により所定数の遊技球が賞球として払い出される特定入賞装置（特別可変入賞球装置２０）と、をさらに有し、前記第１通過領域を遊技球が通過した場合と前記第２通過領域を遊技球が通過した場合とで共通の通過信号（ゲート通過信号）を外部出力し、払い出した賞球数を集計可能とする賞球信号を外部出力する遊技機の遊技情報を集計する情報管理装置（ホールコンピュータ１２００）であって、
前記賞球信号に基づいて集計される賞球情報に基づいて、入力された通過信号が前記第２通過領域の通過に基づくものであるか否かを判別する（直近１０秒以内に増加した賞球数が３０以上である期間は、入力されたゲート通過信号が右ゲートの通過に基づくものであると判定する処理を実行する）ことを特徴とする。
これによれば、入力された通過信号が第２通過領域の通過に基づくものであるか否かを判別して、第２通過領域の通過に基づく遊技情報を集計することができる。例えば、集計結果より第２通過領域の通過頻度を把握して適切に遊技釘の調整を行うことができる。
【００３２】
また手段２３に係る発明は、
遊技球を発射する発射装置（打球発射装置）と、第１通過領域（左ゲート３２）が設けられた第１遊技領域（左遊技領域７Ａ）および第２通過領域（右ゲート３３）が設けられた第２遊技領域（右遊技領域７Ｂ）からなる遊技領域（７）と、を有し、前記第２通過領域は前記第１通過領域よりも遊技球の発射位置から遠距離に設けられ、前記第１通過領域または前記第２通過領域を遊技球が通過したときに識別情報の可変表示を開始して表示結果を導出表示する普通可変表示部（普通図柄表示器１０）と、該普通可変表示部に所定表示結果が導出表示されたことに基づいて、前記第１遊技領域に発射された遊技球および前記第２遊技領域に発射された遊技球のいずれの遊技球も入賞可能な開放状態に制御される可変入賞装置（可変入賞球装置１５）と、をさらに有し、前記第１通過領域を遊技球が通過した場合と前記第２通過領域を遊技球が通過した場合とで共通の通過信号（ゲート通過信号）を外部出力し、前記発射装置による遊技球の発射強度に対応した発射強度信号を外部出力する遊技機の遊技情報を集計する情報管理装置（ホールコンピュータ１２００）であって、
前記遊技機より出力される発射強度信号に基づいて、入力された通過信号が前記第１通過領域の通過に基づくものであるか否か又は当該通過信号が前記第２通過領域の通過に基づくものであるか否かを判別する（直近に入力された発射強度信号が、弱信号であれば、入力されたゲート通過信号が左ゲートの通過に基づくものであると判定し、強信号であれば、入力されたゲート通過信号が右ゲートとの通過に基づくものであると判定する処理を実行する）ことを特徴とする。
これによれば、入力された通過信号が第１通過領域の通過に基づくものであるか否かや第２通過領域の通過に基づくものであるか否かを判別して、第１通過領域の通過や第２通過領域の通過に基づく遊技情報を集計することができる。例えば、集計結果より第１通過領域や第２通過領域の通過頻度を把握して適切に遊技釘の調整を行うことができる。
【００３３】
また手段２４に係る発明は、
第１通過領域（左ゲート３２）が設けられた第１遊技領域（左遊技領域７Ａ）および第２通過領域（右ゲート３３）が設けられた第２遊技領域（右遊技領域７Ｂ）からなる遊技領域（７）を有し、前記第１通過領域または前記第２通過領域を遊技球が通過したときに識別情報の可変表示を開始して表示結果を導出表示する普通可変表示部（普通図柄表示器１０）と、該普通可変表示部に所定表示結果が導出表示されたことに基づいて、前記第１遊技領域に発射された遊技球および前記第２遊技領域に発射された遊技球のいずれの遊技球も入賞可能な開放状態に制御される可変入賞装置（可変入賞球装置１５）と、をさらに有し、前記第１通過領域を遊技球が通過した場合と前記第２通過領域を遊技球が通過した場合とで共通の通過信号（ゲート通過信号）を外部出力し、前記第１遊技領域よりも前記第２遊技領域に遊技球が発射される方が遊技者にとって有利となる有利状態（大当り遊技状態、高ベース状態）のときには、当該有利状態であることを判別可能とする有利状態信号（大当り信号、時短信号）を外部出力する遊技機の遊技情報を集計する情報管理装置（ホールコンピュータ１２００）であって、
前記遊技機より出力される有利状態信号により有利状態と判別される期間と前記通過信号の入力状況とを対比可能な態様で表示することにより、当該通過信号が前記第２通過領域の通過に基づくものであるか否かを判別可能とする（図３８に示すように、大当り期間および高ベース期間と、ゲート通過信号の入力状況とを上下に対比可能な態様で表示することにより、右打ち期間におけるゲート通過信号の入力頻度を判別可能とする）ことを特徴とする。
これによれば、入力された通過信号が第２通過領域の通過に基づくものであるか否かを判別して、第２通過領域の通過状況を把握することができる。例えば、集計結果より第２通過領域の通過頻度を把握して適切に遊技釘の調整を行うことができる。
【００３４】
また手段２５に係る発明は、
手段２０〜２４のいずれか１に記載した情報管理装置であって、
前記第１遊技領域に発射された遊技球のうち前記第１通過領域を通過した遊技球の割合（左ゲート通過率）と、前記第２遊技領域に発射された遊技球のうち前記第２通過領域を通過した遊技球の割合（右ゲート通過率）とを比較可能に表示する（図３６の遊技履歴テーブルの左ゲート通過率と右ゲート通過率を並べて表示する）ことを特徴とする。
これによれば、第１通過領域を通過した遊技球の割合と第２通過領域を通過した遊技球の割合とを比較して、適切に遊技釘の調整を行うことができる。
【００３５】
また手段２６に係る発明は、
手段２０〜２５のいずれか１に記載した情報管理装置であって、
前記第１遊技領域に発射された遊技球のうち前記第１通過領域を通過した遊技球の割合（左ゲート通過率）と、前記第１遊技領域に発射された遊技球のうち前記可変入賞装置に入賞した遊技球の割合（第２始動入賞口入賞率＝長開放中入賞率）とを比較可能に表示する（図３６の遊技履歴テーブルの左ゲート通過率と長開放中入賞率を並べて表示する）ことを特徴とする。
これによれば、第１通過領域を通過した遊技球の割合と第１遊技領域に発射された遊技球のうち可変入賞装置に入賞した遊技球の割合とを比較して、適切に遊技釘の調整を行うことができる。
【００３６】
また手段２７に係る発明は、
手段２０〜２６のいずれか１に記載した情報管理装置であって、
前記可変入賞装置に遊技球が入賞したことに基づく特別入賞信号を外部出力し、前記第１遊技領域よりも前記第２遊技領域に遊技球を発射する方が遊技者にとって有利となる有利状態でないときに（通常状態）、前記可変入賞装置を、開放時間が所定時間の短開放状態（０．５秒×１回の開放状態）および該短開放状態よりも開放時間の長い長開放状態（５秒×１回の開放状態）のいずれかの開放状態に制御する遊技機の遊技情報を管理するものであり、
入力された通過信号が前記第１通過領域の通過に基づくものであると判別される期間内に前記特別入賞信号が入力されたことに基づいて、当該特別入賞信号が前記長開放状態における入賞に基づくものであると判定する（左打ちが実行されていると判定される期間内は、入力された全ての第２始動口通過信号が長開放当りに基づく長開放状態における入力に基づくものであると判定する処理を実行する）ことを特徴とする。
これによれば、長開放状態における入賞数を集計することができる。
【００３７】
また手段２８に係る発明は、
手段２７に記載した情報管理装置であって、
前記特別入賞信号の入力状況に基づいて、１の長開放状態における入賞数を集計する（［長開放中入賞数／長開放回数］により、「長開放１回あたり入賞数」を算出する）ことを特徴とする。
これによれば、１の長開放状態における可変入賞装置への入賞数を把握して、適切に遊技釘の調整を行うことができる。
【００３８】
また手段２９に係る発明は、
手段２０〜２８のいずれか１に記載した情報管理装置であって、
電源投入時に前記第１通過領域および前記第２通過領域を有する遊技機であることを識別可能とする識別信号（機械識別信号）を出力する遊技機の遊技情報を管理するものであり、
前記識別信号に基づいて、管理対象とする遊技機が第１通過領域および第２通過領域を有する遊技機であることを識別する（機械識別信号から抽出された型式ＩＤに基づいてゲート位置が左右に有ることを識別する）ことを特徴とする。
これによれば、管理対象とする遊技機が第１通過領域および第２通過領域を有する遊技機であることを識別して、適切な集計処理を行うことができる。
【００３９】
また、発明を実施するための形態には、以下に示す手段３０〜３５に係る各発明が含まれる。本発明に係る情報管理装置は、これらの発明が対象とする遊技機（第３の遊技機）の遊技情報を管理可能である。また、これらの発明が対象とする遊技機（第３の遊技機）の稼働をシミュレート可能である。なお、本発明に係る情報管理装置は、遊技機から出力される各種信号に基づいて遊技情報を管理するものであるが、遊技機から出力される各種信号が直接入力される場合と、台端末や島コンピュータ等の中継機器を介して入力される場合の両者が含まれ、実施形態中に示すホールコンピュータに限られない。
【００４０】
まず手段３０に係る発明は、
各々が識別可能な複数種類の識別情報（第１特別図柄、第２特別図柄）の可変表示を実行して表示結果を導出表示し、該導出表示された表示結果が予め定められた特定表示結果（大当り図柄）となった後に、特定領域（第１特定領域６１〜第３特定領域６３）を遊技媒体が通過したことに基づいて遊技者にとって有利な特定遊技状態（大当り遊技状態）に制御すると共に、該特定遊技状態に制御されていることを示す特定遊技状態信号（大当り信号）を外部に出力する遊技機（パチンコ遊技機１）の遊技情報を管理する情報管理装置（ホールコンピュータ１２００）であって、
前記特定遊技状態信号が入力される入力手段（通信部１２０７）と、
前記遊技機において前記特定表示結果が導出表示されてから前記入力手段に前記特定遊技状態信号が入力されるまでの待機期間の開始点を特定する開始点特定手段（大当り図柄の導出表示に対応する図柄確定信号が入力されるときに図柄確定信号入力時処理を実行するＣＰＵ１２０２）と、
前記入力手段に入力される特定遊技状態信号に基づいて前記特定遊技状態に制御されている特定遊技状態制御期間の終了点を特定する終了点特定手段（大当り信号がＯＮからＯＦＦに切り替わるタイミングで大当り信号ＯＦＦ検出時処理を実行するＣＰＵ１２０２）と、
特定された前記開始点および前記終了点に基づいて前記待機期間と前記特定遊技状態制御期間との合計期間において遊技者が獲得した遊技媒体数を集計する集計手段（大当り図柄の導出表示に対応する図柄確定信号の入力から大当り信号がＯＮからＯＦＦに切り替わるまでの期間において集計した差玉数（図柄確定後差玉数）を合計期間差玉数として履歴化するＣＰＵ１２０２）と、を備えることを特徴とする。
これによれば、待機期間と特定遊技状態制御期間との合計期間において遊技者が獲得した遊技媒体数を集計するため、特定遊技状態の発生に伴い遊技者が獲得した実質的な遊技媒体数を把握することができる。
【００４１】
また手段３１に係る発明は、
手段３０に記載した情報管理装置であって、
前記待機期間および前記特定遊技状態制御期間を特定する期間特定手段（大当り信号がＯＦＦからＯＮに切り替わるタイミングで大当り信号ＯＮ検出時処理を実行するＣＰＵ１２０２）と、をさらに備え、
前記集計手段は、前記待機期間において遊技者が獲得した遊技媒体数と前記特定遊技状態制御期間において遊技者が獲得した遊技媒体数とを個別に集計する（大当り図柄の導出表示に対応する図柄確定信号の入力から大当り信号がＯＦＦからＯＮに切り替わるまでの期間において集計した差玉数（図柄確定後差玉数）を待機期間差玉数として履歴化すると共に、最終的に得られた合算期間差玉数−待機期間差玉数を大当り期間差玉数として算出する）ことを特徴とする。
これによれば、待機期間において遊技者が獲得した遊技媒体数と特定遊技状態制御期間において遊技者が獲得した遊技媒体数とを個別に把握することが可能になり、特定領域の通過しやすさや特定遊技状態における開放領域への入賞し易さを遊技釘により調整する際の指標とすることができる。
【００４２】
また手段３２に係る発明は、
手段３０又は３１に記載した情報管理装置であって、
前記入力手段には、前記識別情報の可変表示が実行されて表示結果が導出表示されたことに基づいて前記遊技機から外部に出力される表示結果確定信号（図柄確定信号）が入力され、
前記表示結果が前記特定表示結果となることに基づいて当該表示結果の導出表示前に所定態様に変化する前記遊技機の部材（大当り報知ＬＥＤ５１）が、該所定態様に変化したこと（点灯したこと）を検出する検出手段（発光検出信号の入力を認識するＣＰＵ１２０２）をさらに備え、
前記開始点特定手段は、前記検出手段により前記部材が前記所定態様に変化したことが検出されたときに、当該検出直後に前記入力手段に入力された表示結果確定信号に基づいて前記開始点を特定する（発光検出信号の入力直後の図柄確定信号の入力時点から図柄確定後差玉数の集計を開始する）ことを特徴とする。
これによれば、遊技機の部材が所定態様に変化したことを検出した場合にのみ、表示結果確定信号の入力に基づいて遊技媒体数の集計を実行するようにすれば良く、処理負担が軽減される。
【００４３】
また手段３３に係る発明は、
手段３０又は３１に記載した情報管理装置であって、
前記入力手段には、前記識別情報の可変表示が実行されて表示結果が導出表示されたことに基づいて前記遊技機から外部に出力される表示結果確定信号（図柄確定信号）が入力され、
前記表示結果が前記特定表示結果となったことに基づいて前記表示結果確定信号の出力後に所定態様に変化する前記遊技機の部材（大当り報知ＬＥＤ５１）が、該所定態様に変化したこと（点灯したこと）を検出する検出手段（発光検出信号の入力を認識するＣＰＵ１２０２）をさらに備え、
前記開始点特定手段は、前記検出手段により前記部材が前記所定態様に変化したことが検出されたときに、当該検出直前に前記入力手段に入力された表示結果確定信号に基づいて前記開始点を特定する（発光検出信号の入力直前の図柄確定信号の入力時点から開始されていた図柄確定後差玉数の集計を継続する）ことを特徴とする。
これによれば、遊技機の部材が所定態様に変化したことを検出した場合にのみ、表示結果確定信号の入力に基づいて実行されている遊技媒体数の集計を継続するようにすれば良く、処理負担が軽減される。
【００４４】
また手段３４に係る発明は、
手段３０又は３１に記載した情報管理装置であって、
前記入力手段には、前記識別情報の可変表示が実行されて表示結果が導出表示されたことに基づいて前記遊技機から外部に出力される表示結果確定信号（図柄確定信号）が入力され、
前記開始点特定手段は、前記入力手段に前記特定遊技状態信号が入力されたときに、その直前に入力された前記表示結果確定信号に基づいて前記開始点を特定する（図柄確定信号が入力される毎に図柄確定信号入力時処理を実行しておき、大当り信号がＯＦＦからＯＮに切り替わるときには大当り信号ＯＮ検出時処理を実行する）ことを特徴とする。
これによれば、遊技機から通常出力される表示結果確定信号および特定遊技状態信号に基づいて遊技媒体数の集計を行うことができる。
【００４５】
さらに手段３５に係る発明は、
手段３０〜３４のいずれか１に記載した情報管理装置であって、
前記特定領域が複数存在（第１特定領域６１、第２特定領域６２、第３特定領域６３）し、前記特定遊技状態として遊技者に付与する遊技価値が異なる複数の特定遊技状態（５Ｒ、１０Ｒ、１５の大当り遊技状態）が存在し、いずれの特定領域を遊技媒体が通過したかに応じて異なる特定遊技状態に制御すると共に、いずれの特定遊技状態に制御されているかを識別可能とするための識別信号（大入賞口の開放期間中に出力される開放信号）を外部に出力する遊技機の遊技情報を管理し、
前記入力手段には前記識別信号が入力され、
前記入力手段に入力された識別信号に基づいていずれの特定遊技状態に制御されているかを識別する特定遊技状態識別手段（開放信号検出時処理においてラウンド数を更新し、大当り信号ＯＦＦ検出時処理においてラウンド数を履歴化するＣＰＵ１２０２）をさらに備えることを特徴とする。
これによれば各特定遊技状態について、待機期間と特定遊技状態制御期間との合計期間において遊技者が獲得した遊技媒体数を個別に集計することができる。
【図面の簡単な説明】
【００４６】
【図１】ホールコンピュータの構成およびホールコンピュータに入力される情報の一例を示すブロック図である。
【図２】ホールコンピュータが実行する償却シミュレーションの一例を示すフローチャートである。
【図３】償却シミュレーションに用いられる稼働率曲線の一例を示す説明図である。
【図４】償却シミュレーションに用いられる集客指数曲線の一例を示す説明図である。
【図５】償却シミュレーションにより算出された償却日数の一例を示す説明図である。
【図６】償却シミュレーションにより得られた償却グラフの一例を示す説明図である。
【図７】第２実施形態に係る償却シミュレーションの一例を示すフローチャートである。
【図８】第２実施形態に係る稼働率曲線の一例を示す説明図である。
【図９】第２実施形態に係る償却シミュレーションにより算出された償却日数の一例を示す説明図である。
【図１０】第３実施形態に係る償却シミュレーションの一例を示すフローチャートである。
【図１１】第３実施形態に係る稼働率曲線の一例を示す説明図である。
【図１２】第３実施形態に係る集客指数曲線の一例を示す説明図である。
【図１３】第３実施形態に係る償却シミュレーションにより算出された償却日数の一例を示す説明図である。
【図１４】第４実施形態に係る償却シミュレーションの一例を示すフローチャートである。
【図１５】遊技実行シミュレーションの一例を示すフローチャートである。
【図１６】第４実施形態においてシミュレーション対象となる遊技機の仕様を示す説明図である。
【図１７】第４実施形態に係るシミュレーションの設定条件を示す説明図である。
【図１８】第４実施形態に係る償却シミュレーションにより算出された償却日数の一例を示す説明図である。
【図１９】第４実施形態に係る償却シミュレーションにより得られた償却グラフの一例を示す説明図である。
【図２０】第１実施形態の変形例に係るシミュレーションの設定条件を示す説明図である。
【図２１】第２実施形態の変形例に係るシミュレーションの設定条件を示す説明図である。
【図２２】第３実施形態の変形例に係るシミュレーションの設定条件を示す説明図である。
【図２３】第１の遊技機の遊技情報を管理するホールコンピュータに入力される情報の一例を示すブロック図である。
【図２４】パチンコ遊技機を正面からみた正面図である。
【図２５】振分装置を正面からみた正面図である。
【図２６】可変入賞球装置が開放制御された状態を示す説明図である。
【図２７】振分装置による遊技球の振り分け方法を示す説明図である。
【図２８】第１の異常判定方法の一例を示すタイムチャートである。
【図２９】第２の異常判定方法の一例を示すタイムチャートである。
【図３０】第３の異常判定方法の一例を示すタイムチャートである。
【図３１】第４の異常判定方法の一例を示すタイムチャートである。
【図３２】第２の遊技機の遊技情報を管理するホールコンピュータに入力される情報の一例を示すブロック図である。
【図３３】パチンコ遊技機を正面からみた正面図である。
【図３４】普通図柄制御用テーブルの一例を示す説明図である。
【図３５】機種データベースの一例を示す説明図である。
【図３６】遊技履歴テーブルの一例を示す説明図である。
【図３７】第１の集計処理に係るゲート通過信号の判定方法の一例を示すタイムチャートである。
【図３８】ゲート通過信号の入力状況表示方法の一例を示す説明図である。
【図３９】第２の集計処理に係るゲート通過信号の判定方法の一例を示すタイムチャートである。
【図４０】第３の集計処理に係るゲート通過信号の判定方法の一例を示すタイムチャートである。
【図４１】第４の集計処理に係るゲート通過信号の判定方法の一例を示すタイムチャートである。
【図４２】第３の遊技機の遊技情報を管理するホールコンピュータに入力される情報の一例を示すブロック図である。
【図４３】パチンコ遊技機を正面からみた正面図である。
【図４４】飾り部材の拡大斜視図である。
【図４５】大当り種別の制御の特徴を表形式で説明する図である。
【図４６】全体テーブルの一例を示す説明図である。
【図４７】台別履歴テーブルの一例を示す説明図である。
【図４８】台別統計テーブルの一例を示す説明図である。
【図４９】第１の差玉集計処理に係る差玉数の集計期間を示すタイムチャートである。
【図５０】第２の差玉集計処理に係る差玉数の集計期間を示すタイムチャートである。
【図５１】第３の差玉集計処理に係る差玉数の集計期間を示すタイムチャートである。
【発明を実施するための形態】
【００４７】
以下、本発明の実施の形態を、図面を参照して説明する。本発明の実施の形態として、以下に示す第１実施形態〜第４実施形態に係る情報管理装置が含まれる。第１〜第４実施形態に係る情報管理装置は、遊技機の償却日数等の稼働を算出するシミュレート手段を有している。以下では、まず、第１実施形態に係る情報管理装置について説明し、次に第２実施形態に係る情報管理装置について第１実施形態と異なる点について説明し、次に第３実施形態に係る情報管理装置について第１実施形態と異なる点について説明し、最後に第４実施形態に係る情報管理装置について第１実施形態と異なる点について説明する。
【００４８】
［第１実施形態］
図１に示す第１実施形態に係る情報管理装置としてのホールコンピュータ１２００は、遊技場において複数配置された遊技島に並設される遊技機としてのパチンコ遊技機における遊技にて発生した遊技情報を管理する。遊技情報は、パチンコ遊技機や、該パチンコ遊技機に対応して設けられ該パチンコ遊技機において遊技に使用されて該パチンコ遊技機から排出された遊技球（アウト玉）を計数するアウト玉計数器から出力される各種信号に基づいて集計される。例えば、ホールコンピュータ１２００は、遊技情報として当該遊技場に設置されている各遊技機の時間帯毎の稼働率や差玉数等の収支を集計している。
【００４９】
本実施形態に係るホールコンピュータ１２００の構成を図１に基づいて説明する。本実施例のホールコンピュータ１２００は、コンピュータ内部にてデータの送受を行うデータバス１２０１に、当該ホールコンピュータ１２００が実施する各種処理を実施する記憶制御手段としてのＣＰＵ１２０２、ワークメモリ等として使用されるＲＡＭ１２０３、磁気ディスクや光磁気ディスクから成る記憶装置１２０４、キーボードやマウス等の入力装置１２０５、各種画面等を表示出力するための表示装置１２０６や、遊技機や遊技用装置等とのデータ通信を行う通信手段としての通信部１２０７が接続された通常のコンピュータである。記憶装置１２０４には、当該遊技場に設置された各遊技機の時間帯毎の稼働率等が遊技情報として記憶されている。
【００５０】
また記憶装置１２０４には、該ホールコンピュータ１２００が実施する各種処理内容が記述された処理プログラムに加えて、パチンコ遊技機の稼働を算出するためのシミュレーションプログラムが記憶されている。これらのプログラムは、ＣＰＵ１２０２によってＲＡＭ１２０３に読み込まれて実行される。本例におけるシミュレーションの対象となるパチンコ遊技機は、後述する例に示すように、遊技媒体である遊技球を発射装置によって遊技領域に発射し、遊技領域に設けられている入賞口などの入賞領域に遊技球が入賞すると、所定の入賞価値を遊技者に与えるように構成されたものとする。さらに、遊技領域に設けられている始動領域を遊技球が通過したことにもとづいて特別図柄（識別情報）を可変表示（「変動」ともいう。）可能な可変表示部が設けられ、可変表示部における可変表示の表示結果として、あらかじめ定められた特定表示結果（大当り図柄）が導出表示されたことに基づいて特定遊技状態（所謂大当り遊技状態）に制御されるものとする。なお、導出表示とは、図柄を停止表示させることである。そして特定遊技状態においては所定の遊技価値が遊技者に付与される。なお、入賞価値とは、入賞領域への遊技球の入賞に応じて賞球を払い出したり得点や景品を付与したりすることである。また、遊技価値とは、特定表示結果となった場合に遊技機の遊技領域に設けられた可変入賞球装置の状態が打球が入賞しやすい遊技者にとって有利な状態になることや、遊技者にとって有利な状態になるための権利を発生させたりすることや、賞球払出の条件が成立しやすくなる状態になることである。
【００５１】
また、通信部１２０７には、遊技機や遊技用装置から出力された各種信号が入力される他、遊技場外の管理センタに設けられた管理装置１２５０により管理されている統計データが入力される。管理センタに設けられる管理装置１２５０は、複数の遊技場各々に設けられている情報管理装置（例えばホールコンピュータ）と通信可能に接続されている。管理装置１２５０は、各遊技場の情報管理装置から遊技情報を収集し、これに基づく統計データを作成して各遊技場の情報管理装置に提供するものである。
【００５２】
ＣＰＵ１２０２は、所定の操作、例えば表示装置１２０６に表示された「償却シミュレーションアイコン」が入力装置１２０５により選択されたことに応じて、図２に示す償却シミュレーションプログラムを実行する。償却シミュレーションプログラムは、シミュレーションプログラムの一種であり、遊技機の仕様（スペック）に応じた想定稼働率に基づいて遊技機の償却日数をシミュレートするものである。
【００５３】
償却シミュレーションにおいては、まず、遊技機の想定稼働率を郊外型とするか都心型とするかを確認する（Ｓ１０１）。想定稼働率を郊外型とするか又は都心型とするかは、予め当該遊技場の管理者等が、当該遊技場の立地を勘案して入力装置１２０５等により設定しており、その設定内容は記憶装置１２０４の所定領域に記憶されている。次いで、償却シミュレーションの実行対象となる遊技機の機種を表示装置１２０６にリスト表示する（Ｓ１０２）。ここでは、例えば新たに発表された新機種がリスト表示される。管理者は入力装置１２０５によって、リスト表示されている新機種の中から導入予定の機種を選択可能である。これによれば、遊技場に導入予定の機種について償却シミュレーションを実行して導入の可否を検討することができる。また、例えば遊技場内の遊技機が当該ホールコンピュータ１２００と通信可能に接続されたときに、その遊技機から当該遊技機の製造者を示す製造者ＩＤおよび当該遊技機の型式（機種）を示す型式ＩＤを含む機械識別情報が出力される場合には、その機械識別情報に基づいて特定される遊技機の機種のリストを表示するようにしても良い。これによれば、遊技場に設置された遊技機を対象として償却シミュレーションを実行し、遊技機の入れ替え等を検討することができる。なお、管理装置１２５０が機種のリストを記憶しておき、ホールコンピュータ１２００からの要求に応じて提供するようにしても良い。
【００５４】
リスト表示がされている中からの機種の選択が完了したときには（Ｓ１０３でＹＥＳ）、管理装置１２５０から選択機種の稼働率曲線を取得する。この例では、設定されている想定稼働率が郊外型か都心型か、および、選択された機種の大当り確率が低いか高いか（所謂ＭＡＸタイプであるかライトタイプであるか）に応じて、管理装置１２５０より異なる稼働率曲線を取得する（Ｓ１０４）。ここで大当り確率とは、可変表示部の表示結果が特定表示結果となる割合であり、本例では、その割合が最も低い（例えば１／３９９である）機種をＭＡＸタイプ、その割合が最も高い（例えば１／９９である）機種をライトタイプと称している。
【００５５】
図３（ａ）に示すように、郊外型の場合、ＭＡＸタイプの稼働率は開店時（１０：００）から夕方にかけて徐々に上昇し、夕方以降は急激に低下している。これは、ＭＡＸタイプにおいては、大当りが発生するまでに通常はある程度の時間を要するため、帰宅時間や閉店時間等、遊技場を退出しなければならない時間までの残り時間が少ない場合には選択され難いという事情があるためである。一方、ライトタイプの稼働率は、開店時から夕方にかけて、すなわち長時間の遊技を行うことが可能な時間帯では、ＭＡＸタイプよりも低く推移しているが、夕方から閉店間際にかけてはＭＡＸタイプよりも高い稼働率で推移する。これは、ライトタイプの場合には、遊技を開始してから比較的早く大当りが発生することを期待できるため、遊技場を退出しなければならない時間までの残り時間が少ない場合にも選択され易いという事情があるためである。このように、遊技場の営業時間終了前の所定期間、本例では１７：００〜２２：００の期間において、ＭＡＸタイプとライトタイプとで稼働率が逆転するという特徴がある。
【００５６】
一方、図３（ｂ）に示すように、都心型の場合、ＭＡＸタイプの稼働率は開店時（１０：００）から夕方にかけてライトタイプに近い稼働率で推移する。これは、郊外型と比較してサラリーマンが多く、空き時間で遊技を行いたいというニーズが多いため、短時間で大当りの発生し易いライトタイプが選択され易いという事情が存在することによるものである。また、ＭＡＸタイプおよびライトタイプのいずれに関しても、夕方から夜にかけて稼働率が急激に上昇する（１６：００〜２０：００）。これは仕事帰りのサラリーマンが遊技を開始することによるものである。そして、サラリーマンが帰宅時間を考慮して遊技を終了することにより、２０：００を過ぎると郊外型よりも急速に稼働率が低下する。都心型の場合も郊外型と同様に、遊技場の営業時間終了前の所定期間、本例では１８：００〜２２：００の期間においては、ライトタイプの稼働率がＭＡＸタイプの稼働率を上回って推移する。このように、郊外型および都心型のいずれの場合にも、遊技場の営業時間終了前の所定期間は、ライトタイプがＭＡＸタイプの稼働率を上回るという実情がある。
【００５７】
図３に示す各稼働率曲線は、管理装置１２５０が各遊技場のホールコンピュータ１２００から受信した遊技情報に基づいて作成した統計データの一例である。ここでホールコンピュータ１２００は、営業時間中における各遊技機の稼働率推移を集計している。例えば、各遊技機の稼働判定は、打込信号の入力等に基づいて行われる。そして、営業時間終了後に機種毎の稼働率推移を集計して、その集計結果を管理装置１２５０に対して送信している。管理装置１２５０では、各遊技場毎に機種毎の稼働率推移を管理可能である。また、複数の遊技場の平均データを算出することも可能であり、例えば、機種毎に、複数の遊技場についての平均稼働率曲線を算出することが可能である。
【００５８】
また、ホールコンピュータ１２００から管理装置１２５０に集計結果を送信する際には、当該ホールコンピュータ１２００の識別情報が送信される。管理装置１２５０側では、その識別情報に関連付けて、当該識別情報に係るホールコンピュータ１２００が設置されている遊技場の住所を特定可能な情報（例えば郵便番号等）が管理されている。従って、管理装置１２５０においては、識別情報に基づいてそのホールコンピュータ１２００が都心の遊技場に設置されているか、あるいは郊外の遊技場に設置されているのかも特定可能である。そのため、管理装置１２５０において、機種毎に、郊外の遊技場についての平均稼働率曲線を算出することが可能であり、都心の遊技場についての平均稼働率曲線を算出することも可能である。このようにして算出した所定の機種（ＭＡＸタイプ、ライトタイプ）、所定の立地条件（郊外型、都心型）毎の平均稼働率曲線は、統計データとして管理装置１２５０に管理されており、ホールコンピュータ１２００からの要求に応じて提供可能となっている。
【００５９】
従って、各遊技場は、自らの遊技場には導入していないが、他の遊技場には導入されている機種の平均稼働率曲線を取得することも可能である。これによれば、未導入の機種に関して他の遊技場における稼働実績に基づいたシミュレーションを実行可能である。また、管理装置１２５０は、いずれの遊技場にも導入されていない機種の稼働率曲線を要求された場合、その機種に近い仕様の機種に関する稼働率曲線を提供することも可能である。また、管理装置１２５０は、いずれの遊技場にも導入されていない機種の稼働率曲線を要求された場合、その機種が所謂シリーズ物、例えば、共通のキャラやストーリー、テーマをモチーフとした新機種である場合には、そのシリーズ物に係る前の機種に関する稼働率曲線を提供することも可能である。なお、各遊技場のホールコンピュータ１２００において、自己の遊技場の集計結果に基づいて稼働率曲線を作成し、その稼働率曲線に基づく償却シミュレーションを実行するようにしても良い。また、各遊技場のホールコンピュータ１２００において、任意の稼働率曲線を作成し、その稼働率曲線に基づく償却シミュレーションを実行するようにしても良い。
【００６０】
Ｓ１０４では、設定内容及び選択機種に応じて、郊外型のＭＡＸタイプ及びライトタイプ、並びに、都心型のＭＡＸタイプ及びライトタイプのうちのいずれかの稼働率曲線を管理装置１２５０より取得する。さらに、償却残額＝選択機種の価格として初期値の設定を行う（Ｓ１０５）。ここで選択機種の価格は入力装置１２０５によって直接入力するようにしても良く、予めホールコンピュータ１２００においてリスト表示する各機種の価格を記憶しておくようにしても良い。なお、管理装置１２５０が各機種の価格を記憶しておき、ホールコンピュータ１２００からの要求に応じて提供するようにしても良い。
【００６１】
次いで、表示装置１２０６に収支割合の入力欄を表示する（Ｓ１１０）。収支割合とは、遊技者が遊技に使用した遊技価値に対する獲得した遊技価値の大きさである。例えば、遊技者が１００００円相当の遊技媒体の貸出を受けて遊技した結果、１２０００円相当の遊技媒体を獲得した場合には、収支割合が１２０％となる。一方、遊技者が１００００円相当の遊技媒体の貸出を受けて遊技した結果、８０００円相当の遊技媒体しか獲得できなかった場合には、収支割合が８０％となる。すなわち、収支割合＞１００％の場合には遊技者の利益になり、収支割合＜１００％の場合には遊技場の利益になる。遊技場は、収支割合＜１００％となる所定の収支割合を設定することにより、所定期間での遊技機の償却が可能となる。
【００６２】
収支割合が入力された場合には（Ｓ１１１でＹＥＳ）、入力された収支割合に応じた集客指数曲線を管理装置１２５０より取得する（Ｓ１１２）。図４には集客指数曲線の一例を示している。集客指数曲線とは、遊技機の導入初日における１日の平均稼働率(以下、日中平均稼働率と称する場合がある）を１とした場合に、導入日数の経過に伴いどのように日中平均稼働率が推移するかを示す曲線である。この集客指数曲線も、管理装置１２５０から提供される統計データの一例である。通常は、導入日をピークとして徐々に日中平均稼働率が低下していく。ここで、前述した図３（ａ）および（ｂ）に示した稼働率曲線は、いずれも導入初日、すなわち導入日数０（集客指数＝１）における営業時間中の稼働率推移を示す曲線となっている。集客指数は導入日数毎の稼働率の係数ともいえる。
【００６３】
また、集客指数曲線は設定された収支割合に応じて相違する。これは、収支割合に応じて日中平均稼働率が変動するという実情を反映している。例えば、図４に示すように、収支割合を９５％とした場合よりも、収支割合を８５％とした場合に集客指数が早い段階で低下している。これは、遊技者にとって不利な収支設定とした場合には集客指数が低下し易いという傾向があるためである。
【００６４】
ここでホールコンピュータ１２００は、各遊技機の日中平均稼働率を集計すると共に、各遊技機の収支も集計している。また、各遊技機の導入日からの経過日数（導入日数）も管理している。各遊技機の収支は、例えば差玉数（打込玉数−賞球数）に基づいて算出される。そして、営業時間終了後に各遊技機に関する日中平均稼働率と当日の収支を、各遊技機の導入日数と共に管理装置１２５０に対して送信している。管理装置１２５０では、遊技機の収支割合毎（例えば５％毎）に、導入日数と日中平均稼働率との関係を集計し、その結果を収支割合毎の集客指数曲線として管理している。集客指数曲線は遊技場毎に管理されており、管理装置１２５０は、ホールコンピュータ１２００からの要求に応じて、当該ホールコンピュータ１２００が設置される遊技場に係る集客指数曲線を提供可能である。
【００６５】
次いで、導入日数を０に設定して（Ｓ１１３）、Ｓ１０４で取得した稼働率曲線に係る稼働率値（Ｙ座標の値）に、当該導入日数（当初０）における集客指数（当初１）を乗じることによって、当該導入日数における稼働率曲線を決定する（Ｓ１１４）。Ｓ１１４により、各導入日数に対応した稼働率曲線が決定されることになる。そして、設定された収支割合と決定された稼働率曲線に基づいて当該導入日数における償却額（１日あたりの償却額）を算出する。例えば、１時間あたりの遊技球の打込玉数の上限を１００００とし、遊技媒体の貸与価値を１玉４円として計算すると、１時間１００％の稼働率で稼働した場合の打込玉数に係る貸与価値は４００００円となる。この場合に、収支割合を９５％に設定していた場合には、１時間の稼働あたり２０００円が償却金額となり、収支割合を８５％に設定していた場合には、１時間の稼働あたり６０００円が償却金額となる。
【００６６】
この実施形態では、Ｓ１１４で決定された当該導入日に係る稼働率曲線に基づいて１時間毎の稼働率を特定し、（１時間毎の稼働率／１００）×４００００×（（１００−収支割合）／１００）により１時間毎の償却額を算出する。そして、１時間毎の償却額の推移とこれに伴う償却残額の推移を記憶しておくものとする。このようにして記憶した１時間毎の償却額の推移および償却残額の推移は、所定の操作により表示装置１２０６に表示可能である。そして、当該導入日数における営業開始時間から営業終了時間までの償却額の合計を、当該導入日数における償却額として算出する（Ｓ１１５）。
【００６７】
なお、上記の例では決定された稼働率曲線に基づいて１時間毎の稼働率を特定し、１時間毎の償却額を算出するとしているが、これに限らず、Ｓ１１５では、当該導入日数に係る稼働率曲線から当該導入日数における営業時間中の日中平均稼働率を算出し、（日中平均稼働率／１００）×１日の営業時間（例えば１２時間）×４００００×（（１００−収支割合）／１００）により、当該導入日数における償却額を算出するようにしても良い。次いで、現在の償却残額からＳ１１５で算出した当該導入日数における償却額を減算することにより、償却残額を減算更新する（Ｓ１１６）。そして、導入日数に１を加算する（Ｓ１１７）。そして、減算更新後の償却残額が０以下となったか否かを判定する（Ｓ１１８）。０以下となっていなければ（Ｓ１１８でＮＯ）、Ｓ１１４にすすみ、更新された導入日数に係る稼働率曲線を決定して、当該導入日数における償却額を算出し、償却残額を更新する処理を繰り返す（Ｓ１１４〜Ｓ１１６）。一方、Ｓ１１８で減算更新後の償却残額が０以下となった場合には（Ｓ１１８でＹＥＳ）、現在の導入日数を償却日数として表示装置１２０６に表示して（Ｓ１１９）、償却シミュレーションを完了する。
【００６８】
Ｓ１１９の処理によって、図５に示すように、Ｓ１０３で選択された機種およびＳ１１１で入力された収支割合と共に、算出された償却日数が表示される。償却シミュレーションは、Ｓ１０３で選択する機種やＳ１１１で入力する収支割合を異ならせて連続的に実行することが可能である。その結果、図５に示すように、機種毎の償却日数が、入力された収支割合と共に表示される。これにより遊技場の管理者は、機種毎に償却日数を比較することができる。この例では、ＭＡＸタイプのＣＲ−ＡＡＡが、収支割合９０％に設定されたときに償却日数が２０日と算出され、ライトタイプのＣＲ−ＢＢＢが、収支割合９０％に設定されたときに償却日数が１６日と算出されている。
【００６９】
このようにして算出される償却日数は、遊技場の営業時間終了前の所定期間において、大当り確率の低い機種よりも大当り確率の高い機種が比較的選択されやすいという実情を反映させたシミュレーション結果である。仮に、遊技場の営業時間終了前におけるこのような実情を反映させずにシミュレーションを実行した場合、信頼性のある結果は得られず、償却日数の誤算により遊技場が損害を被ることにもなりかねない。本実施形態では、営業時間終了前の遊技者の立ち回りに即したシミュレーションを実行することにより、算出される償却日数の信頼性を高めている。
【００７０】
図６は、導入日数の経過に応じた償却残額の推移を示すグラフであり、償却シミュレーションの実行中に表示装置１２０６に表示される。Ｓ１１６における償却残額の更新に対応した棒グラフの推移により、徐々に償却残額が減少する様子を示している。この例では、導入日数が１８日のときに償却残額が０となっており、この場合の償却日数は１８日となる。
【００７１】
また本実施形態では、図３に示したように、郊外型であるか又は都心型であるかに応じて異なる稼働率曲線が設けられている。これにより、遊技場の立地に応じた信頼性の高いシミュレーションを実行可能となる。さらに本実施形態では、遊技機の導入日からの経過日数に応じて稼働率が低下していくという実情を反映した償却シミュレーションを実行しているため、経過日数にかかわらず稼働率を一定する場合と比較して、現実の遊技者の立ち回りに即した信頼性の高いシミュレーションを実行することができる。
【００７２】
［第２実施形態］
次に、第２実施形態に係る情報管理装置としてのホールコンピュータ１２００について、第１実施形態と異なる点について説明する。第２実施形態に係るホールコンピュータ１２００は、第１実施形態と異なり、遊技機で遊技を行う遊技者が当該遊技場の会員として会員登録を受けた遊技者であるか、あるいは会員登録を受けていないビジタ遊技者であるかに応じて、遊技場の営業時間終了前における遊技機の稼働率を相違させて償却シミュレーションを実行するものである。
【００７３】
図７に示す第２実施形態に係る償却シミュレーションにおいては、まず、償却シミュレーションの実行対象となる遊技機の機種を表示装置１２０６にリスト表示する（Ｓ２０２）。リスト表示がされている中からの機種の選択が完了したときには（Ｓ２０３でＹＥＳ）、さらに、償却残額＝選択機種の価格として初期値の設定を行う（Ｓ２０４）。これらの処理に関しては第１実施形態と同様である。
【００７４】
次いで、会員モデルの稼働率曲線とビジタモデルの稼働率曲線のいずれの稼働率曲線に基づいて償却シミュレーションを実行するのかを選択させる画面を表示する（Ｓ２０５）。次いで選択されたモデル、すなわち会員モデルまたはビジタモデルのいずれかに応じた稼働率曲線を取得する（Ｓ２０５でＹＥＳと判定されてＳ２０６を実行する）。ここで、会員モデルの稼働率曲線とは、図８の実線で示すように、シミュレーション対象となる遊技機での遊技を行う遊技者として、当該遊技場の会員となるための会員登録を受けている遊技者を想定した場合の稼働率曲線である。また、ビジタモデルの稼働率曲線とは、図８の点線で示すように、シミュレーション対象となる遊技機での遊技を行う遊技者として、会員登録を受けていないビジタ遊技者を想定した場合の稼働率曲線である。
【００７５】
これらの稼働率曲線の相違は、遊技場の営業時間終了前の所定期間（ここでは営業時間終了間際の１時間）における稼働率である。会員遊技者は、会員登録を行っていることにより会員カードを有している。そして、遊技終了後は、手元にある遊技媒体数を、その会員カードのカードＩＤ（または会員ＩＤ）に関連付けて管理される貯玉数に加算することが可能となる。例えば、会員遊技者は、手元にある遊技媒体数を貯玉数に加算する場合、遊技場の島端部等に設置されている遊技媒体計数装置に会員カードを挿入し、遊技媒体数を計数させることによって、計数された遊技媒体数が会員カードのカードＩＤ（または会員ＩＤ）に関連付けて管理されている貯玉数に加算されることになる。
【００７６】
この貯玉数は、会員遊技者が遊技に再使用可能な貯蓄遊技価値の大きさであり、次回遊技を行うときには、現金をカードユニットに投入して玉貸を行わずとも貯玉数の範囲内で貯玉を使用して遊技を行うことが可能である。例えば、遊技場内に設けられている貯玉再プレイ装置に会員カードを挿入して暗証番号入力後、使用する貯玉数を入力することで、入力された貯玉数が提供されて、これを遊技に再使用可能となる。一方、会員カードを有していないビジタ遊技者は、遊技終了後に、手元にある遊技媒体数をその遊技媒体数に応じた景品と交換する作業が必要となる。遊技場の営業時間終了間際の時間帯においては、遊技を終了した遊技客で景品交換カウンタが混雑するケースも多く、遊技者はこれを見越して早めに遊技を切り上げることになる。そのため、遊技場の営業時間終了前の所定期間（この例では営業時間終了間際の1時間）は、会員遊技者が遊技を終了する確率と比較してビジタ遊技者が遊技を終了する確率が高くなる。図８に示す稼働率曲線は、このような遊技者の立ち回りが反映されたものである。
【００７７】
また、遊技機に対応して各台計数装置が設けられている場合がある。各台計数装置とは、各遊技機に対応して設けられ、遊技者に払い出された遊技媒体数を計数可能な装置である。各台計数装置が備えられたカードユニットに会員カードを挿入して遊技を行った場合、営業時間中に計数された遊技媒体数は持玉数として管理され、当日の遊技に使用可能となる。一方、営業時間終了後には、持玉数は自動的に貯玉数に加算されることになり、翌日以降の遊技に使用可能となる。そのため会員遊技者は、遊技終了時における持玉数を貯玉数に加算するための特段の作業を行わずとも良い。一方、各台計数装置が設けられている場合にも、ビジタ遊技者は貯玉を行うことができないため、遊技終了時の持玉数に応じた景品交換が必要となる。従って、各台計数装置が設けられている場合であっても、遊技場の営業時間終了前の所定期間（この例では営業時間終了間際の1時間）は、会員遊技者が遊技を終了する確率と比較してビジタ遊技者が遊技を終了する確率が高くなる。
【００７８】
また図８に示す各稼働率曲線は、管理装置１２５０が各遊技場のホールコンピュータ１２００から受信した遊技情報に基づいて作成した統計データの一例である。ホールコンピュータ１２００は、営業時間中における会員遊技者数およびビジタ遊技者数の推移を集計可能である。ホールコンピュータ１２００は、各遊技機に対応して設けられているカードユニットに会員カードが挿入された場合に、その会員カードの挿入を検出し、カードユニットから会員カードが排出された場合には、その会員カードの排出を検出するものである。従って、会員カードが挿入されているカードユニット数（すなわち遊技機数）を、遊技を行っている会員遊技者の数として集計可能である。また、ホールコンピュータ１２００は、各遊技機に対応して設けられているアウト玉計数器からの打込信号が入力されている。従って、対応するカードユニットに会員カードが挿入されていないが打込信号が出力されている遊技機数を、遊技を行っているビジタ遊技者の数として集計可能である。これにより営業時間中における遊技を行っている会員遊技者数とビジタ遊技者数の推移を集計することが可能となる。そして、営業時間終了後に当日の会員遊技者数とビジタ遊技者数の推移情報を、管理装置１２５０に対して送信している。
【００７９】
管理装置１２５０では、受信した推移情報を遊技場毎に管理しており、これに基づいて、所定の遊技機において会員遊技者が遊技を行った場合の稼働率の推移と、ビジタ遊技者が遊技を行った場合の稼働率の推移をモデル化する。例えば、各遊技場における営業開始から営業時間終了１時間前までの１時間あたりの会員遊技者の平均数（通常時平均会員数）を算出し、営業時間終了前１時間における会員遊技者の平均数（終了前平均会員数）を算出して、終了前平均会員数／通常時平均会員数により、会員減少比率を算出する。また、各遊技場における営業開始から営業時間終了１時間前までの１時間あたりのビジタ遊技者の平均数（通常時平均ビジタ数）を算出し、営業時間終了前１時間におけるビジタ遊技者の平均数（終了前平均ビジタ数）を算出して、終了前平均ビジタ数／通常時平均ビジタ数により、ビジタ減少比率を算出する。さらに、当該遊技場における営業開始から営業時間終了前１時間前までの遊技機の平均稼働率（図８の例では６０％）に基づいて、平均稼働率×会員減少比率により営業時間終了前１時間における会員モデルの稼働率を算出し、会員モデルの稼働率曲線を決定する。また、当該遊技場における営業開始から営業時間終了前１時間前までの遊技機の平均稼働率（図８の例では６０％）に基づいて、平均稼働率×ビジタ減少比率により営業時間終了前１時間におけるビジタモデルの稼働率を算出し、ビジタモデルの稼働率曲線を決定する。管理装置１２５０は、ホールコンピュータ１２００からの要求に応じて、当該ホールコンピュータ１２００が設置される遊技場に係る会員モデルまたはビジタモデルの稼働率曲線を提供可能である。なお、管理装置は、複数の遊技場から受信した推移情報に基づいて平均稼働率曲線を作成し、ホールコンピュータ１２００からの要求に応じて提供するようにしても良い。なお、各遊技場のホールコンピュータ１２００において、自己の遊技場の集計結果に基づいて稼働率曲線を作成し、その稼働率曲線に基づく償却シミュレーションを実行するようにしても良い。また、各遊技場のホールコンピュータ１２００において、任意の稼働率曲線を作成し、その稼働率曲線に基づく償却シミュレーションを実行するようにしても良い。
【００８０】
Ｓ２１０以降では第１実施形態に示したＳ１１０以降の処理と同様の処理を実行する。そして、Ｓ２１９では、図９に示すように、Ｓ２０３で選択された機種およびＳ２０５で選択されたモデル（会員モデルまたはビジタモデル）と共に算出された償却日数が表示される。償却シミュレーションは、Ｓ２０３で選択する機種やＳ２０５で選択するモデル、Ｓ２１１で入力する収支割合を異ならせて連続的に実行することが可能である。その結果、図９に示すように、会員モデルおよびビジタモデルに応じた償却日数が、選択された機種および入力された収支割合と共に表示される。これにより遊技場の管理者は、会員モデルとビジタモデルの償却日数を比較することができる。この例では、選択機種がＣＲ−ＣＣＣの場合に、会員モデルで収支割合９５％に設定されたときに償却日数が２３日と算出され、ビジタモデルで収支割合９５％に設定されたときに償却日数が２５日と算出されている。
【００８１】
このようにして算出される償却日数は、遊技場の営業時間終了前の所定時間（この例では１時間）において、ビジタ遊技者よりも会員遊技者の方が遊技を継続し易いという実情を反映したシミュレーション結果である。仮に、遊技場の営業時間終了前におけるこのような実情を反映させずにシミュレーションを実行した場合、信頼性のある結果は得られず、償却日数の誤算により遊技場が損害を被ることにもなりかねない。本実施形態では、営業時間終了前の遊技者の立ち回りに即したシミュレーションを実行することにより、算出される償却日数の信頼性を高めている。また、第２実施形態に係る償却シミュレーションによって、遊技場が会員遊技者数増加の利点を定量的に把握することも可能となり、遊技場の経営に役立てることができる。
【００８２】
［第３実施形態］
次に、第３実施形態に係る情報管理装置としてのホールコンピュータ１２００について、第１実施形態と異なる点について説明する。第３実施形態に係るホールコンピュータ１２００は、第１実施形態と異なり、遊技機で使用される遊技媒体の貸与価値に応じて、遊技場の営業時間終了前における遊技機の稼働率を相違させて償却シミュレーションを実行するものである。本例では、遊技機で使用される遊技媒体として、１球４円の遊技球と１球１円の遊技球を想定しており、１球４円の遊技球が使用される遊技機を４円遊技機、１球１円の遊技球が使用される遊技機を１円遊技機と称する。
【００８３】
図１０に示す第３実施形態に係る償却シミュレーションにおいては、まず、償却シミュレーションの実行対象となる遊技機の機種を表示装置１２０６にリスト表示する（Ｓ３０２）。リスト表示がされている中からの機種の選択が完了したときには（Ｓ３０３でＹＥＳ）、さらに、償却残額＝選択機種の価格として初期値の設定を行う（Ｓ３０４）。これらの処理に関しては第１実施形態と同様である。
【００８４】
次いで、４円モデルの稼働率曲線と１円モデルの稼働率曲線のいずれの稼働率曲線に基づいて償却シミュレーションを実行するのかを選択させる画面を表示する（Ｓ３０５）。次いで選択されたモデル、すなわち４円モデルまたは１円モデルのいずれかに応じた稼働率曲線を取得する（Ｓ３０５でＹＥＳと判定されてＳ３０６を実行する）。ここで、４円モデルの稼働率曲線とは、図１１の実線で示すように、シミュレーション対象となる遊技機が４円遊技機である場合を想定した稼働率曲線である。また、１円モデルの稼働率曲線とは、図１１の点線で示すように、シミュレーション対象となる遊技機が１円遊技機である場合を想定した稼働率曲線である。
【００８５】
これらの稼働率曲線の相違について説明する。４円遊技機の場合には、１円遊技機と比較して収支の幅が大きいため、遊技者は収支がプラスの場合であっても継続して遊技を行うことでその収支が悪化してしまうリスクを強く意識する。そのため、収支がプラスである場合には遊技終了のタイミングが早めになり、例えば、大当り遊技状態終了後に高ベース状態となった場合には、その高ベース状態の終了に伴い直ちに遊技を終了するケースが多くなる。特に、営業時間終了前の所定期間は、収支がプラスである状態で当日の遊技を終了したいとの思惑が強くなるため、高ベース状態の終了に伴い直ちに遊技を終了する確率が高くなる。一方、１円遊技機の場合には、４円遊技機と比較すると収支の幅が小さいため、遊技の継続により収支が悪化してしまうリスクをそれほど強くは意識しない。従って、高ベース状態が終了しても遊技を継続する確率が４円遊技機より高くなるという実情がある。図１１に示す４円モデルの稼働率曲線と１円モデルの稼働率曲線には上記の実情が反映されており、開店時間から１８：００までは４円遊技機の稼働率が１円遊技機の稼働率を上回っているが、１８：００以降は１円遊技機の稼働率が４円遊技機の稼働率を上回っている。
【００８６】
また図１１に示す各稼働率曲線は、管理装置１２５０が各遊技場のホールコンピュータ１２００から受信した遊技情報に基づいて作成した統計データの一例である。ホールコンピュータ１２００は遊技場内に設けられた４円遊技機および１円遊技機の稼働率推移を集計可能である。ホールコンピュータ１２００は、４円遊技機に対応するアウト玉計数器からの打込信号が入力されている期間を４円遊技機の稼働期間として特定可能であり、１円遊技機に対応するアウト玉計数器からの打込信号が入力されている期間を１円遊技機の稼働期間として特定可能である。これにより遊技場の営業時間内における４円遊技機の稼働率の推移と１円遊技機の稼働率の推移とを集計することが可能である。そして、営業時間終了後に当日の４円遊技機と１円遊技機の稼働率推移情報を、管理装置１２５０に対して送信している。
【００８７】
管理装置１２５０では、受信した稼働率推移情報を遊技場毎に管理しており、各遊技場毎に４円モデルの稼働率曲線と１円モデルの稼働率曲線を作成する。管理装置１２５０は、ホールコンピュータ１２００からの要求に応じて、当該ホールコンピュータ１２００が設置される遊技場に係る４円モデルまたは１円モデルの稼働率曲線を提供可能である。なお、管理装置は、複数の遊技場から受信した稼働率推移情報に基づいて平均稼働率曲線を作成し、ホールコンピュータ１２００からの要求に応じて提供するようにしても良い。なお、各遊技場のホールコンピュータ１２００において、自己の遊技場の集計結果に基づいて稼働率曲線を作成し、その稼働率曲線に基づく償却シミュレーションを実行するようにしても良い。また、各遊技場のホールコンピュータ１２００において、任意の稼働率曲線を作成し、その稼働率曲線に基づく償却シミュレーションを実行するようにしても良い。
【００８８】
次いで、表示装置１２０６に収支割合の入力欄を表示する（Ｓ３１０）。収支割合が入力された場合には（Ｓ３１１でＹＥＳ）、Ｓ３０５で選択された遊技機モデル（４円モデルまたは１円モデル）およびＳ３１０で入力された収支割合に応じた集客指数曲線を管理装置１２５０より取得する（Ｓ３１２）。図１２には、第３実施形態に係る集客指数曲線の一例を示している。この第３実施形態においては、４円モデルと１円モデルの各々について、収支割合毎の集客指数曲線が設けられている。これは４円遊技機と１円遊技機とでは、導入日数の経過に伴う稼働率の推移状況が異なるという事情を反映したものである。
【００８９】
ここでホールコンピュータ１２００は、４円遊技機および１円遊技機の日中平均稼働率を集計すると共に、各遊技機の収支も集計している。また、４円遊技機および１円遊技機の導入日からの経過日数（導入日数）も管理している。各遊技機の収支は、例えば差玉数（打込玉数−賞球数）に基づいて算出される。そして、営業時間終了後に４円遊技機および1円遊技機に関する日中平均稼働率と当日の収支を、各遊技機の導入日数と共に管理装置１２５０に対して送信している。管理装置１２５０では、４円遊技機の収支割合毎（例えば５％毎）に、導入日数と日中平均稼働率との関係を集計し、その結果を４円モデルに係る収支割合毎の集客指数曲線として管理している。また、１円遊技機の収支割合毎（例えば５％毎）に、導入日数と日中平均稼働率との関係を集計し、その結果を１円モデルに係る収支割合毎の集客指数曲線として管理している。集客指数曲線は遊技場毎に管理されており、管理装置１２５０は、ホールコンピュータ１２００からの要求に応じて、当該ホールコンピュータ１２００が設置される遊技場に係る集客指数曲線を提供可能である。
【００９０】
図１２（ａ）に示す４円モデルの集客指数曲線と図１２（ｂ）に示す１円モデルの集客指数曲線とを比較すると、４円モデルと比較して１円モデルは導入日数の経過に伴う集客指数（稼働率の係数）の低下が緩やかである。新機種を導入する場合に、その多くは４円遊技機として導入され、１円遊技機として導入される数は限られているというケースがある。その場合、１円遊技機で遊技を行いたい遊技者の数に対して１円遊技機の新機種が少ないため、結果として１円遊技機の稼働率が高くなり、導入日数が経過しても集客指数が低下し難い。また、４円遊技機で遊技を行う場合には収支割合を低く設定することによる遊技者の不利益が大きい。従って、図１２（ａ）に示す例（収支割合９５％に対しての収支割合８５％）ように、収支割合を低く設定することで鋭敏に集客指数が低下する傾向にある。一方、１円遊技機で遊技を行う場合には、新機種への興味により多少収支割合が低くとも遊技を行う傾向がある。従って、図１２（ｂ）に示す例（収支割合９５％に対しての収支割合８５％）ように、収支割合を低く設定しても４円遊技機程には鋭敏に集客指数は低下しない。図１２に示す集客指数曲線はこれらの事情が反映されたものである。
【００９１】
Ｓ３１３以降では第１実施形態に示したＳ１１３以降の処理と同様の処理を実行する。そして、Ｓ３１９では、図１３に示すように、Ｓ３０３で選択された機種およびＳ３０５で選択されたモデル（４円モデルまたは１円モデル）、ならびにＳ３１１で入力された収支割合と共に、算出された償却日数が表示される。償却シミュレーションは、Ｓ３０３で選択する機種やＳ３０５で選択するモデル、Ｓ３１１で入力する収支割合を異ならせて連続的に実行することが可能である。その結果、図１３に示すように、４円モデルおよび１円モデルに応じた償却日数が、選択された機種および設定された収支割合と共に表示される。これにより遊技場の管理者は、４円モデルと１円モデルの償却日数を比較することができる。この例では、選択機種がＣＲ−ＡＡＡの場合に、４円モデルで収支割合９５％に設定されたときに償却日数が２６日と算出され、１円モデルで収支割合８５％に設定されたときに償却日数が２４日と算出されている。
【００９２】
このようにして算出される償却日数は、遊技場の営業時間終了前の所定期間（この例では１８：００〜２２：００）において、４円遊技機よりも１円遊技機の方が遊技が継続され易いという実情を反映したシミュレーション結果である。仮に、遊技場の営業時間終了前におけるこのような実情を反映させずにシミュレーションを実行した場合、信頼性のある結果は得られず、償却日数の誤算により遊技場が損害を被ることにもなりかねない。本実施形態では、営業時間終了前の遊技者の立ち回りに即したシミュレーションを実行することにより、算出される償却日数の信頼性を高めている。また、第３実施形態に係る償却シミュレーションの結果は、新機種導入時に４円遊技機と１円遊技機の導入比率を検討するための重要な指標とすることができる。
【００９３】
特にこの実施形態では、１円遊技機の場合には収支割合をある程度低下させても４円遊技機程には俊敏に稼働率が低下しないという実情を反映させた償却シミュレーションを実行している。仮に、このような実情を反映させないシミュレーションを実行した場合には、１円遊技機の償却期間が極めて長期になったり困難であるとの結果となってしまう。この実施形態では、上記の実情を反映させたシミュレーションを実行することで適切な償却期間を算出することができる。
【００９４】
［第４実施形態］
次に、第４実施形態に係る情報管理装置としてのホールコンピュータ１２００について、第１実施形態と異なる点について説明する。第４実施形態に係るホールコンピュータ１２００は、第１実施形態と異なり遊技機における遊技の収支に応じて、遊技場の営業時間終了前における遊技機の稼働率を相違させて償却シミュレーションを実行するものである。例えば遊技の収支がプラスである場合には、遊技者はその収支を悪化させずに当日の遊技を終了させたいと考えるため、営業時間終了前の所定期間は遊技を終了する確率が高くなる。これに対して、遊技の収支がマイナスの場合には、遊技者は収支を少しでも回復させて当日の遊技を終了させたいと考えるため、可能な限り遅くまで遊技を継続するという傾向がある。第４実施形態ではこのような遊技者の立ち回りを反映した償却シミュレーションを実行するものである。
【００９５】
図１４に示す第４実施形態に係る償却シミュレーションにおいては、まず、償却シミュレーションの実行対象となる遊技機の機種を表示装置１２０６にリスト表示する（Ｓ４０２）。これらの処理に関しては第１実施形態と同様である。リスト表示がされている中からの機種の選択が完了したときには（Ｓ４０３でＹＥＳ）、選択された機種の仕様（所謂スペック）および価格を管理装置１２５０から取得する（Ｓ４０４，Ｓ４０５）。また、償却残額＝選択機種の価格として初期値の設定を行う（Ｓ４０５）。ここで管理装置１２５０は、製造者ＩＤおよび遊技機の型式（機種）を示す型式ＩＤと関連付けて当該型式に対応する機種の仕様および価格を記憶しており、ホールコンピュータ１２００からの要求に応じて、選択された機種の仕様および価格を提供可能である。なお、ホールコンピュータ１２００側で、機種毎の仕様および価格を記憶しておくようにしても良い。
【００９６】
ここでは例として、図１６に示す仕様の遊技機をシミュレーション対象とするものとする。この遊技機は、第１始動領域に遊技球が入賞したことに基づいて第１識別情報（特図１）の可変表示を実行する第１可変表示手段と、第２始動領域に遊技球が入賞したことに基づいて第２識別情報（特図２）の可変表示を実行する第２可変表示手段を備えている。第２始動領域は可変入賞球装置（所謂電チュー）により開閉制御され、開状態となっているときに遊技球が入賞可能となる。また、この遊技機は、遊技球が所定の通過領域（ゲート）を通過したことに基づいて普通図柄の可変表示を実行する普通図柄可変表示部を備えている。普通図柄可変表示部の表示結果が所定の表示結果となったときには、可変入賞球装置が開放制御され、遊技球が第２始動領域に入賞可能となる。
【００９７】
第１可変表示手段または第２可変表示手段の表示結果が特定表示結果となったときには遊技者にとって有利な大当り遊技状態に制御される。ここで、大当り遊技状態としては、大当り遊技状態終了後に特定表示結果が導出表示される割合が高められた高確率状態となる確変大当りと、大当り遊技状態終了後に特定表示結果が導出表示される割合が高められていない低確率状態となる通常大当りとがある。そして、いずれの大当り遊技状態終了後にも、可変入賞球装置が開放制御される頻度が高められることにより第２始動領域に遊技球が入賞し易くなる高ベース状態（時短状態）に制御される。確変大当りの場合には、大当り遊技状態終了後から次回の大当り発生まで高確率／高ベース状態が継続する。通常大当りの場合には、大当り遊技状態終了後の所定の可変表示回数までは低確率／高ベース状態となり、所定の可変表示回数を終了すると、低確率／低ベース状態に移行する。
【００９８】
この例では、図１６（ａ）に示すように、低確率状態（図中では通常時として示される）において特定表示結果が導出表示される確率は１／３９９であり、高確率状態（図中では確変時として示される）において特定表示結果が導出表示される確率は１／４０となっている。また、確変大当り後は、高ベース状態が次回大当り発生まで継続する（図中では時短継続として示す）が、通常大当り後は、変動表示が７０回実行されると高ベース状態が終了する（図中では時短回数７０変動までとして示す）。
【００９９】
また、この例では図１６（ｂ）に示すように、第１可変表示部による可変表示の表示結果が特定表示結果となった場合には、４０％の割合で１０Ｒの通常大当りとなり、１２００発の出玉を期待できる。ここで、ラウンド（Ｒ）とは、大当り遊技状態において開放制御される特別可変入賞球装置が開放状態となる単位であり、１ラウンドは、所定数（例えば８個）の遊技媒体が特別可変入賞球装置に入賞するか、または、開放状態となってから所定時間（例えば２９秒）経過するかのいずれかの条件が成立したことにより終了する。そして、特別可変入賞球装置に遊技媒体が入賞すると所定数（例えば１５個）の賞球が払い出される。１０ラウンド（Ｒ）の大当り遊技状態とは、１ラウンドが１０回実行される大当り遊技状態である。１ラウンドあたり１２０発（例えば１５×８）の出玉を期待できるのであれば、１０ラウンドで１２００発の出玉を期待できることになる。また、この例では、第１可変表示部による可変表示の表示結果が特定表示結果となった場合には、３５％の割合で１０Ｒの確変大当りとなり、１２００発の出玉を期待できる。そして、第１可変表示部による可変表示の表示結果が特定表示結果となった場合には、２５％の割合で突然確変大当りとなる。突然確変大当りの場合には、特別可変入賞球装置が極めて短い時間（例えば０．５秒）で開放制御されるため、遊技球の入賞は期待できず実質的に出玉は０となる。なお、突然確変大当りに係る特別可変入賞球装置の開放制御終了後には、高確率／高ベース状態に制御される。
【０１００】
また、この例では図１６（ｃ）に示すように、第２可変表示部による可変表示の表示結果が特定表示結果となった場合には、４０％の割合で７Ｒの通常大当りとなり、８４０発の出玉を期待できる。また、この例では、第２可変表示部による可変表示の表示結果が特定表示結果となった場合には、１０％の割合で７Ｒの確変大当りとなり、８４０発の出玉を期待できる。そして、第２可変表示部による可変表示の表示結果が特定表示結果となった場合には、５０％の割合で１５Ｒの確変大当りとなり、１８００発の出玉を期待できる。
【０１０１】
選択された機種の仕様を取得した後、遊技状態が通常状態（低確率／低ベース状態）であるときの可変表示１回あたりに要する遊技媒体数と、遊技状態が時短状態（高確率／高ベース状態または低確率／高ベース状態）であるときの可変表示１回あたりに要する遊技媒体数とを入力する欄を表示する（Ｓ４０６）。ここで入力する遊技媒体数は、第１始動領域への遊技球の入賞しやすさ、および、第２始動領域への遊技球の入賞しやすさを示す指標であり、少ないほど入賞し易い。遊技場においては、通常、第１始動領域への遊技球の入賞経路を形成する遊技釘を調製することにより、第１始動領域への入賞し易さを調製しており、遊技球のゲート通過経路を形成する遊技釘を調製することにより、第２始動領域への入賞し易さを調製している。従って、Ｓ４０５で入力する各遊技媒体数は、第１始動領域周辺の釘調整状況を反映する指標であり、ゲート周辺の釘調整状況を反映する指標である。
【０１０２】
ここで各遊技機からホールコンピュータ１２００に対しては、第１可変表示部および第２可変表示部による可変表示が終了して表示結果が導出表示される毎に、図柄確定信号が出力されている。また、各遊技機が時短状態（高ベース状態）にあるときには、時短信号が出力されている。さらに前述したように、各遊技機に対応して設けられるアウト玉計数器からは、発射された遊技球の数を特定可能とする打込信号が出力されている（例えば打込玉数１０発毎に１パルスの出力信号が出力されている）。そのため、ホールコンピュータ１２００は、時短信号が入力されていない期間における図柄確定信号の入力数および打込信号の入力数に基づいて、遊技状態が通常状態（低確率／低ベース状態）であるときの可変表示１回あたりに要する遊技媒体数を算出可能となる。また、時短信号が入力されている期間における図柄確定信号の入力数および打込信号の入力数に基づいて、遊技状態が時短状態（高確率／高ベース状態または低確率／高ベース状態）であるときの可変表示１回あたりに要する遊技媒体数を算出可能である。
【０１０３】
さらに、各遊技機からホールコンピュータ１２００に対しては、賞球として付与された遊技球の数を特定可能とする賞球信号が出力されている（例えば打込玉数１０発毎に１パルスの出力信号が出力されている）ため、機種毎に「通常状態であるときの可変表示１回あたりに要する遊技媒体数」と「時短状態であるときの可変表示１回あたりに要する遊技媒体数」とに関連付けて差玉数等の収支情報を集計することが可能となる。そして、営業時間終了後に、当日における「通常状態であるときの可変表示１回あたりに要する遊技媒体数」と「時短状態であるときの可変表示１回あたりに要する遊技媒体数」ならびにこれに関連付けられた差玉数を、機種毎の情報として管理装置１２５０に対して送信している。
【０１０４】
管理装置１２５０では、遊技場毎および機種毎に「通常状態であるときの可変表示１回あたりに要する遊技媒体数」と「時短状態であるときの可変表示１回あたりに要する遊技媒体数」ならびにこれに対応する収支情報（例えば差玉数）の統計データを作成して管理している。これらの統計データは、ホールコンピュータ１２００からの要求に応じて提供可能である。また、管理装置１２５０では、複数の遊技場の平均データを算出することも可能であり、例えば、機種毎に、「通常状態であるときの可変表示１回あたりに要する遊技媒体数」および「時短状態であるときの可変表示１回あたりに要する遊技媒体数」に応じた平均収支情報を算出することが可能である。
【０１０５】
従って、各遊技場は、自らの遊技場には導入していないが、他の遊技場には導入されている機種の「通常状態であるときの可変表示１回あたりに要する遊技媒体数」および「時短状態であるときの可変表示１回あたりに要する遊技媒体数」に応じた平均収支情報を取得することも可能である。これによれば、未導入の機種に関して他の遊技場における稼働実績に基づいたシミュレーションを実行可能である。
【０１０６】
Ｓ４０５で遊技媒体数の入力欄を表示するときに、管理装置１２５０から「通常状態であるときの可変表示１回あたりに要する遊技媒体数」および「時短状態であるときの可変表示１回あたりに要する遊技媒体数」に応じた収支情報を取得して、これを提示するようにしても良い。これにより、可変表示１回あたりに要する遊技媒体数と収支との関連性を踏まえて入力を行うことができる。なお、各遊技場のホールコンピュータ１２００において、自己の遊技場の集計結果に基づいて「通常状態であるときの可変表示１回あたりに要する遊技媒体数」および「時短状態であるときの可変表示１回あたりに要する遊技媒体数」に応じた収支情報を算出して、これを提示するようにしても良い。
【０１０７】
可変表示１回あたりに要する遊技媒体数が入力された場合には（Ｓ４０７でＹＥＳ）、導入日数を０に設定して（Ｓ４０８）、シミュレーション上の営業時間を開始する（Ｓ４０９）。例えば、仮想時刻を１０：００と設定する。次いで、遊技実行シミュレーションを実行する（Ｓ４１０）。遊技実行シミュレーションでは、１の遊技者が所定の遊技機で遊技を開始してから遊技を終了するまでの期間における収支をシミュレートする。図１５には、遊技実行シミュレーションのフローチャートを示している。
【０１０８】
遊技実行シミュレーションでは、まず遊技が開始されたか否かを判定する（Ｓ４２０）。ここで遊技が開始されたか否かの判定は、図１７（ａ）に示すように、所定の判定基準に基づいて行われる。この例では、仮想時刻が１０：００〜１８：００の場合には、６０％の割合で遊技が開始されたと判定し、仮想時刻が１８：００〜２０：００の場合には、２０％の割合で遊技が開始されたと判定し、仮想時刻が２０：００〜２２：００の場合には、５％の割合で遊技が開始されたと判定する。
【０１０９】
ここで、ホールコンピュータ１２００には、前述したように打込信号が入力されており、打込信号が入力されている期間を遊技期間、打込信号が入力されていない期間を非遊技期間として特定可能である。従って、非遊技期間において所定時間以内に遊技が開始される確率を時間帯毎に集計可能である。例えば、非遊技期間において１５分以内に何％の確率で遊技が開始されるのかを時間帯毎（１０：００〜１８：００，１８：００〜２０：００，２０：００〜２２：００）に集計可能である。また、ホールコンピュータ１２００がこれらの集計結果を管理装置１２５０に送信することにより、管理装置１２５０において、各遊技場毎の統計データあるいは複数の遊技場の平均をとった統計データを作成して、各遊技場に提供することが可能である。図１７（ａ）に示す判定基準は、管理装置１２５０から得られた当該遊技場の統計データ（例えば前月分の集計結果に基づく統計データ）の一例であるものとする。なお、各遊技場のホールコンピュータ１２００において、自己の遊技場の集計結果に基づいて判定基準を作成し、その判定基準に基づく償却シミュレーションを実行するようにしても良い。また、各遊技場のホールコンピュータ１２００において、任意の判定基準を作成し、その判定基準に基づく償却シミュレーションを実行するようにしても良い。
【０１１０】
図１７（ａ）示す例では、仮想時刻が１８：００以降は遊技開始の確率が低下し、仮想時刻が２０：００を過ぎると遊技開始の確率がさらに低下するという実情を反映したシミュレーションが実行される。Ｓ４２０で遊技が開始されていないと判定された場合には、営業時間を加算する。例えば仮想時刻に１５分加算するものとする。そして、営業時間が終了したか（仮想時刻が２２：００以降であるか）否かを判定し（Ｓ４２１）、営業時間が終了していなければ（Ｓ４２１でＮＯ）、再度Ｓ４２０以降の処理を実行する。営業時間が終了していれば（Ｓ４２１でＹＥＳ）、遊技実行シミュレーションを完了する。
【０１１１】
Ｓ４２０で遊技が開始されたと判定された場合には（ＹＥＳ）、通常状態（低確率／低ベース状態）、すなわち低確率状態における判定基準に基づいて大当りとするか否かを判定する（Ｓ４２２）。この例では１／３９９の確率で大当りとすると判定する。さらに、通常状態において可変表示が開始されてから表示結果が導出表示されるまでの変動時間（例えば平均変動時間）を営業時間に加算する。例えば仮想時刻に１０秒加算するものとする。さらに、通常状態における可変表示１回あたりに要する遊技媒体数を打込玉数に加算する（Ｓ４２３）。
【０１１２】
そして、大当りとすると判定されたか否かを確認する（Ｓ４２４）。はずれと判定されていた場合には（Ｓ４２４でＮＯ）、遊技を終了するか否かを判定する（Ｓ４５０）。そして遊技を終了しないと判定した場合には（Ｓ４５０でＮＯ）、再度Ｓ４２２以降の処理を実行し、遊技を終了すると判定した場合には（Ｓ４５０でＹＥＳ）、遊技実行シミュレーションを完了する。一方、大当りとすると判定されていた場合には（Ｓ４２４でＹＥＳ）、大当り種別の判定を行う（Ｓ４２５）。ここで、遊技状態が低確率状態である場合には、図１６（ｂ）に示した割合で大当り種別を決定し、遊技状態が高確率状態である場合には、図１６（ｃ）に示した割合で大当り種別を決定する。遊技状態が高確率状態であるか又は低確率状態であるかは、前回の大当り（後述するＳ４３０の判定）が確変大当りであったか又は通常大当りであったかに基づいて判定される。なお、当該営業日において大当りが発生していない場合には低確率状態であるとして、図１６（ｂ）に示した割合で大当り種別を決定する。
【０１１３】
そして、決定した大当り種別に応じた出玉数を賞球数に加算する（Ｓ４２６）。また、大当り種別に応じて営業時間を加算する。例えば、１５Ｒ大当りの場合には、仮想時刻に３分を加算し、７Ｒ大当りの場合には、仮想時刻に１分３０秒を加算する。そして、営業時間が終了したか（仮想時刻が２２：００以降であるか）否かを判定し（Ｓ４２７）、営業時間が終了していなければ（Ｓ４２７でＮＯ）、Ｓ４３０以降の処理に移行する。営業時間が終了していれば（Ｓ４２７でＹＥＳ）、遊技実行シミュレーションを完了する。
【０１１４】
Ｓ４３０では、決定された大当り種別が確変大当りであるかまたは通常大当りであるかを確認する。確変大当りである場合には（Ｓ４３０でＹＥＳ）、高確率状態における判定基準に基づいて大当りとするか否かを判定する（Ｓ４３１）。この例では１／４０の確率で大当りとすると判定する。さらに、時短状態（高ベース状態）において可変表示が開始されてから表示結果が導出表示されるまでの変動時間（例えば平均変動時間）を営業時間に加算する。例えば仮想時刻に３秒加算するものとする。さらに、時短状態における可変表示１回あたりに要する遊技媒体数を打込玉数に加算する（Ｓ４３２）。
【０１１５】
そして、大当りとすると判定されたか否かを確認する（Ｓ４３３）。大当りとすると判定されていた場合には（Ｓ４３３でＹＥＳ）、再度、Ｓ４２５以降の処理を実行する。はずれと判定されていた場合には（Ｓ４３３でＮＯ）、営業時間が終了したか（仮想時刻が２２：００以降であるか）否かを判定する（Ｓ４３４）。営業時間が終了していなければ（Ｓ４３４でＮＯ）、再度Ｓ４３１以降の処理を実行する。営業時間が終了していれば（Ｓ４３４でＹＥＳ）、遊技実行シミュレーションを完了する。
【０１１６】
Ｓ４３０において、確変大当りでない場合、すなわち通常大当りである場合には（ＮＯ）、低確率状態における判定基準に基づいて大当りとするか否かを判定する（Ｓ４３５）。この例では１／３９９の確率で大当りとすると判定する。さらに、時短状態（高ベース状態）において可変表示が開始されてから表示結果が導出表示されるまでの変動時間（例えば平均変動時間）を営業時間に加算する。例えば仮想時刻に３秒加算するものとする。さらに、時短状態における可変表示１回あたりに要する遊技媒体数を打込玉数に加算する（Ｓ４３６）。
【０１１７】
そして、大当りとすると判定されたか否かを確認する（Ｓ４３７）。大当りとすると判定されていた場合には（Ｓ４３７でＹＥＳ）、再度、Ｓ４２５以降の処理を実行する。はずれと判定されていた場合には（Ｓ４３７でＮＯ）、営業時間が終了したか（仮想時刻が２２：００以降であるか）否かを判定する（Ｓ４３８）。営業時間が終了していれば（Ｓ４３８でＹＥＳ）、遊技実行シミュレーションを完了する。営業時間が終了していなければ（Ｓ４３８でＮＯ）、時短状態が終了したか否か、すなわち、通常大当りから７０回の可変表示が実行されたか否かを判定する（Ｓ４３９）。時短状態が終了していなければ（Ｓ４３９でＮＯ）、再度Ｓ４３５以降の処理を実行する。時短状態が終了していれば（Ｓ４３９でＹＥＳ）、再度Ｓ４２２以降の処理を実行する。
【０１１８】
このように、Ｓ４２１，Ｓ４２７，Ｓ４３４，Ｓ４３８において営業時間が終了したと判定されたときには、遊技実行シミュレーションが完了する。また、前述したＳ４５０においては、以下に説明する判定基準に基づいて遊技を終了するか否かを判定する。なお、Ｓ４５０の判定処理において、前回Ｓ４５０の判定処理が実行されたときの仮想時刻から１５分を経過していなければ、ＮＯと判定されて再度Ｓ４２２以降の処理が実行されることになる。すなわちＳ４５０の判定処理は、仮想時刻１５分以上の間隔を以て実行される。
【０１１９】
図１７（ｂ）に示すように、Ｓ４５０の判定時における仮想時刻が１０：００〜２０：００の範囲であるときには、打込玉数−賞球数により算出される差玉数の範囲に応じて、異なる割合で遊技を終了すると判定する。ここで、差玉数＞０のときには、遊技場にとっての収支がプラスとなっており、差玉数＜０のときには、遊技者にとっての収支がプラスとなっている。まず、２５００＞差玉数＞−２５００のときには２５％の割合で遊技を終了すると判定する。また、２５００≦差玉数のときには２５％の割合で遊技を終了すると判定する。また、差玉数≦−２５００のときには３５％の割合で遊技を終了すると判定する。
【０１２０】
一方で、図１７（ｂ）に示すように、Ｓ４５０の判定時における仮想時刻が２０：００〜２２：００の範囲であるときには、２５００＞差玉数＞−２５００のときには３５％の割合で遊技を終了すると判定する。また、２５００≦差玉数のときには３０％の割合で遊技を終了すると判定する。また、差玉数≦−２５００のときには６０％の割合で遊技を終了すると判定する。すなわち、営業時間終了前の所定期間（２時間）は、遊技者の収支が所定値以上のプラスとなっている場合、遊技者はその収支を悪化させずに当日の遊技を終了したいと考えるため、遊技を終了する割合が高い。これと比較して、遊技者の収支が所定値以上のマイナスとなっている場合、遊技者は収支を少しでも回復させて当日の遊技を終了させたいと考えるため、可能な限り遅くまで遊技を継続するという傾向がある。この図１７（ｂ）に示す遊技終了確率の設定は、このような実情が反映されたものである。なお、２２：００以降は営業時間終了後であるため、１００％の割合で遊技を終了すると判定する。
【０１２１】
ここで、ホールコンピュータ１２００には、前述したように各遊技機に対応する打込信号と賞球信号が入力されている。そして、打込信号が入力されている期間を遊技期間、打込信号が入力されていない期間を非遊技期間として特定可能である。これにより、１の遊技者による遊技期間（遊技の開始と終了）を特定可能であり、その遊技期間における打込玉数と賞球数との差から当該遊技機期間における収支を集計可能となる。従って、営業時間中の各時間帯において、収支（例えば差玉数）に応じた遊技終了確率を集計可能となる。例えば、収支に応じて１５分以内に何％の確率で遊技が終了するのかを集計可能である。また、各遊技機からは高ベース状態に制御されているときに時短信号が出力されているので、ホールコンピュータ１２００は、時短信号が入力されていない期間（高ベース状態を抜けた期間）における収支（例えば差玉数）に応じた遊技終了確率を集計可能となる。例えば、通常状態において収支に応じて１５分以内に何％の確率で遊技が終了するのかを集計可能である。これによりＳ４５０の遊技終了判定の基準となる適切なデータを集計可能である。また、ホールコンピュータ１２００がこれらの集計結果を管理装置１２５０に送信することにより、管理装置１２５０において、各遊技場毎の統計データあるいは複数の遊技場の平均をとった統計データを作成して、各遊技場に提供することが可能である。図１７（ｂ）に示す判定基準は、管理装置１２５０から得られた当該遊技場の統計データ（例えば前月分の集計結果に基づく統計データ）の一例であるものとする。
【０１２２】
図１４に戻り、Ｓ４１０の遊技実行シミュレーションが完了すると、当該遊技実行シミュレーションに係る打込玉数および賞球数を一旦０にリセットする。このときの差玉数は、当該遊技実行シミュレーションの結果として対応する記憶領域に保存した後に０にリセットする。そして、営業時間が終了したか（仮想時刻が２２：００以降であるか）否かを判定する（Ｓ４１１）。営業時間が終了していなければ（Ｓ４１１でＮＯ）、再度、Ｓ４１０の遊技実行シミュレーションを実行する。一方、営業時間が終了していれば（Ｓ４１１でＹＥＳ）、当該導入日数の差玉数を算出する（Ｓ４１２）。当該導入日数の差玉数は、当該導入日数に係る遊技実行シミュレーションの差玉数の合計値として算出される。
【０１２３】
そして、Ｓ４１２で算出された差玉数に基づいて当該導入日数における償却額を算出し（例えば４円遊技機の場合には差玉数×４）、現在の償却残額から算出した償却額を減算する（Ｓ４１３）。そして、導入日数に１を加算する（Ｓ４１５）。そして、減算更新後の償却残額が０以下となったか否かを判定する（Ｓ４１６）。０以下となっていなければ（Ｓ４１６でＮＯ）、再度Ｓ４０９以降の処理を実行する。すなわち、翌営業日に係る遊技実行シミュレーションを実行する。一方、Ｓ４１６で減算更新後の償却残額が０以下となった場合には（Ｓ４１６でＹＥＳ）、現在の導入日数を償却日数として表示装置１２０６に表示して（Ｓ４１７）、償却シミュレーションを完了する。
【０１２４】
Ｓ４１７の処理によって、図１８に示すように、Ｓ４０３で選択された機種およびＳ４０６で入力された１変動に要する打込玉数（通常時および時短時）と共に、算出された償却日数が表示される。償却シミュレーションは、Ｓ４０３で選択する機種やＳ４０６で入力する打込玉数を異ならせて連続的に実行することが可能である。その結果、図１８に示すように、機種毎の償却日数が、入力された打込玉数と共に表示される。これにより遊技場の管理者は、１変動に要する打込玉数毎に償却日数を比較することができる。この例では、ＣＲ−ＡＡＡに関して、通常時の１変動に要する打込玉数が１６発、時短時の１変動に要する打込玉数が４発に設定されたときに償却日数が２０日と算出され、通常時の１変動に要する打込玉数が１４発、時短時の１変動に要する打込玉数が４発に設定されたときに償却日数が２３日と算出されている。
【０１２５】
このようにして算出される償却日数は、遊技場の営業時間終了前の所定期間において、収支がプラスの遊技者よりも収支がマイナスの遊技者の方が継続して遊技を行いやすいという実情を反映させたシミュレーション結果である。仮に、遊技場の営業時間終了前におけるこのような実情を反映させずにシミュレーションを実行した場合、信頼性のある結果は得られず、償却日数の誤算により遊技場が損害を被ることにもなりかねない。本実施形態では、営業時間終了前の遊技者の立ち回りに即したシミュレーションを実行することにより、算出される償却日数の信頼性を高めている。
【０１２６】
図１９は、導入日数の経過に応じた償却残額の推移を示すグラフであり、償却シミュレーションの実行中に表示装置１２０６に表示される。Ｓ４１３における償却残額の更新に対応した棒グラフの推移により、徐々に償却残額が減少する様子を示している。この例では、導入日数が２１日のときに償却残額が０となっており、この場合の償却日数は２１日となる。なお、この実施形態では、遊技実行シミュレーションにおける大当りとするか否かの判定は、当該判定のタイミングで抽出した乱数値が、大当り判定テーブルに設定されている大当り判定値のいずれかに合致するか否かに基づいて行われる。通常状態（低確率状態）で参照される大当り判定テーブルは、大当り判定値の範囲が狭く、高確率状態で参照される大当り判定テーブルは、大当り判定値の範囲が広い。これにより、この実施形態に係る遊技実行シミュレーションでは、大当りが発生する頻度をランダム化しており、実際の遊技形態と同様の形態としている。従って、図１９に示すように、営業日によっては、遊技場の収支がプラスとなる日（償却残額が前日より減少する日）もあればマイナスとなる日（償却残額が前日よりも増加する日）もあり、実際の償却形態と同様の形態となる。
【０１２７】
（第１実施形態の変形例）
上記の第１実施形態では、予め統計データとして作成されている稼働率曲線に基づいて償却日数を算出する例について説明したが、これに限らず、第４実施形態と同様に、遊技機における実際の遊技を想定した遊技実行シミュレーションに基づいて償却日数を算出するようにしても良い。例えば、図２０に示すように、ＭＡＸタイプに対応した遊技開始率および遊技終了率を時間帯毎に設定して、ＭＡＸタイプを対象とした遊技実行シミュレーションを実行することにより償却日数を算出するようにしても良い。ここで、遊技開始率は遊技が行われていない遊技機で所定期間（例えば１５分）以内に遊技が開始される確率であり、遊技終了率は遊技が行われている遊技機で所定期間（例えば１５分）以内に遊技が終了される確率とする。また、ライトタイプに対応した遊技開始率および遊技終了率を時間帯毎に設定して、ライトタイプを対象とした遊技実行シミュレーションを実行することにより償却日数を算出するようにしても良い。この図２０に示す例では、営業時間終了前の所定期間（２０：００〜２２：００）において、ＭＡＸタイプで遊技が開始される確率がライトタイプよりも低く、ＭＡＸタイプでの遊技が終了される確率がライトタイプよりも高いという実情が反映されている。
【０１２８】
（第２実施形態の変形例）
上記の第２実施形態では、予め統計データとして作成されている稼働率曲線に基づいて償却日数を算出する例について説明したが、これに限らず、第４実施形態と同様に、遊技機における実際の遊技を想定した遊技実行シミュレーションに基づいて償却日数を算出するようにしても良い。例えば、図２１に示すように、会員モデルに対応した遊技開始率および遊技終了率を時間帯毎に設定して、会員モデルを対象とした遊技実行シミュレーションを実行することにより償却日数を算出するようにしても良い。ここで、遊技開始率は遊技が行われていない遊技機で所定期間（例えば１５分）以内に遊技が開始される確率であり、遊技終了率は遊技が行われている遊技機で所定期間（例えば１５分）以内に遊技が終了される確率とする。また、ビジタモデルに対応した遊技開始率および遊技終了率を時間帯毎に設定して、ビジタモデルを対象とした遊技実行シミュレーションを実行することにより償却日数を算出するようにしても良い。この図２１に示す例では、営業時間終了前の所定期間（２１：００〜２２：００）において、ビジタモデルでの遊技が終了される確率が会員モデルよりも高いという実情が反映されている。
【０１２９】
（第３実施形態の変形例）
上記の第３実施形態では、予め統計データとして作成されている稼働率曲線に基づいて償却日数を算出する例について説明したが、これに限らず、第４実施形態と同様に、遊技機における実際の遊技を想定した遊技実行シミュレーションに基づいて償却日数を算出するようにしても良い。例えば、図２２に示すように、４円モデルに対応した遊技開始率および遊技終了率を時間帯毎に設定して、４円モデルを対象とした遊技実行シミュレーションを実行することにより償却日数を算出するようにしても良い。ここで、遊技開始率は遊技が行われていない遊技機で所定期間（例えば１５分）以内に遊技が開始される確率であり、遊技終了率は遊技が行われている遊技機で所定期間（例えば１５分）以内に遊技が終了される確率とする。また、１円モデルに対応した遊技開始率および遊技終了率を時間帯毎に設定して、１円モデルを対象とした遊技実行シミュレーションを実行することにより償却日数を算出するようにしても良い。この図２２に示す例では、営業時間終了前の所定期間（２０：００〜２２：００）において、４円モデルでの遊技が終了される確率が１円モデルよりも高いという実情が反映されている。
【０１３０】
（第４実施形態の変形例）
上記の第４実施形態において、第１実施形態と同様に、導入日数の経過に伴う稼働率の低下を反映させた償却シミュレーションを実行するようにしても良い。例えば、第１実施形態と同様に、入力された収支情報（第４実施形態では１変動に要する打込玉数）に応じた集客指数曲線を取得するようにしておき、集客指数曲線における当該導入日数に係る集客指数を、図１７（ａ）に示す遊技開始率に乗じるようにしても良い。すなわち、図１７（ａ）の遊技開始率は遊技機の導入初日における遊技開始率としておき、その遊技開始率×当該導入日数に係る集客指数を、当該導入日数に係る遊技開始率と決定するようにしても良い。また、［集客指数曲線における当該導入日数に係る集客指数の逆数］を、図１７（ｂ）に示す遊技終了率に乗じるようにしても良い。すなわち、図１７（ｂ）の遊技終了率は遊技機の導入初日における遊技終了率としておき、その遊技終了率×［当該導入日数に係る集客指数の逆数］を、当該導入日数に係る遊技終了率と決定するようにしても良い。
【０１３１】
（第１実施形態〜第４実施形態の任意の組み合わせ）
上記第１実施形態から上記第４実施形態のうち、複数のシミュレーションを組み合わせて実行するようにしても良い。例えば、遊技機の仕様とその遊技機で使用される遊技媒体の貸与価値を相違させたシミュレーションを実行するようにしても良い。このようにした場合には、例えば、１７：００以降はライトタイプの稼働率がＭＡＸタイプの稼働率を上回って推移し、１８：００以降は１円遊技機の稼働率が４円遊技機の稼働率を上回って推移する（遊技場の営業時間終了前の所定期間が異なる）という実情を反映したシミュレーションが可能となる。
【０１３２】
（管理装置の変形例）
上記の実施形態において、管理装置が各遊技場における遊技者の投資金額、遊技時間、台移動回数、性別や年代等の属性情報を集計し、統計データとして各遊技場の情報管理装置（例えばホールコンピュータ）に提供し、情報管理装置側では、受信した統計データに基づいて遊技実行シミュレーションを行うようにしても良い。遊技実行シミュレーションでは、遊技者の属性情報に応じて遊技時間や投資金額を異ならせたシミュレーションを実行するようにすると良い。
【０１３３】
（遊技機および遊技用装置の変形例）
上記の実施形態では、遊技機がパチンコ遊技機である例について説明したが、これに限らず、遊技機はスロットマシンであっても良い。例えば、第１実施形態に係るシミュレーション対象とする遊技機として、ＡＲＴ（アシストリプレイタイム）が付与されるスロットマシンと、ＡＲＴが付与されないスロットマシンを対象としたシミュレーションを実行するようにしても良い。この場合に、遊技場の営業時間終了前の所定期間は、ＡＲＴが付与されるスロットマシンと比較してＡＲＴが付与されないスロットマシンの稼働率が高くなることを反映させた償却シミュレーションを実行するようにすると良い。また、例えば、第１実施形態に係るシミュレーション対象とする遊技機として、ビッグボーナスの発生確率が低いスロットマシンと、ビッグボーナスの発生確率が高いスロットマシンを対象としたシミュレーションを実行するようにしても良い。この場合に、遊技場の営業時間終了前の所定期間は、ビッグボーナスの発生確率が低いスロットマシンと比較してビッグボーナスの発生確率が高いスロットマシンの稼働率が高くなることを反映させた償却シミュレーションを実行するようにすると良い。
【０１３４】
上記の実施形態では、パチンコ遊技機や、該パチンコ遊技機に対応して設けられ該パチンコ遊技機において遊技に使用されて該パチンコ遊技機から排出された遊技球（アウト玉）を計数するアウト玉計数器からの出力信号がホールコンピュータ１２００に入力される例について説明したが、このとき遊技機やアウト玉計数器から出力される信号は、後述する遊技機の例に示すように遊技状態（大当り遊技状態や高ベース状態）に応じてＯＮ／ＯＦＦに切り替わる信号や事象発生毎（所定の賞球数または打込玉数毎）のパルス信号であり、且つ各信号に対応する信号線が定められているため各信号の識別自体は極めて容易である。これに対して遊技機からの出力情報を暗号化等することによってセキュリティを高めたものがある。このような遊技機からの外部出力情報が直接的にホールコンピュータ１２００等の情報管理装置に入力されたとしても、その外部出力情報の復号化等の機能を有していなければ、その遊技機の遊技情報を集計することができない問題がある。このような遊技機に対応して以下のような遊技用装置（例えばカードユニット）を設置するようにすると良い。
【０１３５】
すなわち上記の遊技機および情報管理装置と通信可能であり、遊技機により生成された情報を情報管理装置に送信する送信手段を備え、送信手段は遊技機により生成された情報を情報管理装置向けに変換して送信する又は変換する装置に中継するための情報変換手段（例えば外部出力端子）を備える。これによれば、遊技機により生成された情報を直接的には情報管理装置で識別できない場合でも、遊技機により生成された情報が情報管理装置向けに変換されて入力されるので、このような遊技機の遊技情報を集計可能である。
【０１３６】
また、上記のような遊技機では、入賞の発生により所定の遊技点を付与するとともに遊技点を用いた遊技が可能である。これに対応して設けられる上記の遊技用装置は、さらに、貸与操作を受付けたことに基づいて、受付けられた貨幣のうちの少なくとも一部を用いて加算する遊技点を特定可能な情報を遊技機に送信する遊技点送信手段（例えば、カードユニットによって玉貸ボタンの操作が受付けられたことに基づいて、受付けられた貨幣のうちの少なくとも一部を用いて加算する遊技点を特定可能な情報が遊技機に送信される）と、計数操作を受付けたことに基づいて、遊技機が記憶している遊技点を特定可能な情報を遊技機から受信する遊技点受信手段（例えばカードユニットによって各台計数装置での計数操作を受け付けたことに基づいて、遊技機が記憶している遊技点を特定可能な情報が遊技機から送信される）とを備える。
【０１３７】
これによれば、遊技機は、入賞の発生により所定の遊技点を付与するとともに遊技点を用いた遊技が可能であり、遊技用装置によって、貸与操作が受付けられたことに基づいて、受付けられた貨幣のうちの少なくとも一部を用いて加算する遊技点を特定可能な情報が遊技機に送信され、計数操作を受付けたことに基づいて、遊技機が記憶している遊技点を特定可能な情報が遊技機から受信される。このため、入賞の発生により所定の遊技点を付与するとともに遊技点を用いた遊技が可能な遊技機に対応することが可能な遊技用装置を提供することができる。
【０１３８】
上記の遊技用装置は、さらに上記遊技機および鍵管理サーバ等の管理装置と通信可能に接続され、上記遊技機を認証するための上記遊技機及び上記管理装置の通信のやり取りにおいてデータを転送する認証データ転送手段（例えば認証・通信制御回路）を備える。
【０１３９】
これによれば、遊技用装置は、上記遊技機および上記管理装置と通信可能に接続され、遊技用装置によって、遊技機を認証するための遊技機および管理装置の通信のやり取りにおいてデータが転送される。このため、遊技機のセキュリティの向上に寄与することが可能な遊技用装置を提供することができる。
【０１４０】
以上に説明した情報管理装置は、以下に示す第１の遊技機、第２の遊技機、および第３の遊技機のそれぞれに関する遊技情報を管理することが可能である。また、情報管理装置は、第１の遊技機、第２の遊技機、および第３の遊技機の稼働をそれぞれシミュレート可能であり、例えば前述したように償却日数を算出することも可能である。以下では、まず、第１の遊技機およびその遊技情報を管理する情報管理装置について説明し、次に、第２の遊技機およびその遊技情報を管理する情報管理装置について説明し、最後に、第３の遊技機およびその遊技情報を管理する情報管理装置について説明する。
【０１４１】
［第１の遊技機およびその遊技情報を管理する情報管理装置］
図２３に示す情報管理装置としてのホールコンピュータ１２００は、遊技場において複数配置された遊技島に並設される第１の遊技機としてのパチンコ遊技機１における遊技にて発生した遊技情報を管理する。遊技情報は、図２４に示すパチンコ遊技機１や、該パチンコ遊技機１に対応して設けられているアウト玉計数器１１２０等から出力される各種信号に基づいて集計される。
【０１４２】
（第１の遊技機）
第１の遊技機の一例であるパチンコ遊技機１の全体の構成について説明する。図２４はパチンコ遊技機１を正面からみた正面図である。
【０１４３】
パチンコ遊技機１は、縦長の方形状に形成された外枠（図示せず）と、外枠の内側に開閉可能に取り付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取り付けられる機構板（図示せず）と、それらに取り付けられる種々の部品（後述する遊技盤６を除く）とを含む構造体である。
【０１４４】
ガラス扉枠２の下部表面には打球供給皿（上皿）３がある。打球供給皿３の下部には、打球供給皿３に収容しきれない遊技球を貯留する余剰球受皿４や、打球を発射する打球操作ハンドル（操作ノブ）５が設けられている。また、ガラス扉枠２の背面には、遊技盤６が着脱可能に取り付けられている。なお、遊技盤６は、それを構成する板状体と、その板状体に取り付けられた種々の部品とを含む構造体である。また、遊技盤６の前面には、打ち込まれた遊技球が流下可能な遊技領域７が形成されている。
【０１４５】
該遊技領域７には、中央に設けられる演出表示装置９の天辺からみて、左側の左遊技領域７Ａ（第１遊技領域）と、右側の右遊技領域７Ｂ（第２遊技領域）とがある。第１遊技領域である左遊技領域７Ａと、第２遊技領域である右遊技領域７Ｂは、例えば遊技領域７内における演出表示装置９の端面や遊技釘の配列などにより区分けされていればよい。打球発射装置から発射されて遊技領域７に打ち込まれた遊技球は、左遊技領域７Ａへと誘導された場合に、例えば遊技釘の配列に沿って誘導されることにより、右遊技領域７Ｂへと誘導不可能または誘導困難となり、また右遊技領域７Ｂへと誘導された場合に、例えば遊技釘の配列に沿って誘導されることにより、左遊技領域７Ａへと誘導不可能または誘導困難となる。
【０１４６】
遊技領域中央に配置される演出表示装置９の下方には、流入口９２より遊技球を受け入れて、受け入れた遊技球を揺動部材９３により第１始動入賞口１３ａと第２始動入賞口１３ｂに交互に振り分ける振分装置９０が設けられている。右遊技領域７Ｂには、演出表示装置９の右側にゲート３２が設けられ、誘導部材３９ｂの上方に特別可変入賞球装置２０が設けられている。
【０１４７】
ここで、流入口９２は、演出表示装置９の直下に設けられているが、左遊技領域７Ａを狙って遊技球を打ち込む左打ちを行った場合に遊技球が流入し易く、右遊技領域７Ｂを狙って遊技球を打ち込む右打ちを行った場合には、遊技球の流下経路上に設けられる遊技釘や誘導部材３９ａ〜３９ｃの配置によって遊技球が流入し難くなっている。第１始動入賞口１３ａを有する入賞装置は、振分装置９０により左遊技領域７Ａ側に振り分けられた遊技球が入賞可能な位置に設けられ、第２始動入賞口１３ｂを有する入賞装置は、振分装置９０により右遊技領域７Ｂ側に振り分けられた遊技球が入賞可能な位置に設けられている。このように、第１始動入賞口１３ａおよび第２始動入賞口１３ｂは、いずれも振分装置９０を経由した遊技球が入賞可能な位置に配置されている。また、第２始動入賞口１３ｂの右上方には、可変入賞球装置１５が設けられている。可変入賞球装置１５は、可動翼片の傾動制御によって開放状態となる。可変入賞球装置１５が開放状態にあるときには、右遊技領域７Ｂに発射された遊技球が第２始動入賞口１３ｂに入賞可能となる。
【０１４８】
このように、この実施の形態において、可変入賞球装置１５は第２始動入賞口１３ｂに対応して設けられているため、可変入賞球装置１５への遊技球の入賞は、第２始動入賞口１３ｂへの遊技球の入賞に相当する。すなわち、可変入賞球装置１５への遊技球の入賞に基づいて第２特別図柄を可変表示させるための第２始動条件が成立する。
【０１４９】
この実施の形態では、右遊技領域７Ｂに、遊技球が通過可能な通過領域としてのゲート３２が設けられている。遊技者が左打ちを行っているときには、遊技球がゲート３２を通過することがないため、可変入賞球装置１５が開放状態となることはないが、振分装置９０を経由した遊技球が第２始動入賞口１３ｂに入賞することを期待できる。一方、遊技者が右打ちを行っているときには、遊技球がゲート３２を通過することにより、普通図柄の可変表示が開始され、当り図柄が導出表示された場合には、可変入賞球装置１５が開放状態となり、右遊技領域７Ｂに発射された遊技球が第２始動入賞口１３ｂに入賞することを期待できる。すなわち、左打ちを行っている場合および右打ちを行っている場合のいずれにおいても、第２始動入賞口１３ｂに遊技球が入賞することを期待できる。
【０１５０】
図２５〜図２７を用いて、振分装置９０について説明する。図２５に示すように、振分装置９０は、遊技盤６から遊技領域側に突設された部材９２ａ〜９２ｃと、部材９２ａ〜９２ｃに囲まれた振分領域に設けられた揺動部材９３により構成される。部材９２ａおよび９２ｂによって流入口９２が形成され、部材９２ａおよび９２ｃによって揺動部材９３から第１始動入賞口１３ａへの遊技球経路が形成され、部材９２ｂおよび９２ｃによって揺動部材９３から第２始動入賞口１３ｂへの遊技球経路が形成される。図２５に示すように、可変入賞球装置１５が開放状態にないときは、部材９２ｂの下端部と第２始動入賞口１３ｂとの間を遊技球が通過することができず、振分装置９０を経由しない遊技球は第２始動入賞口１３ｂに入賞不可能となっている。一方、図２６に示すように、可変入賞球装置１５が開放状態にあるときは、部材９２ｂの下端部と第２始動入賞口１３ｂとの間を遊技球が通過することが可能となり、振分装置９０を経由しない右遊技領域７Ｂに発射された遊技球が第２始動入賞口１３ｂに入賞可能となっている。
【０１５１】
左右に揺動可能な揺動部材９３は、軸部９３ａを中心に回転可能に構成されている。揺動部材９３の左下方と右下方には、それぞれ、揺動部材９３の回転移動を規制する左突起部９３ｃと右突起部９３ｂとが配置されている。揺動部材９３は、流入口９２から流入した遊技球を左下方に位置する第１始動入賞口１３ａに向けて導く第１球受け部９３ｅと、流入口９２から流入した遊技球を右下方に位置する第２始動入賞口１３ｂに向けて導く第２球受け部９３ｄと、を備えている。各球受け部に入球した遊技球の重心が軸部９３ａと左右方向においてずれて位置するように構成されている。入球した遊技球の自重により揺動部材４０が回転移動して、遊技球を左右交互に振り分ける。
【０１５２】
次いで、図２７を用いて、揺動部材９３による遊技球の振分け態様について説明する。揺動部材９３の傾斜態様によって、流入口９２から流入した遊技球はいずれかの球受け部に流入する。図２７（ａ）に示すように、第１球受け部９３ｅに入球した遊技球の重心は、軸部９３ａより左側にずれて位置しており、軸部９３ａに対して反時計回りに回転する。揺動部材９３は、所定角度移動すると左突起部９３ｃに当たり、回転移動が規制されて図２７（ｂ）に示す状態となる。第１球受け部９３ｅに入球した遊技球は、第１球受け部９３ｅから落下して、第１始動入賞口１３ａに向けて流下する。この状態では、遊技球を入球可能な位置に第２球受け部９３ｄが配置されている。次いで流入口９２から入球した遊技球は、図２７（ｃ）に示すように、第２球受け部９３ｄに入球する。第２球受け部９３ｄに入球した遊技球の重心は、軸部９３ａより右側にずれて位置しており、軸部９３ａに対して時計回りに回転する。揺動部材９３は、所定角度移動すると右突起部９３ｂに当たり、回転移動が規制されて図２７（ｄ）に示す状態となる。第２球受け部９３ｄに入球した遊技球は、第２球受け部９３ｄから落下して、第２始動入賞口１３ｂに向けて流下する。この状態では、遊技球を入球可能な位置に第１球受け部９３ｅが配置されている。次いで流入口９２から入球した遊技球は、図２７（ａ）に示すように、第１球受け部９３ｅに入球する。このような動作が繰り返し実行されることにより、流入口９２に流入した遊技球は、流入した順序に従って、第１始動入賞口１３ａと第２始動入賞口１３ｂとに交互に振り分けられることになる。
【０１５３】
第１始動入賞口１３ａに入賞した遊技球は、遊技盤６の背面に導かれ、第１始動口スイッチ１４ａによって検出される。第２始動入賞口１３ｂに入賞した遊技球は、遊技盤６の背面に導かれ、第２始動口スイッチ１５ａによって検出される。可変入賞球装置１５は、ソレノイド１６によって開状態とされる。可変入賞球装置１５が開状態になることによって、図２６に示すように、右遊技領域７Ｂに発射された振分装置９０を経由しない遊技球が第２始動入賞口１３ｂに入賞可能になり、遊技者にとって有利な状態になる。可変入賞球装置１５が開状態に制御されているときには右遊技領域７Ｂに発射された可変入賞球装置１５に向かう遊技球は第２始動入賞口１３ｂに極めて入賞しやすい。また、可変入賞球装置１５が閉状態になっている状態では、振分装置９０を経由しない遊技球は第２始動入賞口１３ｂに入賞しない。従って、左打ちが実行されているときには、流入口９２に遊技球が流入し、流入順に第１始動入賞口１３ａと第２始動入賞口１３ｂに交互に遊技球が入賞することになる。一方、右打ちが実行されているときには、振分装置９０を経由しない遊技球が第２始動入賞口１３ｂに入賞することになるため、第２始動入賞口１３ｂへの入賞が連続することになる。
【０１５４】
以下、第１始動入賞口１３ａと第２始動入賞口１３ｂとを総称して始動入賞口または始動口ということがある。
【０１５５】
図２３に戻り、大当り遊技状態中は、特別可変入賞球装置２０が開放される。この特別可変入賞球装置２０は、誘導部材ｂの上方に配置されており、右打ちしたときに誘導部材３９ａや遊技釘により誘導された遊技球が入賞しやすい位置にある。
【０１５６】
遊技者は、遊技状態が通常状態（低確率／低ベース状態）のときは、特別可変入賞球装置２０が開放されず、仮に右打ちを行ってゲート３２に遊技球を通過させても可変入賞球装置１５が高い割合では開放されないため、左遊技領域７Ａを狙って遊技球を打ち込む左打ちを行い、該遊技球を流入口９２に入球させようとする。即ち、振分装置９０を経由して、遊技球を第１始動入賞口１３ａまたは第２始動入賞口１３ｂに入賞させようとする。遊技状態が高ベース状態（高確率／高ベース状態又は低確率／高ベース状態）のときには、ゲート３２に遊技球を通過させると可変入賞球装置１５が高い割合で開放されるため、右遊技領域７Ｂを狙って遊技球を打ち込む右打ちを行い、該遊技球を第２始動入賞口１３ｂに入賞させる。大当り遊技状態では、特別可変入賞球装置２０が開放されるため、右遊技領域７Ｂを狙って遊技球を打ち込む右打ちを行い、該遊技球を特別可変入賞球装置２０に入賞させる。
【０１５７】
遊技領域７の中央付近には、液晶表示装置（ＬＣＤ）で構成された演出表示装置９が設けられている。演出表示装置９の表示画面には、第１特別図柄または第２特別図柄の可変表示に同期した演出図柄の可変表示を行う演出図柄表示領域がある。よって、演出表示装置９は、演出図柄の可変表示を行う可変表示装置に相当する。演出図柄表示領域には、例えば「左」、「中」、「右」の３つの装飾用（演出用）の演出図柄を可変表示する図柄表示エリアがある。図柄表示エリアには「左」、「中」、「右」の各図柄表示エリアがあるが、図柄表示エリアの位置は、演出表示装置９の表示画面において固定的でなくてもよいし、図柄表示エリアの３つ領域が離れてもよい。演出表示装置９は、演出制御基板に搭載されている演出制御用マイクロコンピュータ（図示せず）によって制御される。演出制御用マイクロコンピュータが、第１特別図柄表示器８ａで第１特別図柄の可変表示が実行されているときに、その可変表示に伴って演出表示装置９で演出表示を実行させ、第２特別図柄表示器８ｂで第２特別図柄の可変表示が実行されているときに、その可変表示に伴って演出表示装置９で演出表示を実行させるので、遊技の進行状況を把握しやすくすることができる。
【０１５８】
演出表示装置９に変動表示される図柄の表示結果が大当り図柄（例えば左中右の図柄が同じ図柄で揃った図柄の組み合わせ）となる場合には「大当り」となり、変動表示状態は終了する。また、演出表示装置９に変動表示される図柄の表示結果が大当り図柄でない場合には「はずれ」となり、変動表示状態は終了する。遊技者は、大当りをいかにして発生させるかを楽しみつつ遊技を行う。
【０１５９】
演出表示装置９の表示画面の右上方部には、演出図柄と後述する特別図柄および普通図柄とに次ぐ第４図柄を表示する第４図柄表示領域９ｃ，９ｄが設けられている。この実施の形態では、後述する第１特別図柄の変動表示に同期して第１特別図柄用の第４図柄の変動表示が行われる第１特別図柄用の第４図柄表示領域９ｃと、第２特別図柄の変動表示に同期して第２特別図柄用の第４図柄の変動表示が行われる第２特別図柄用の第４図柄表示領域９ｄとが設けられている。
【０１６０】
なお、第１特別図柄用の第４図柄と第２特別図柄用の第４図柄とを、第４図柄と総称することがあり、第１特別図柄用の第４図柄表示領域９ｃと第２特別図柄用の第４図柄表示領域９ｄを、第４図柄表示領域と総称することがある。
【０１６１】
演出表示装置９の右下方には、識別情報としての第１特別図柄を可変表示する第１特別図柄表示器（第１可変表示部）８ａが設けられている。この実施の形態では、第１特別図柄表示器８ａは、０〜９の数字を可変表示可能な簡易で小型の表示器（例えば７セグメントＬＥＤ）で実現されている。すなわち、第１特別図柄表示器８ａは、０〜９の数字（または、記号）を可変表示するように構成されている。また、演出表示装置９の右下方（第１特別図柄表示器８ａの右隣）には、識別情報としての第２特別図柄を可変表示する第２特別図柄表示器（第２可変表示部）８ｂも設けられている。第２特別図柄表示器８ｂは、０〜９の数字を可変表示可能な簡易で小型の表示器（例えば７セグメントＬＥＤ）で実現されている。すなわち、第２特別図柄表示器８ｂは、０〜９の数字（または、記号）を可変表示するように構成されている。
【０１６２】
小型の表示器は、例えば方形状に形成されている。また、この実施の形態では、第１特別図柄の種類と第２特別図柄の種類とは同じ（例えば、ともに０〜９の数字）であるが、種類が異なっていてもよい。また、第１特別図柄表示器８ａおよび第２特別図柄表示器８ｂは、それぞれ、例えば、００〜９９の数字（または、２桁の記号）を可変表示するように構成されていてもよい。
【０１６３】
以下、第１特別図柄と第２特別図柄とを特別図柄と総称することがあり、第１特別図柄表示器８ａと第２特別図柄表示器８ｂとを特別図柄表示器（可変表示部）と総称することがある。
【０１６４】
第１特別図柄の可変表示は、可変表示の実行条件である第１始動条件が成立（例えば、遊技球が第１始動入賞口１３ａを通過）した後、可変表示の開始条件（例えば、第１保留記憶数が０でない場合であって、第１特別図柄および第２特別図柄の可変表示が実行されていない状態であり、かつ、大当り遊技状態に制御されていない状態）が成立したことにもとづいて開始され、可変表示時間（変動時間）が経過すると表示結果（停止図柄）を導出表示する。なお、遊技球が通過するとは、入賞口やゲートなどのあらかじめ入賞領域として定められている領域を遊技球が通過したことであり、入賞口に遊技球が入った（入賞した）ことを含む概念である。また、表示結果を導出表示するとは、図柄（識別情報の例）を最終的に停止表示させることである。
【０１６５】
第２特別図柄の可変表示は、可変表示の実行条件である第２始動条件が成立（例えば、遊技球が第２始動入賞口１３ｂを通過）した後、可変表示の開始条件（例えば、第２保留記憶数が０でない場合であって、第１特別図柄および第２特別図柄の可変表示が実行されていない状態であり、かつ、大当り遊技状態に制御されていない状態）が成立したことにもとづいて開始され、可変表示時間（変動時間）が経過すると表示結果（停止図柄）を導出表示する。
【０１６６】
この実施の形態では、第１特別図柄および第２特別図柄の可変表示は、第１始動条件および第２始動条件の成立順序に従って実行される。従って、左打ちが実行されているときには、遊技球が振分装置９０を経由して第１始動入賞口１３ａおよび第２始動入賞口１３ｂに交互に入賞することになるため、第１特別図柄の可変表示と第２特別図柄の可変表示が交互に実行されることになる。一方、右打ちが実行されているときには、遊技球が振分装置９０を経由せずに第２始動入賞口１３ｂに連続して入賞することになるため、第２特別図柄の可変表示が連続して実行されることになる。
【０１６７】
第１特別図柄表示器８ａの上方には、第１始動入賞口１３ａへの有効始動入賞数すなわち第１保留記憶数（保留記憶を、始動記憶または始動入賞記憶ともいう。）を表示する４つの表示器からなる第１特別図柄保留記憶表示器１８ａが設けられている。有効始動入賞とは、第１保留記憶数が上限値(本例では４）に達していない状態での第１始動入賞口１３ａへの遊技球の入賞、または、第２保留記憶数が上限値(本例では４）に達していない状態での第２始動入賞口１３ｂへの遊技球の入賞をいう。第１特別図柄保留記憶表示器１８ａは、第１入賞口１３ａへの有効始動入賞がある毎に、点灯する表示器の数を１増やす。そして、第１特別図柄表示器８ａでの可変表示が開始される毎に、点灯する表示器の数を１減らす。
【０１６８】
また、第２特別図柄表示器８ｂの上方には、第２始動入賞口１３ｂへの有効始動入賞数すなわち第２保留記憶数を表示する４つの表示器からなる第２特別図柄保留記憶表示器１８ｂが設けられている。第２特別図柄保留記憶表示器１８ｂは、第２始動入賞口１３ｂへの有効始動入賞がある毎に、点灯する表示器の数を１増やす。そして、第２特別図柄表示器８ｂでの可変表示が開始される毎に、点灯する表示器の数を１減らす。
【０１６９】
また、演出表示装置９の表示画面の下部には、第１保留記憶数と第２保留記憶数との合計である合計数（合算保留記憶数）を表示する合算保留記憶表示部１８ｃが設けられている。合算保留記憶表示部１８ｃには、最大で８となる合算保留記憶数に対応した保留記憶表示の表示領域（表示領域１〜８）が設けられている。第１始動入賞口１３ａへの有効始動入賞が生じたときには、合算保留記憶表示部１８ｃにおいて保留記憶表示が表示されていない表示領域のうちの左端の表示領域(例えば表示領域１)に第１保留記憶表示（例えば白の保留球表示）が表示され、第２始動入賞口１３ｂへの有効始動入賞が生じたときに、合算保留記憶表示部１８ｃにおいて保留記憶表示が表示されていない表示領域のうちの左端の表示領域(例えば表示領域２)に第２保留記憶表示（例えば青の保留球表示）が表示される。合計数を表示する合算保留記憶表示部１８ｃが設けられていることによって、変動表示の開始条件が成立していない実行条件の成立数の合計を把握しやすくすることができる。このように、この実施の形態では、合算保留記憶表示部１８ｃにおいて、第１保留記憶表示と第２保留記憶表示とが第１始動入賞口１３ａおよび第２始動入賞口１３ｂへの入賞順に並べて表示されるとともに、第１保留記憶表示であるか第２保留記憶表示であるかを認識可能な態様で表示される。
【０１７０】
演出表示装置９は、第１特別図柄表示器８ａによる第１特別図柄の可変表示時間中、および第２特別図柄表示器８ｂによる第２特別図柄の可変表示時間中に、装飾用（演出用）の図柄としての演出図柄の可変表示を行う。第１特別図柄表示器８ａにおける第１特別図柄の可変表示と、演出表示装置９における演出図柄の可変表示とは同期している。また、第２特別図柄表示器８ｂにおける第２特別図柄の可変表示と、演出表示装置９における演出図柄の可変表示とは同期している。また、第１特別図柄表示器８ａにおいて大当り図柄が停止表示されるときと、第２特別図柄表示器８ｂにおいて大当り図柄が停止表示されるときには、演出表示装置９において大当りを想起させるような演出図柄の組み合わせが停止表示される。
【０１７１】
なお、この実施の形態では、特別図柄の変動表示を制御する遊技制御用マイクロコンピュータ（図示せず）が変動時間を特定可能な変動パターンコマンドを送信し、演出制御用マイクロコンピュータによって、受信した変動パターンコマンドで特定される変動時間に従って演出図柄の変動表示が制御される。そのため、変動パターンコマンドにもとづいて変動時間が特定されることから、特別図柄の変動表示と演出図柄の変動表示とは、原則として同期して実行される。
【０１７２】
演出表示装置９の周囲の飾り部において、上方には、モータ８６の回転軸に取り付けられ、モータ８６が回転すると演出表示装置９の前方に移動する可動部材７８が設けられている。例えば、可動部材７８は、大当り図柄の停止表示時に動作することにより、遊技者に大当りを報知する。
【０１７３】
また、図２４に示すように、右遊技領域７Ｂには、大入賞口を形成する特別可変入賞球装置２０が設けられている。特別可変入賞球装置２０は開閉板を備え、第１特別図柄表示器８ａに特定表示結果（大当り図柄）が導出表示されたときと、第２特別図柄表示器８ｂに特定表示結果（大当り図柄）が導出表示されたときに生起する特定遊技状態（大当り遊技状態）においてソレノイド２１によって開閉板が開放状態に制御されることによって、入賞領域となる大入賞口が開放状態になる。大入賞口に入賞した遊技球はカウントスイッチ２３ａで検出される。
【０１７４】
演出表示装置９の左方には、普通図柄を可変表示する普通図柄表示器１０が設けられている。この実施の形態では、普通図柄表示器１０は、０〜９の数字を可変表示可能な簡易で小型の表示器（例えば７セグメントＬＥＤ）で実現されている。すなわち、普通図柄表示器１０は、０〜９の数字（または、記号）を可変表示するように構成されている。また、小型の表示器は、例えば方形状に形成されている。なお、普通図柄表示器１０は、例えば、００〜９９の数字（または、２桁の記号）を可変表示するように構成されていてもよい。また、普通図柄表示器１０は、７セグメントＬＥＤなどにかぎらず、例えば、所定の記号表示を点灯表示可能な表示器（例えば、「○」や「×」を交互に点灯表示可能な装飾ランプ）で構成されていてもよい。
【０１７５】
遊技球がゲート３２を通過しゲートスイッチ３２ａで検出されたときには、ゲート通過に基づく当り判定用乱数（ＭＲ５）が抽出される。抽出された当り判定用乱数は、普通図柄保留記憶数が上限値（例えば４）に達していないことを条件に、普通図柄保留記憶として記憶され、これに伴い普通図柄保留記憶数が１加算される。そして、普通図柄保留記憶数が０ではなく、普通図柄の可変表示が実行されておらず、且つ、当り図柄が導出表示されたことに伴う可変入賞球装置１５の開放制御期間（複数回の開放制御が行われる場合には一連の開放制御の開始から終了までの期間）でないことを条件として、普通図柄表示器１０の表示の可変表示が開始され、これに伴い普通図柄保留記憶数が１減算される。
【０１７６】
そして、普通図柄表示器１０における停止図柄が所定の図柄（当り図柄。例えば、図柄「７」。）である場合に、可変入賞球装置１５が所定回数、所定時間だけ開状態になる。すなわち、可変入賞球装置１５の状態は、普通図柄の停止図柄が当り図柄である場合に、遊技者にとって不利な状態から有利な状態（右打ちされた遊技球が第２始動入賞口１３ｂに入賞可能な状態）に変化する。普通図柄表示器１０の近傍には、ゲート３２を通過した入賞球数を表示する４つのＬＥＤによる表示部を有する普通図柄保留記憶表示器４１が設けられている。普通図柄保留記憶表示器４１は、普通図柄保留記憶数に応じた数のＬＥＤを点灯させるものである。ゲート３２を遊技球が通過する毎に、すなわちゲートスイッチ３２ａによって遊技球が検出される毎に、普通図柄保留記憶表示器４１は点灯するＬＥＤを１増やす。そして、普通図柄表示器１０の可変表示が開始される毎に、点灯するＬＥＤを１減らす。
【０１７７】
左遊技領域７Ａには、普通入賞装置の入賞口２９ａ〜２９ｃが設けられ、入賞口２９ａ〜２９ｃに入賞した遊技球は入賞口スイッチ３０ａによって検出される。右遊技領域７Ｂには、普通入賞装置の入賞口２９ｄが設けられ、入賞口２９ｄに入賞した遊技球は入賞口スイッチ３０ｂによって検出される。各入賞口２９ａ〜２９ｄは、遊技球を受け入れて入賞を許容する領域として遊技盤６に設けられる入賞領域を構成している。なお、第１始動入賞口１３ａ、第２始動入賞口１３ｂや、特別可変入賞球装置２０の大入賞口も、遊技球を受け入れて入賞を許容する入賞領域を構成する。
【０１７８】
遊技盤６の下部には、入賞しなかった打球が取り込まれるアウト口２６がある。また、遊技盤６の外側の左右上下部には、所定の音声出力として効果音や音声を発する４つのスピーカ２７が設けられている。遊技盤６の外周には、天枠ＬＥＤ２８ａ、左枠ＬＥＤ２８ｂおよび右枠ＬＥＤ２８ｃが設けられている。天枠ＬＥＤ２８ａ、左枠ＬＥＤ２８ｂおよび右枠ＬＥＤ２８ｃは、遊技機に設けられている装飾発光体の一例である。
【０１７９】
打球供給皿３を構成する部材においては、遊技者により操作可能な操作手段としての操作ボタン１２０が設けられている。操作ボタン１２０には、遊技者が押圧操作をすることが可能な押しボタンスイッチが設けられている。なお、操作ボタン１２０は、遊技者による押圧操作が可能な押しボタンスイッチが設けられているだけでなく、遊技者による回転操作が可能なダイヤルも設けられている。遊技者は、ダイヤルを回転操作することによって、所定の選択（例えば演出の選択）を行うことができる。
【０１８０】
遊技機には、遊技者が打球操作ハンドル５を操作することに応じて遊技球を打撃して遊技領域７に発射する打球発射装置（図示せず）が設けられている。打球発射装置は、タッチセンサ基板（図示せず）上の回路によって制御される発射モータ（図示せず）を含み、発射モータが回転することによって遊技球を遊技領域７に向けて発射する。遊技者が打球操作ハンドル５に触れていることはタッチセンサおよびタッチセンサ回路（遊技者が打球操作ハンドル５に触れているか否かを検出するための検出回路等を含む回路）で検出され、タッチセンサ回路からの信号がオフ状態を示している場合には、発射モータの駆動を停止する。
【０１８１】
タッチセンサ基板（図示せず）には、間欠的に繰り返しパルス（ステッピングモータとしての発射モータの各相に供給されるパルス信号）を発生するパルス発生器と、単発パルスを発生する単発パルス発生器とが設けられている。タッチセンサ回路からの信号がオン状態を示している場合に、パルス発生器が発生するパルスが発射モータに供給される。さらに、打球操作ハンドル５に、または、打球操作ハンドル５の近傍に、発射停止スイッチ（図示せず）が設けられ、発射停止スイッチが操作されているときにはパルス発生器のパルス出力が停止される。
【０１８２】
なお、パルス発生器のパルス出力は、払出制御基板（図示せず）からの発射制御信号がオフ状態になったときにも停止される。また、打球発射装置には単発発射スイッチが設けられ、単発発射スイッチが操作されると、単発パルス発生器が発生する単発パルスが発射モータに供給される。
【０１８３】
なお、ここに示す例では、タッチセンサ基板にパルス発生器が設けられているが、発射モータに供給されるパルスの発生機能を払出制御基板に持たせてもよい。その場合には、例えば、払出制御用マイクロコンピュータがパルスを発生し、発生されたパルスはタッチセンサ基板で中継されて発射モータに供給される。また、発射停止スイッチの出力は払出制御用マイクロコンピュータに入力され、払出制御用マイクロコンピュータは、下皿満タンや補給球切れが生じたとき、および発射停止スイッチの出力がオフ状態になったときに、パルス出力を停止する。
【０１８４】
また、打球発射装置は、遊技球を遊技領域７に打出す打球ハンマ、打球ハンマを付勢するためのコイルばね、コイルばねで付勢された打球ハンマを付勢された位置から解放させるためのカム機構を備え、カム機構が発射モータにより駆動される。そして、打球操作ハンドル５の回動によりコイルばねの固定位置を変化させてばねの付勢力を調整し、その結果として、打球ハンマの遊技球を打出す力（発射強度）が調整される。
【０１８５】
打球発射装置としては、ステッピングモータによる発射モータやロータリソレノイドの軸に直接打球ハンマを固定して遊技球を打出す方式のものがある。そのように構成されている場合には、打球操作ハンドル５の回動角度（位置）を可変抵抗器により検出し、検出結果に応じて駆動源としてのステッピングモータおよびロータリソレノイドの動作速度を上げることにより遊技球を打出す力（発射強度）が調整される。
【０１８６】
前述のそれぞれの構成において、打球発射装置の発射強度を調整する操作が可能な発射強度操作手段は、回動可能な打球操作ハンドル５に相当する。なお、打球発射装置による遊技球の発射を停止させる操作が可能な発射停止操作手段は、発射停止スイッチに相当する。
【０１８７】
打球発射装置から発射された遊技球は、遊技領域７を囲むように円形状に形成された打球レールを通って遊技領域７に入り、その後、遊技領域７を下りてくる。遊技球が第１始動入賞口１３ａに入り第１始動口スイッチ１４ａで検出されると、第１特別図柄の可変表示を開始できる状態であれば（例えば、特別図柄の可変表示が終了し、第１の開始条件が成立したこと）、第１特別図柄表示器８ａにおいて第１特別図柄の可変表示（変動）が開始されるとともに、演出表示装置９において演出図柄の可変表示が開始される。すなわち、第１特別図柄および演出図柄の可変表示は、第１始動入賞口１３ａへの入賞に対応する。第１特別図柄の可変表示を開始できる状態でなければ、第１保留記憶数が上限値に達していないことを条件として、第１保留記憶数を１増やす。
【０１８８】
遊技球が第２始動入賞口１３ｂに入り第２始動口スイッチ１５ａで検出されると、第２特別図柄の可変表示を開始できる状態であれば（例えば、特別図柄の可変表示が終了し、第２の開始条件が成立したこと）、第２特別図柄表示器８ｂにおいて第２特別図柄の可変表示（変動）が開始されるとともに、演出表示装置９において演出図柄の可変表示が開始される。すなわち、第２特別図柄および演出図柄の可変表示は、第２始動入賞口１３ｂへの入賞に対応する。第２特別図柄の可変表示を開始できる状態でなければ、第２保留記憶数が上限値に達していないことを条件として、第２保留記憶数を１増やす。
【０１８９】
この実施の形態において、大当り遊技状態（特定遊技状態）とは、大当りを開始することが報知されてから、所定数のラウンド（例えば、１５ラウンド）にわたって大入賞口が開放する制御が行われ、最終ラウンドの大入賞口の開放を終了して大当りを終了することが報知されるまでの状態である。
【０１９０】
この実施の形態において、低ベース状態とは、遊技球が始動入賞口に有効始動入賞しやすくなるように制御されていない遊技状態であり、高ベース状態とは、低ベース状態よりも遊技球が始動入賞口に有効始動入賞しやすくなる（例えば、第１特別図柄表示器８ａや第２特別図柄表示器８ｂにおける可変表示の実行条件が成立しやすくなる）ように制御された遊技状態である。
【０１９１】
この実施の形態において、低確率状態とは、特別図柄変動開始時の大当り判定処理において、大当り判定値として低確率状態時の判定値（高確率状態時の判定値よりも狭い範囲の値）を用いる状態であり、大当りとなる確率が高められていない状態をいう。高確率状態とは、特別図柄変動開始時の大当り判定処理において、大当り判定値として高確率状態時の判定値（低確率状態よりも広い範囲の値）を用いる状態であり、大当りとなる確率が高められている状態をいう。
【０１９２】
遊技制御用マイクロコンピュータは、特別図柄の可変表示を開始するときに、その表示結果を大当り図柄とするか否かを判定する大当り判定処理を行う。また、大当り判定処理において表示結果を大当り図柄とすると判定した場合には、表示結果を確変大当り図柄とするか又は通常大当り図柄とするかをさらに判定する。即ち、大当り種別を確変大当りとするか又は通常大当りとするかを決定する。
【０１９３】
特別図柄の可変表示結果が確変大当り図柄となった場合には、大当り遊技状態終了時に遊技状態を高確率／高ベース状態に移行し、次回の大当り遊技状態が開始されるまで高確率／高ベース状態が継続される。また、特別図柄の可変表示結果が通常大当り図柄となった場合には、大当り遊技状態終了時に遊技状態を低確率／高ベース状態に移行し、特別図柄の可変表示が５０回実行されるか又は次回の大当り遊技状態が開始されるまで低確率／高ベース状態が継続される。大当り遊技状態終了時に遊技状態を低確率／高ベース状態に移行し、その後に大当り遊技状態が開始されること無く特別図柄の可変表示が５０回実行された場合には、その後の遊技状態は低確率／低ベース状態となる。
【０１９４】
この実施の形態においては、遊技状態として、低確率／低ベース状態、高確率／高ベース状態、および低確率／高ベース状態が存在する。以下の説明において低確率／低ベース状態を通常状態と称する場合がある。通常状態において遊技者は左打ちを行い、流入口９２に遊技球を流入させて第１始動入賞口１３ａや第２始動入賞口１３ｂに遊技球を入賞させようとする。また、大当り遊技状態や高ベース状態（低確率／高ベース状態、高確率／高ベース状態）において遊技者は右打ちを行い、大当り遊技状態において開放される大入賞口や可変入賞球装置１５が開放状態に制御されているときの第２始動入賞口１３ｂに遊技球を入賞させようとする。
【０１９５】
遊技制御用マイクロコンピュータは、普通図柄の可変表示を開始するときに、ゲート３２を遊技球が通過したときに抽出された当り判定用乱数（ＭＲ５）を用いた当り判定を実行する。該当り判定において当りとすると判定されたときには、普通図柄表示器１０に可変表示結果として当り図柄が導出表示され、該当り判定において当りとしない（はずれとする）と決定されたときには、普通図柄表示器１０に可変表示結果としてはずれ図柄が導出表示される。
【０１９６】
ここで、低ベース状態（通常状態）においては、当り判定を実行するときに所定割合（例えば２／１３）で当りと判定される。また、普通図柄の変動時間は所定時間（例えば１０秒）となっている。また、普通図柄表示器１０に当り図柄が導出表示されたときに、所定期間の開放制御（例えば０．５秒×１回の合計０．５秒の開放制御）が実行される。
【０１９７】
一方、高ベース状態（低確率／高ベース状態、高確率／高ベース状態）においては、当り判定を実行するときに前記所定割合よりも高い割合（例えば１１／１３）で当りと判定される。また、普通図柄の変動時間は前記所定時間時間よりも短い時間（例えば１秒）となっている。また、普通図柄表示器１０に当り図柄が導出表示されたときに、前記所定期間よりも長い開放制御（例えば２．５秒×２回の合計５秒の開放制御）が実行される。
【０１９８】
このように、高ベース状態においては、普通図柄の変動時間（可変表示時間）が短縮される普通図柄短縮変動制御、普通図柄の可変表示結果が当り図柄となる確率が高められる普通図柄確変制御、および普通図柄の可変表示結果が当り図柄となったことに基づいて可変入賞球装置１５が開状態となる時間が延長される開放延長制御が行われる。さらに特別図柄の変動時間（可変表示時間）が短縮される特別図柄短縮変動制御も行われる。高ベース状態においてこれらの４つの制御が実行されることで、第２始動入賞口１３ｂに有効始動入賞しやすくなる。
【０１９９】
即ち、普通図柄短縮変動制御によって、普通図柄の変動時間が短縮される（例えば普通図柄短縮変動制御が実行されない場合の変動時間が１０秒であるのに対し、普通図柄短縮変動制御が実行された場合の変動時間が１秒になる）ことで、普通図柄の変動が開始される頻度が高くなり、結果として普通図柄が当りとなる頻度が高くなり、可変入賞球装置１５が開状態となる割合も高まり、第２始動入賞口１４に有効始動入賞し易くなる。また、普通図柄確変制御によって、普通図柄表示器１０における停止図柄が当り図柄になる確率が高められる（例えば普通図柄確変制御が実行されない場合の確率が２／１３であるのに対し、普通図柄確変制御が実行された場合の確率が１１／１３になる）ことで、可変入賞球装置１５が開状態となる頻度も高まり、第２始動入賞口１３ｂに有効始動入賞し易くなる。また、開放延長制御によって、普通図柄表示器１０における停止図柄が当り図柄になった場合の可変入賞球装置１５が開状態となる時間が延長される（例えば開放延長制御が実行されない場合の開放時間が０．５秒×１回（合計０．５秒）であるのに対し、開放延長制御が実行された場合の開放時間は２．５秒×２回（合計５秒）になる）ことで、第２始動入賞口１３ｂに有効始動入賞し易くなる。さらに、特別図柄の変動時間（可変表示期間）が短縮される特別図柄短縮変動制御によって、特別図柄の変動時間が短縮されるので、特別図柄の変動が開始される頻度が高くなり（換言すれば、第１保留記憶や第２保留記憶の消化が速くなり）、無効な始動入賞が生じてしまう事態を低減して、有効始動入賞し易くすることができる。
【０２００】
なお、この実施の形態では、高ベース状態において可変入賞球装置１５の１回の開閉動作における開放時間が延長される（０．５秒から２．５秒になる）と共に、開放回数も多くなる（１回から２回になる）例を示しているが、１回の開閉動作における開放時間が延長されて、開放回数は変化しないようにしても良く（例えば５．０秒×１回）、１回の開閉動作における開放時間は延長されず、開放回数が多くなるようにしても良い（例えば０．５秒×１０回）。いずれの場合にも、普通図柄表示器１０における停止図柄が当り図柄になったことに伴い可変入賞球装置１５が開状態となる合計時間は増加することになる。
【０２０１】
このように、実施の形態においては、普通図柄短縮変動制御、普通図柄確変制御、および開放延長制御が行われることにより可変入賞球装置が開放制御される割合が高められる例を示しているが、普通図柄短縮変動制御、普通図柄確変制御、および開放延長制御のいずれか１つ、あるいは２つの制御が実行されることによっても可変入賞球装置が開放制御される割合が高められることになる。
【０２０２】
本実施形態では、図２４に示すように、右遊技領域７Ｂにゲート３２が設けられていて、右打ち状態で右遊技領域７Ｂに発射された遊技球の一部は、ゲート３２上方に配置された遊技釘により誘導されて、ゲート３２を通過する。
【０２０３】
右遊技領域７Ｂに発射された遊技球は、ゲート３２の下方に配置された遊技釘に衝突して進路を変えつつ流下するものの、最終的にはゲート３２のさらに下方に配置された誘導部材３９ａ又は誘導部材３９ｂの誘導面（上面）に高確率で落下して、誘導部材３９ａ〜３９ｃや、誘導部材３９ｂと可変入賞球装置１５との間に配置された遊技釘によって、可変入賞球装置１５に誘導される。即ち、右遊技領域７Ｂに発射された遊技球の大半は可変入賞球装置１５に誘導されることになる。従って、可変入賞球装置１５が開放状態にあるときには、遊技釘により誘導された遊技球が高確率で第２始動入賞口１３ｂに入賞する。
【０２０４】
なお、誘導部材３９ａや遊技釘によって誘導された遊技球は、特別可変入賞球装置２０に向けて誘導され、開放状態であれば、特別可変入賞球装置２０の大入賞口に入賞するようになっている。よって、大当り遊技状態では、遊技者は右打ちして右遊技領域７Ｂに遊技球を打ち込めば、遊技球が特別可変入賞球装置２０の大入賞口に入賞することを期待できる。
【０２０５】
遊技制御用マイクロコンピュータは、第１始動口スイッチ１４ａ、第２始動口スイッチ１５ａ、カウントスイッチ２３ａ、入賞口スイッチ３０ａ，３０ｂのいずれかがオンしたことに基づく入賞検出に応じて、払出制御基板（図示せず）に搭載されている払出制御用マイクロコンピュータに、賞球個数を示す払出制御コマンドとしての賞球個数コマンド（賞球個数信号）を出力する。払出制御用マイクロコンピュータは、賞球個数コマンドが示す賞球個数に応じて駆動信号を供給することで、球払出装置（図示せず）を駆動する。球払出装置には、賞球を払出す払出モータが備えられている。払出制御用マイクロコンピュータにより払出モータが回転駆動制御されることにより、払出制御用マイクロコンピュータにより指定された個数の賞球が球払出装置から払出される。
【０２０６】
この場合、払出制御基板側において、賞球払出が検出され、１０個の賞球が払い出される毎に、賞球信号がパチンコ遊技機１の裏面側上部に設けられたターミナル基板（図示せず）を介して外部出力される。
【０２０７】
この実施の形態では、第１特別図柄表示器８ａにおいて特別図柄の変動表示が終了して表示結果が導出表示されたときに、第１特別図柄が確定したことを示す第１図柄確定信号が、ターミナル基板を介して外部出力される。第２特別図柄表示器８ｂにおいて特別図柄の変動表示が終了して表示結果が導出表示されたときに、第２特別図柄が確定したことを示す第２図柄確定信号が、ターミナル基板を介して外部出力される。第１図柄確定信号および第２図柄確定信号は、いずれも所定幅のパルス信号である。
【０２０８】
また、この実施の形態では、第１始動口スイッチ１４ａにより遊技球が検出されたときに、第１始動入賞口１３ａに遊技球が入賞したことを示す第１始動口通過信号が、ターミナル基板を介して外部出力される。第２始動口スイッチ１５ａにより遊技球が検出されたときに、第２始動入賞口１３ｂに遊技球が入賞したことを示す第２始動口通過信号が、ターミナル基板を介して外部出力される。第１始動口通過信号および第２始動口通過信号は、いずれも所定幅のパルス信号である。
【０２０９】
また、この実施の形態では、大当り遊技状態に制御されたときに、大当り遊技状態に制御されていることを示す大当り信号が、ターミナル基板を介して外部出力される。大当り信号は大当り遊技状態の開始から大当り遊技状態の終了（最終ラウンドの終了）まで出力される（ＯＮとなる）信号である。また、高ベース状態（低確率／高ベース状態、高確率／高ベース状態）に制御されたときに、高ベース状態に制御されていることを示す時短信号が、ターミナル基板を介して外部出力される。時短信号は高ベース状態の開始から高ベース状態の終了まで出力される（ＯＮとなる）信号である。
【０２１０】
また、この実施の形態では、高ベース状態に制御されていない期間に、第１始動口スイッチ１４ａにより遊技球を検出することなく第２始動口スイッチ１５ａにより遊技球を所定回数以上（例えば５回）連続して検出する連続入賞異常を検出した場合には、異常検出を示すセキュリティ信号が、ターミナル基板を介して外部出力される。例えば、ＣＰＵ５６は、前述した保留特定領域において、低ベース状態に制御されている期間内に「第２」を示す値が所定回数以上連続して記憶されるか否かを、保留特定領域への記憶が生じる毎に確認しており、低ベース状態に制御されている期間内に「第２」を示す値が所定回数以上連続して記憶された場合には、異常検出を示すセキュリティ信号が外部出力される。また、この実施の形態では、図示しない磁気検知センサにより磁気が検出された場合や、図示しない電波検出センサにより不正電波が検出された場合にも、セキュリティ信号が外部出力される。すなわち、ＣＰＵ５６が遊技機における何らかの異常を検出したときには、異常検出を示す共通のセキュリティ信号が出力される。セキュリティ信号は所定幅のパルス信号である。
【０２１１】
また、前述したように、賞球が１０個払い出される毎にターミナル基板から賞球信号が出力される。賞球信号は所定幅のパルス信号である。
【０２１２】
図２３に戻り、上述したパチンコ遊技機１の下方には、該パチンコ遊技機１において遊技に使用されて、該パチンコ遊技機１から排出された遊技球（アウト玉）を計数するアウト玉計数器１１２０が設けられている。所定数（例えば１０玉）のアウト玉が計数される毎にアウト玉計数器１１２０から打込信号が出力される。打込信号は所定幅のパルス信号である。
【０２１３】
ターミナル基板から出力される賞球信号、第１図柄確定信号、第２図柄確定信号、第１始動口通過信号、第２始動口通過信号、大当り信号、時短信号、およびセキュリティ信号、ならびに、アウト玉計数器１１２０から出力される打込信号が、台端末１２２０等の中継機器および通信ケーブルを介してホールコンピュータ１２００の通信部１２０７に入力されることで、該ホールコンピュータ１２００において各パチンコ遊技機１の遊技情報を集計できるようになっている。
【０２１４】
台端末１２２０等の中継機器には複数のパチンコ遊技機１（およびこれに対応するアウト玉計数器１１２０）からの出力信号が入力される。台端末１２２０等の中継機器からは、入力信号に対応させて当該信号を出力した（または当該信号を出力したアウト玉計数器１１２０に対応する）パチンコ遊技機１を識別可能な台識別情報（例えば中継機器の信号入力端子に対応して付された識別情報）が出力される。これにより、ホールコンピュータ１２００等の情報管理装置においては、台識別情報に対応させた台番号毎に遊技情報を管理することが可能となる。この実施の形態では、ホールコンピュータ１２００は、台端末１２２０等の中継機器を介して接続される各パチンコ遊技機１と通信可能であり、各パチンコ遊技機１の遊技情報を集計するものである。
【０２１５】
（第１の異常判定方法）
次に、ホールコンピュータ１２００が実行する第１の異常判定方法について説明する。ＣＰＵ１２０２は、賞球信号、打込信号、第１図柄確定信号、第２図柄確定信号、第１始動口通過信号、第２始動口通過信号、およびセキュリティ信号の入力、ならびに、大当り信号、および時短信号の切り替わり（ＯＦＦからＯＮ、ＯＮからＯＦＦへの変化）を待機しており、これらの検出に伴い、検出結果に応じた集計処理を実行する。
【０２１６】
ＣＰＵ１２０２は、第１始動口通過信号の入力を検出した場合には、総始動入賞数を１加算し、第１始動入賞数を１加算する。そして、第１始動入賞連続数を１加算し、第２始動入賞連続数を０にリセットし、第１始動入賞連続数が所定数（例えば５）に達しているか否かを判定する。第１始動入賞連続数が所定数に達していなければ処理を終了する。第１始動入賞連続数が所定数に達していれば、第１始動入賞口１３ａへの入賞が所定数以上連続したことに基づく連続入賞異常を報知する。連続入賞異常の報知は、例えば、表示装置１２０６に連続入賞異常が検出された台番号を表示する態様により行われる。
【０２１７】
例えば、第１始動入賞連続数が所定数に達している要因として、振分装置９０の異常等により第１始動入賞口１３ａに連続して遊技球が入賞しているケースが考えられる。このような場合には、ホールコンピュータ１２００において異常を報知することにより、管理者が適切に対処することができる。
【０２１８】
ＣＰＵ１２０２は、第２始動口通過信号の入力を検出した場合には、総始動入賞数を１加算し、第２始動入賞数を１加算する。そして、第２始動入賞連続数を１加算し、第１始動入賞連続数を０にリセットし、時短信号がＯＮの状態であるか否かを判定する。時短信号がＯＮの状態であれば処理を終了する。時短信号がＯＦＦの状態であれば、時短信号がＯＮからＯＦＦに切り替わってから所定入賞数（例えば４）以内であるか否かを判定する。例えば、時短信号がＯＮからＯＦＦに切り替わったときに、時短終了後入賞数カウンタの値を０にリセットするようにしておき、総始動入賞数の加算毎に、時短終了後入賞数カウンタの値を１加算するようにしておく。そして、時短終了後入賞数カウンタの値が所定値（例えば４）以下であるか否かを判定する。
【０２１９】
時短信号がＯＦＦになってから所定入賞数以内であれば処理を終了する。時短信号がＯＦＦになってから所定入賞数を過えていれば、第２始動入賞連続数が所定数（例えば５）に達しているか否かを判定する。第２始動入賞連続数が所定数に達していなければ処理を終了する。第２始動入賞連続数が所定数に達していれば、第２始動入賞口１３ｂへの入賞が所定数以上連続したことに基づく連続入賞異常を報知する。
【０２２０】
例えば、高ベース状態以外の期間に第２始動入賞連続数が所定数に達している要因として、振分装置９０の異常や不正行為等により第２始動入賞口１３ｂに連続して遊技球が入賞しているケースが考えられる。このような場合には、ホールコンピュータ１２００において異常を報知することにより、管理者が適切に対処することができる。特に、遊技機において、第１特別図柄の表示結果が大当り図柄となった場合よりも、第２特別図柄の表示結果が大当り図柄となった場合の方が、遊技者にとって有利な(例えばラウンド数が多い、あるいは１ラウンドあたりの大入賞口開放期間が長い）大当り種別に決定される割合が高く設定されている場合が多い。このような遊技機では、通常状態では連続入賞しない第２始動入賞口１３ｂに連続入賞させるような不正が実行されるおそれがあるため、このような場合に、ホールコンピュータ１２００側で連続入賞異常が報知されることにより、遊技場側で不正の可能性を認識して適切な措置を採ることができる。
【０２２１】
また、この実施の形態では、通常状態において左打ちが行われることにより、遊技球が第１始動入賞口１３ａと第２始動入賞口１３ｂに交互に入賞することになるが、高ベース状態において右打ちが行われることにより、遊技球が第２始動入賞口１３ｂに連続して入賞可能となる。従って、対応する可変入賞球装置が設けられていない第１始動入賞口１３ａに連続して遊技球が入賞する事態は、可変入賞球装置の開放制御状況にかかわらず通常は発生し得ないケースであるため、高ベース状態であるか否かにかかわらず、直ちに連続入賞異常を報知するようにしている。一方、対応する可変入賞球装置１５が設けられている第２始動入賞口１３ｂに連続して遊技球が入賞する事態は、可変入賞球装置の開放制御状況によっては（高ベース状態において）発生し得うるケースであるため、通常は連続入賞が発生し得ない時短信号がＯＦＦの状態である場合にのみ、連続入賞異常を報知するようにしている。このように、通常状態で左打ちが行われて第１始動入賞口１３ａと第２始動入賞口１３ｂに交互に遊技球が振り分けられる遊技機において、適切な異常報知を行うことができる。
【０２２２】
ＣＰＵ１２０２は、セキュリティ信号の入力を検出した場合には、まず、時短信号がＯＮの状態であるか否かを判定する。時短信号がＯＮの状態であれば、連続入賞異常の可能性を含まない遊技機エラーが検出されていることを報知する。時短信号がＯＦＦの状態であれば、連続入賞異常の可能性を含む遊技機エラーが検出されていることを報知する。ここでの連続入賞異常とは、遊技機側において検出される連続入賞異常である。また、遊技機エラーとは、遊技機側で検出された異常である。遊技機エラーの報知は、例えば、表示装置１２０６に台番号と共に所定のメッセージ（「台番号××で連続入賞異常以外の遊技機エラー」、「台番号××で遊技機エラー（連続入賞異常の可能性有り）」）を表示する態様で行われる。
【０２２３】
前述したように、本実施形態におけるパチンコ遊技機１では、高ベース状態に制御されていない期間（時短信号がＯＦＦの期間）に、第１始動口スイッチ１４ａにより遊技球を検出することなく第２始動口スイッチ１５ａにより遊技球を所定回数以上（例えば５回）連続して検出する連続入賞異常を検出した場合には、異常検出を示すセキュリティ信号が出力されるが、連続入賞以外の異常が検出された場合にも、端子数の制限等の事情があるため共通のセキュリティ信号が出力される。ホールコンピュータ１２００側では、セキュリティ信号を受信したとしても、どのような遊技機エラーであるかを特定できないが、遊技機より時短信号が入力されることにより、時短信号がＯＦＦのときには、少なくとも連続入賞異常以外の遊技機エラーであることを特定して、その旨を報知可能である。これにより、遊技者は、連続入賞以外の遊技機エラーであることを把握して、適切な措置を採ることができる。
【０２２４】
以上に示した実施形態に係るホールコンピュータ１２００では、図２８に示すように、パチンコ遊技機１からの時短信号が入力されている期間内（図中の（１）〜（２）の期間内）に第２始動口通過信号が所定回数以上連続して入力されても連続入賞異常を報知しないが、パチンコ遊技機１からの時短信号が入力されていない期間内に第２始動口通過信号が所定回数以上連続して入力された場合(図中の（３）以降の期間）には連続入賞異常を報知する。
【０２２５】
ここで、高ベース状態が終了してから所定入賞数(図２８の例では４）以内の場合には、連続入賞異常が報知されないことになる(図中の（２）〜（３）の期間)。ここで、高ベース状態終了時に既に開始されていた普通図柄の可変表示について、その表示結果が当り図柄となったことに伴い高ベース状態終了後に可変入賞球装置１５が開放制御される場合に、右遊技領域７Ｂに発射された遊技球が高ベース状態終了後にも連続して第２始動入賞口１３ｂに入賞するケースがある。従って、仮にこのような第２始動入賞口１３ｂへの入賞に基づいて連続入賞異常が報知されてしまうと混乱を招くことになるため、この実施形態では、高ベース状態終了後の入賞数が所定数（例えば４）以内のときには、連続入賞異常を報知せず、より適切な連続入賞異常の報知が行われるようにしている。
【０２２６】
（第２の異常判定方法）
次に、第２の異常判定方法について説明する。本実施形態に係るホールコンピュータ１２００は、第１の異常判定方法と異なり、第１始動口通過信号や第２始動口通過信号ではなく、第１図柄確定信号や第２図柄確定信号に基づいて連続入賞異常を判定するものである。なお、本実施形態に係る遊技機からの出力信号は、第１の異常判定方法と同様である。
【０２２７】
ＣＰＵ１２０２は、第１図柄確定信号の入力を検出した場合には、総スタート回数を１加算し、特図１スタート回数を１加算する。そして、特図１スタート連続数を１加算し、特図２スタート連続数を０にリセットし、特図１スタート連続数が所定数（例えば５）に達しているか否かを判定する。特図１スタート連続数が所定数に達していなければ、第１図柄確定信号入力時処理を終了する。特図１スタート連続数が所定数に達していれば、第１特別図柄の可変表示が所定数以上連続したことに基づく連続入賞異常を報知する。
【０２２８】
例えば、特図１スタート連続数が所定数に達している要因として、振分装置９０の異常等により第１始動入賞口１３ａに連続して遊技球が入賞しているケースが考えられる。このような場合には、ホールコンピュータ１２００において異常を報知することにより、管理者が適切に対処することができる。
【０２２９】
ＣＰＵ１２０２は、第２図柄確定信号の入力を検出した場合には、総スタート回数を１加算し、特図２スタート回数を１加算する。そして、特図２スタート連続数を１加算し、特図１スタート連続数を０にリセットし、時短信号がＯＮの状態であるか否かを判定する。時短信号がＯＮの状態であれば、第２図柄確定信号入力時処理を終了する。時短信号がＯＦＦの状態であれば、時短信号がＯＮからＯＦＦに切り替わってから所定変動数（例えば５）以内であるか否かを判定する。例えば、時短信号がＯＮからＯＦＦに切り替わったときに、時短終了後変動数カウンタの値を０にリセットするようにしておき、総スタート回数の加算毎に、時短終了後変動数カウンタの値を１加算するようにしておく。そして、時短終了後変動数カウンタの値が所定値（例えば５）以下であるか否かを判定する。
【０２３０】
時短信号がＯＦＦになってから所定変動数以内であれば、第２図柄確定信号入力時処理を終了する。時短信号がＯＦＦになってから所定変動数を過えていれば、特図２スタート連続数が所定数（例えば５）に達しているか否かを判定する。特図２スタート連続数が所定数に達していなければ、第２図柄確定信号入力時処理を終了する。特図２スタート連続数が所定数に達していれば、第２特別図柄の可変表示が所定数以上連続したことに基づく連続入賞異常を報知する。
【０２３１】
例えば、高ベース状態以外の期間に特図２スタート連続数が所定数に達している要因として、振分装置９０の異常や不正行為等により第２始動入賞口１３ｂに連続して遊技球が入賞しているケースが考えられる。このような場合には、ホールコンピュータ１２００において異常を報知することにより、管理者が適切に対処することができる。特に、遊技機において、第１特別図柄の表示結果が大当り図柄となった場合よりも、第２特別図柄の表示結果が大当り図柄となった場合の方が、遊技者にとって有利な(例えばラウンド数が多い、あるいは１ラウンドあたりの大入賞口開放期間が長い）大当り種別に決定される割合が高く設定されている場合が多い。このような遊技機では、通常状態では連続入賞しない第２始動入賞口１３ｂに連続入賞させるような不正が実行されるおそれがあるため、このような場合に、ホールコンピュータ１２００側で連続入賞異常が報知されることにより、遊技場側で不正の可能性を認識して適切な措置を採ることができる。
【０２３２】
以上に示した第２の異常判定方法では、図２９に示すように、パチンコ遊技機１からの時短信号が入力されている期間内（図中の（１）〜（２）の期間内）に第２図柄確定信号が所定回数以上連続して入力されても連続入賞異常を報知しないが、パチンコ遊技機１からの時短信号が入力されていない期間内に第２図柄確定信号が所定回数以上連続して入力された場合(図中の（３）以降の期間）には連続入賞異常を報知する。
【０２３３】
ここで、高ベース状態が終了してから所定変動数(図２９の例では５）以内の場合には、連続入賞異常が報知されないことになる(図中の（２）〜（３）の期間)。これは、高ベース状態終了後に第２保留記憶に基づく第２特別図柄の可変表示が実行されて第２図柄確定信号が連続して出力される場合があるからである。例えば、高ベース状態に係る右打ちが開始される時点で、振分装置９０の揺動部材９３が図２７（ｃ）の状態になっていたとすると（すなわち次回受け入れた遊技球を第２始動入賞口１３ｂに振り分ける状態になっていたとすると）、仮に、高ベース状態終了時に第２保留記憶数が上限値（本例では４）に達している場合には、高ベース状態終了後に、第２保留記憶数上限値＋１回（本例では合計５回）までは第２特別図柄の可変表示が連続して実行されることになる。従って、仮にこの期間内に連続入賞異常が報知されてしまうと混乱を招くことになるため、この実施形態では、高ベース状態終了後の可変表示回数が所定数（例えば第２保留記憶数上限値＋１＝５）以内の場合には、連続入賞異常を報知せず、より適切な連続入賞異常の報知が行われるようにしている。
【０２３４】
（第３の異常判定方法）
次に、第３の異常判定方法について説明する。本実施形態に係るホールコンピュータ１２００は、第１の異常判定方法と異なり、時短信号の状況ではなく、第２始動口開放信号の状況に基づいて連続入賞異常を判定するものである。なお、本実施形態に係る遊技機からの出力信号は、第１の異常判定方法と異なり、第１特別図柄の可変表示が実行されたときと、第２特別図柄の可変表示が実行されたときとで共通の図柄確定信号が出力される。また、可変入賞球装置１５が開放制御されている期間（開状態）にＯＮとなり、開放制御されていない期間（閉状態）にはＯＦＦとなる第２始動口開放信号が出力される。
【０２３５】
ＣＰＵ１２０２は、第２始動口通過信号の入力を検出した場合には、まず、総始動入賞数を１加算し、第２始動入賞数を１加算する。そして、第２始動入賞連続数を１加算し、第１始動入賞連続数を０にリセットし、第２始動口開放信号がＯＮの状態であるか否かを判定する。第２始動口開放信号がＯＮの状態であれば、第２始動口通過信号入力時処理を終了する。第２始動口開放信号がＯＦＦの状態であれば、第２始動口開放信号がＯＮからＯＦＦに切り替わってから所定入賞数（例えば１）以内であるか否かを判定する。例えば、第２始動口開放信号がＯＮからＯＦＦに切り替わったときに、開放終了後入賞数カウンタの値を０にリセットするようにしておき、総始動入賞数の加算毎に、開放終了後入賞数カウンタの値を１加算するようにしておく。そして、開放終了後入賞数カウンタの値が所定値（例えば１）以下であるか否かを判定する。
【０２３６】
第２始動口開放信号がＯＦＦになってから所定入賞数以内であれば、処理を終了する。第２始動口開放信号がＯＦＦになってから所定入賞数を過えていれば、第２始動入賞連続数が所定数（例えば５）に達しているか否かを判定する。第２始動入賞連続数が所定数に達していなければ、第２始動口通過信号入力時処理を終了する。第２始動入賞連続数が所定数に達していれば、第２始動入賞口１３ｂへの入賞が所定数以上連続したことに基づく連続入賞異常を報知する。
【０２３７】
例えば、可変入賞球装置１５の開放制御期間以外の期間に  第２始動入賞連続数が所定数に達した要因として、振分装置９０の異常や不正行為等により第２始動入賞口１３ｂに連続して遊技球が入賞しているケースが考えられる。このような場合には、ホールコンピュータ１２００において異常を報知することにより、管理者が適切に対処することができる。特に、遊技機において、第１特別図柄の表示結果が大当り図柄となった場合よりも、第２特別図柄の表示結果が大当り図柄となった場合の方が、遊技者にとって有利な(例えばラウンド数が多い、あるいは１ラウンドあたりの大入賞口開放期間が長い）大当り種別に決定される割合が高く設定されている場合が多い。このような遊技機では、通常状態では連続入賞しない第２始動入賞口１３ｂに連続入賞させるような不正が実行されるおそれがあるため、このような場合に、ホールコンピュータ１２００側で連続入賞異常が報知されることにより、遊技場側で不正の可能性を認識して適切な措置を採ることができる。
【０２３８】
ＣＰＵ１２０２は、セキュリティ信号の入力を検出した場合には、まず、第２始動口開放信号がＯＮの状態であるか否かを判定する。第２始動口開放信号がＯＮの状態であれば、連続入賞異常の可能性を含まない遊技機エラーが検出されていることを報知する。第２始動口開放信号がＯＦＦの状態であれば連続入賞異常の可能性を含む遊技機エラーが検出されていることを報知する。
【０２３９】
以上に示した第３の異常判定方法では、図３０に示すように、パチンコ遊技機１からの第２始動口開放信号が入力されている期間内（図中の（１）〜（２）の期間内）に第２始動口通過信号が所定回数以上連続して入力されても連続入賞異常を報知しないが、パチンコ遊技機１からの第２始動口開放信号が入力されていない期間内に第２始動口通過信号が所定回数以上連続して入力された場合(図中の（３）以降の期間）には連続入賞異常を報知する。
【０２４０】
ここで、前述した判定処理により、可変入賞球装置１５の開放制御（１回の当り図柄の導出表示に伴い複数回の開放制御が実行される場合には、その全ての開放制御）が終了してから所定入賞数(図３０の例では１）以内の場合には、連続入賞異常が報知されないことになる(図中の（２）〜（３）の期間)。例えば、開放制御が開始される時点で、振分装置９０の揺動部材９３が図２７（ｃ）の状態になっていたとすると（すなわち次回受け入れた遊技球を第２始動入賞口１３ｂに振り分ける状態になっていたとすると）、開放制御終了直後は、最初に第２始動入賞口１３ｂに遊技球が入賞することになるため、これを以て連続入賞異常が報知されてしまうと混乱を招くことになる。この実施形態では、可変入賞球装置１５の開放制御終了後の入賞回数が所定数（例えば１）以内の場合には、連続入賞異常を報知せず、より適切な連続入賞異常の報知が行われるようにしている。
【０２４１】
（第４の異常判定方法）
次に、第４の異常判定方法について説明する。本実施形態に係るホールコンピュータ１２００は、第１の異常判定方法と異なり、時短信号の状況ではなく、ゲート３２の遊技球の通過状況に基づいて連続入賞異常を判定するものである。なお、本実施形態に係る遊技機からの出力信号は、第１の異常判定方法と異なり、第１特別図柄の可変表示が実行されたときと、第２特別図柄の可変表示が実行されたときとで共通の図柄確定信号が出力される。また、ゲート３２を遊技球が通過したことに基づいてパルス状のゲート通過信号が出力される。
【０２４２】
ＣＰＵ１２０２は、第２始動口通過信号の入力を検出した場合には、まず、総始動入賞数を１加算し、第２始動入賞数を１加算する。そして、第２始動入賞連続数を１加算し、第１始動入賞連続数を０にリセットし、当該対応するパチンコ遊技機１の電源投入から所定期間内(例えば電源投入後の最初のゲート通過信号が入力されるまでの期間内)であるか否かを判定する。電源投入から所定期間内であれば、処理を終了する。例えばパチンコ遊技機１の電源投入後から最初のゲート通過信号が入力されるまでの期間は、後述するゲート通過タイマの値がリセットされること等により、ゲート通過信号が入力されてからの経過時間が不明となる場合がある。そのため、電源投入後から最初のゲート通過信号が入力されるまでの期間は連続入賞異常を報知しないようにすることで、より適切な異常報知を行うようにしている。
【０２４３】
対応するパチンコ遊技機１の電源投入から所定期間を経過している場合には、ゲート通過信号の入力時にセットされるゲート通過タイマがタイムアウトしているか否かを判定する。すなわち、ゲート通過から所定期間を経過しているか否かを判定する。ゲート通過タイマがタイムアウトしていなければ、第２始動口通過信号入力時処理を終了する。ゲート通過タイマがタイムアウトしていれば、ゲート通過タイマのタイムアウトから所定入賞数（例えば１）以内であるか否かを判定する。例えば、ゲート通過タイマがタイムアウトしたときに、タイムアウト後入賞数カウンタの値を０にリセットするようにしておき、総始動入賞数の加算毎に、タイムアウト後入賞数カウンタの値を１加算するようにしておく。そして、Ｓ４４６Ｄにおいて、タイムアウト後入賞数カウンタの値が所定値（例えば１）以下であるか否かを判定する。
【０２４４】
ゲート通過タイマのタイムアウトから所定入賞数以内であれば、第２始動口通過信号入力時処理を終了する。ゲート通過タイマのタイムアウトから所定入賞数を過えていれば、第２始動入賞連続数が所定数（例えば５）に達しているか否かを判定する。第２始動入賞連続数が所定数に達していなければ、第２始動口通過信号入力時処理を終了する。第２始動入賞連続数が所定数に達していれば、第２始動入賞口１３ｂへの入賞が所定数以上連続したことに基づく連続入賞異常を報知する。
【０２４５】
通常は、右打ちが実行されている状態では、所定の割合で遊技球がゲート３２を通過することになる。従って、ゲート通過信号が入力されること無く所定期間を経過した場合、即ち上記ゲート通過タイマがタイムアウトしている場合には、右打ちが実行されていないことが推定される。このような期間内に、第２始動入賞連続数が所定数に達した要因として、振分装置９０の異常や不正行為等により第２始動入賞口１３ｂに連続して遊技球が入賞しているケースが考えられる。このような場合には、ホールコンピュータ１２００において異常を報知することにより、管理者が適切に対処することができる。特に、遊技機において、第１特別図柄の表示結果が大当り図柄となった場合よりも、第２特別図柄の表示結果が大当り図柄となった場合の方が、遊技者にとって有利な(例えばラウンド数が多い、あるいは１ラウンドあたりの大入賞口開放期間が長い）大当り種別に決定される割合が高く設定されている場合が多い。このような遊技機では、通常状態では連続入賞しない第２始動入賞口１３ｂに連続入賞させるような不正が実行されるおそれがあるため、このような場合に、ホールコンピュータ１２００側で連続入賞異常が報知されることにより、遊技場側で不正の可能性を認識して適切な措置を採ることができる。
【０２４６】
なお、ＣＰＵ１２０２は、ゲート通過信号の入力を検出した場合には、総ゲート通過数を１加算し、ゲート通過タイマをセットする。例えば、右打ちが実行されている場合にゲート３２を遊技球が通過する間隔を集計し、得られた集計結果のうち最長の間隔をタイマ値としてセットするようにすると良い。
【０２４７】
ＣＰＵ１２０２は、セキュリティ信号の入力を検出した場合には、まず、ゲート通過タイマがタイムアウトしているか否かを判定する。ゲート通過タイマがタイムアウトしていなければ、連続入賞異常の可能性を含まない遊技機エラーが検出されていることを報知する。ゲート通過タイマがタイムアウトしていれば、連続入賞異常の可能性を含む遊技機エラーが検出されていることを報知する。
【０２４８】
以上に示した第４の異常判定方法では、図３１に示すように、ゲート通過タイマがタイムアウトするまでの期間内（図中の（１）〜（２）の期間内）に第２始動口通過信号が所定回数以上連続して入力されても連続入賞異常を報知しないが、ゲート通過タイマがタイムアウトしている期間内に第２始動口通過信号が所定回数以上連続して入力された場合(図中の（３）以降の期間）には連続入賞異常を報知する。
【０２４９】
ここで、ゲート通過タイマがタイムアウトしてから所定入賞数(図３１の例では１）以内の場合には、連続入賞異常が報知されないことになる(図中の（２）〜（３）の期間)。例えば、ゲート通過タイマがセットされる時点で、振分装置９０の揺動部材９３が図２７（ｃ）の状態になっていたとすると（すなわち次回受け入れた遊技球を第２始動入賞口１３ｂに振り分ける状態になっていたとすると）、ゲート通過タイマのタイムアウト直後は、最初に第２始動入賞口１３ｂに遊技球が入賞することになるため、これを以て連続入賞異常が報知されてしまうと混乱を招くことになる。この実施形態では、ゲート通過タイマのタイムアウト後の入賞回数が所定数（例えば１）以内の場合には、連続入賞異常を報知せず、より適切な連続入賞異常の報知が行われるようにしている。
【０２５０】
［第２の遊技機およびその遊技情報を管理する情報管理装置］
図３２に示す情報管理装置としてのホールコンピュータ１２００は、遊技場において複数配置された遊技島に並設される第２の遊技機としてのパチンコ遊技機１における遊技にて発生した遊技情報を管理する。遊技情報は、図３３に示すパチンコ遊技機１や、該パチンコ遊技機１に対応して設けられているアウト玉計数器１１２０等から出力される各種信号に基づいて集計される。
【０２５１】
（第２の遊技機）
第２の遊技機の一例であるパチンコ遊技機１の全体の構成について説明する。ここでは、第１の遊技機と異なる点について説明する。図３３はパチンコ遊技機１を正面からみた正面図である。
【０２５２】
左遊技領域７Ａには、演出表示装置９の左側に左ゲート３２、演出表示装置９の下方に第１始動入賞口１３ａが設けられている。右遊技領域７Ｂには、演出表示装置９の右側に右ゲート３３、演出表示装置９の下方に特別可変入賞球装置２０が設けられている。
【０２５３】
ここで、第１始動入賞口１３ａは、演出表示装置９の直下に設けられているが、左遊技領域７Ａを狙って遊技球を打ち込む左打ちを行った場合に遊技球が入賞し易く、右遊技領域７Ｂを狙って遊技球を打ち込む右打ちを行った場合には、遊技球の流下経路上に設けられる遊技釘や誘導部材３９ａ〜３９ｃの配置によって遊技球が入賞し難くなっている。また、第２始動入賞口１３ｂを有する可変入賞球装置１５は、第１始動入賞口１３ａの下方に設けられている。可変入賞球装置１５は、可動翼片の傾動制御によって開放状態となる。
【０２５４】
この実施の形態では、左遊技領域７Ａおよび右遊技領域７Ｂに、それぞれ遊技球が通過可能な通過領域としての左ゲート３２および右ゲート３３が設けられている。遊技者が左打ちを行っているときには、遊技球が左ゲート３２を通過することにより、普通図柄の可変表示が開始され、当り図柄が導出表示された場合には、可変入賞球装置１５が開放状態となり、第２始動入賞口１３ｂに遊技球が入賞することを期待できる。また、遊技者が右打ちを行っているときには、遊技球が右ゲート３３を通過することにより、普通図柄の可変表示が開始され、当り図柄が導出表示された場合には、可変入賞球装置１５が開放状態となり、第２始動入賞口１３ｂに遊技球が入賞することを期待できる。すなわち、左打ちを行っている場合および右打ちを行っている場合のいずれにおいても、可変入賞球装置１５が開放状態となる場合があり、第２始動入賞口１３ｂに遊技球が入賞することを期待できる。
【０２５５】
また、大当り遊技状態中は、特別可変入賞球装置２０が開放される。この特別可変入賞球装置２０は、可変入賞球装置１５の直下に配置されているが、右打ちしたときに誘導部材３９ｂや遊技釘４０により誘導された遊技球が入賞しやすい位置にある。
【０２５６】
遊技者は、遊技状態が通常状態（低確率／低ベース状態）のときは、特別可変入賞球装置２０が開放されず、右ゲート３３に遊技球を通過させても可変入賞球装置１５が高頻度では開放されないため、左遊技領域７Ａを狙って遊技球を打ち込む左打ちを行い、該遊技球を第１始動入賞口１３ａに入賞させる。遊技状態が高ベース状態（高確率／高ベース状態又は低確率／高ベース状態）のときには、右ゲート３３に遊技球を通過させると可変入賞球装置１５が高頻度で開放されるため、右遊技領域７Ｂを狙って遊技球を打ち込む右打ちを行い、該遊技球を第２始動入賞口１３ｂに入賞させる。大当り遊技状態では、特別可変入賞球装置２０が開放されるため、右遊技領域７Ｂを狙って遊技球を打ち込む右打ちを行い、該遊技球を特別可変入賞球装置２０に入賞させる。
【０２５７】
演出表示装置９の下方には、第１始動入賞口１３ａを有する入賞装置が設けられている。第１始動入賞口１３ａに入賞した遊技球は、遊技盤６の背面に導かれ、第１始動口スイッチ１４ａによって検出される。
【０２５８】
また、第１始動入賞口（第１始動口）１３ａを有する入賞装置の下方には、遊技球が入賞可能な第２始動入賞口１３ｂを有する可変入賞球装置１５が設けられている。第２始動入賞口（第２始動口）１３ｂに入賞した遊技球は、遊技盤６の背面に導かれ、第２始動口スイッチ１５ａによって検出される。可変入賞球装置１５は、ソレノイド１６によって開状態とされる。可変入賞球装置１５が開状態になることによって、遊技球が第２始動入賞口１３ｂに入賞可能になり（始動入賞し易くなり）、遊技者にとって有利な状態になる。可変入賞球装置１５が開状態になっている状態では、第１始動入賞口１３ａよりも、第２始動入賞口１３ｂに遊技球が入賞しやすい。また、可変入賞球装置１５が閉状態になっている状態では、遊技球は第２始動入賞口１３ｂに入賞しない。従って、可変入賞球装置１５が閉状態になっている状態では、第２始動入賞口１３ｂよりも、第１始動入賞口１３ａに遊技球が入賞しやすい。なお、可変入賞球装置１５が閉状態になっている状態において、入賞はしづらいものの、入賞することは可能である（すなわち、遊技球が入賞しにくい）ように構成されていてもよい。
【０２５９】
以下、第１始動入賞口１３ａと第２始動入賞口１３ｂとを総称して始動入賞口または始動口ということがある。
【０２６０】
可変入賞球装置１５が開放状態に制御されているときには可変入賞球装置１５に向かう遊技球は第２始動入賞口１３ｂに極めて入賞しやすい。そして、第１始動入賞口１３ａは演出表示装置９の直下に設けられているが、演出表示装置９の下端と第１始動入賞口１３ａとの間の間隔をさらに狭めたり、第１始動入賞口１３ａの周辺で釘を密に配置したり、第１始動入賞口１３ａの周辺での釘配列を遊技球を第１始動入賞口１３ａに導きづらくして、第２始動入賞口１３ｂの入賞率の方を第１始動入賞口１３ａの入賞率よりもより高くするようにしてもよい。
【０２６１】
なお、この実施の形態では、図３３に示すように、第２始動入賞口１３ｂに対してのみ開閉動作を行う可変入賞球装置１５が設けられているが、第１始動入賞口１３ａおよび第２始動入賞口１３ｂのいずれについても開閉動作を行う可変入賞球装置が設けられている構成であってもよい。
【０２６２】
また、演出表示装置９の表示画面の下部には、第１保留記憶数を表示する第１保留記憶表示部１８ｃと、第２保留記憶数を表示する第２保留記憶表示部１８ｄとが設けられている。この実施の形態では、第１保留記憶表示部１８ｃが演出表示装置９の表示画面の左下部、第２保留記憶表示部１８ｄが演出表示装置９の表示画面の右下部というように、別領域に設けられている。従って、第１特別図柄表示器１８ａ，第２特別図柄表示器１８ｂの各々における可変表示の開始条件が成立していない実行条件の成立数を把握しやすくすることができる。なお、第１保留記憶数と第２保留記憶数との合計である合計数（合算保留記憶数）を表示する合算保留記憶表示部を演出表示装置９の表示画面に設けるようにしても良い。
【０２６３】
また、図３３に示すように、可変入賞球装置１５の下方には、大入賞口を形成する特別可変入賞球装置２０が設けられている。特別可変入賞球装置２０は開閉板を備え、第１特別図柄表示器８ａに特定表示結果（大当り図柄）が導出表示されたときと、第２特別図柄表示器８ｂに特定表示結果（大当り図柄）が導出表示されたときに生起する特定遊技状態（大当り遊技状態）においてソレノイド２１によって開閉板が開放状態に制御されることによって、入賞領域となる大入賞口が開放状態になる。大入賞口に入賞した遊技球はカウントスイッチ２３ａで検出される。
【０２６４】
遊技球が左ゲート３２を通過しゲートスイッチ３２ａで検出されたとき、または、右ゲート３３を通過し第２ゲートスイッチ３３ａで検出されたときには、ゲート通過に基づく当り判定用乱数（ＭＲ５）が抽出される。抽出された当り判定用乱数は、普通図柄保留記憶数が上限値（例えば４）に達していないことを条件に、普通図柄保留記憶として記憶され、これに伴い普通図柄保留記憶数が１加算される。そして、普通図柄保留記憶数が０ではなく、普通図柄の可変表示が実行されておらず、且つ、可変入賞球装置１５の開閉制御が実行されていないことを条件として、普通図柄表示器１０の表示の可変表示が開始され、これに伴い普通図柄保留記憶数が１減算される。
【０２６５】
そして、普通図柄表示器１０における停止図柄が所定の図柄（当り図柄。例えば、図柄「７」。）である場合に、可変入賞球装置１５が所定回数、所定時間だけ開状態になる。すなわち、可変入賞球装置１５の状態は、普通図柄の停止図柄が当り図柄である場合に、遊技者にとって不利な状態から有利な状態（第２始動入賞口１３ｂに遊技球が入賞可能な状態）に変化する。普通図柄表示器１０の近傍には、左ゲート３２及び右ゲート３３のいずれかを通過した入賞球数を表示する４つのＬＥＤによる表示部を有する普通図柄保留記憶表示器４１が設けられている。普通図柄保留記憶表示器４１は、普通図柄保留記憶数に応じた数のＬＥＤを点灯させるものである。左ゲート３２，右ゲート３３を遊技球が通過する毎に、すなわちゲートスイッチ３２ａ，３３ａによって遊技球が検出される毎に、普通図柄保留記憶表示器４１は点灯するＬＥＤを１増やす。そして、普通図柄表示器１０の可変表示が開始される毎に、点灯するＬＥＤを１減らす。
【０２６６】
ここで、低ベース状態（通常状態）においては、当り判定を実行するときや可変入賞球装置１５の開閉制御を実行するときに、図３４（Ａ）に示す普通図柄制御用テーブルＡが選択される。普通図柄制御用テーブルＡに示されるように、通常状態では３／１３の割合で当りと判定され（ＭＲ５＝１〜３）、１０／１３の割合ではずれと判定される（ＭＲ５＝４〜１３）。さらに、当りと判定される場合には、２／３の割合で短開放当り（ＭＲ５＝１，２）と判定され、１／３の割合で長開放当り（ＭＲ５＝３）と判定される。短開放当りの場合には、可変入賞球装置１５において０．５秒の開放制御が１回実行され、長開放当りの場合には、可変入賞球装置１５において５秒の開放制御が１回実行される。短開放当りの場合には、可変入賞球装置１５への入賞割合は低く、実質的には殆ど入賞を期待できないのに対して、長開放当りの場合には、可変入賞球装置１５への入賞割合が高く、低ベース状態で左打ちを行っている場合であっても、可変入賞球装置１５への入賞を期待することができる。なお、通常状態における普通図柄の変動時間は１０秒となっている。
【０２６７】
一方、高ベース状態（低確率／高ベース状態、高確率／高ベース状態）においては、当り判定を実行するときや可変入賞球装置１５の開閉制御を実行するときに、図３４（Ｂ）に示す普通図柄制御用テーブルＢが選択される。普通図柄制御用テーブルＢに示されるように、高ベース状態では１１／１３の割合で当りと判定され（ＭＲ５＝１〜１１）、２／１３の割合ではずれと判定される（ＭＲ５＝１２，１３）。さらに、当りと判定される場合には、可変入賞球装置１５において２．５秒の開放制御が２回実行される。従って、高ベース状態で右打ちを行っている場合には、可変入賞球装置１５への入賞を期待することができる。なお、高ベース状態における普通図柄の変動時間は１秒となっている。
【０２６８】
一方、この実施の形態における低ベース状態では、原則として、前述した普通図柄短縮変動制御、普通図柄確変制御、開放延長制御、および特別図柄短縮変動制御のいずれの制御も実行されないが、１／１３の割合で長開放当りとなった場合に５秒間の開放制御が実行される場合がある、この実施の形態では、長開放当りの場合の１回の開閉動作における開放時間（５．０秒）が短開放当りの場合の１回の開閉動作における開放時間（０．５秒）より長くなり、開放回数は同じ（１回）である例を示しているが、１回の開閉動作における開放時間は共通で、開放回数が多くなるようにしても良い（例えば０．５秒×１０回）。いずれの場合にも、普通図柄表示器１０における停止図柄が当り図柄になったことに伴い可変入賞球装置１５が開放状態となる合計時間は増加することになる。
【０２６９】
本実施形態では、図３３に示すように、左遊技領域７Ａに左ゲート３２が設けられていて、左打ち状態で左遊技領域７Ａに発射された遊技球の一部は、左ゲート３２上方に配置された遊技釘により誘導されて、左ゲート３２を通過する。また、右遊技領域７Ｂに右ゲート３３が設けられていて、右打ち状態で右遊技領域７Ｂに発射された遊技球の一部は、右ゲート３３上方に配置された遊技釘により誘導されて、右ゲート３３を通過する。
【０２７０】
右遊技領域７Ｂに発射された遊技球は、ゲート３２の下方に配置された遊技釘に衝突して進路を変えつつ流下するものの、最終的にはゲート３２のさらに下方に配置された誘導部材３９ａ又は誘導部材３９ｂの誘導面（上面）に高確率で落下して、誘導部材３９ａ〜３９ｃや、誘導部材３９ｂと可変入賞球装置１５との間に配置された遊技釘によって、可変入賞球装置１５に誘導される。即ち、右遊技領域７Ｂに発射された遊技球の大半は可変入賞球装置１５に誘導されることになる。従って、可変入賞球装置１５が開放状態にあるときには、遊技釘により誘導された遊技球が高確率で第２始動入賞口１３ｂに入賞する。
【０２７１】
誘導部材３９ｂ，３９ｃや遊技釘によって誘導された遊技球は、可変入賞球装置１５が開放されていない状態では、さらに、特別可変入賞球装置２０に向けて誘導され、開放状態であれば、特別可変入賞球装置２０の大入賞口に入賞するようになっている。よって、大当り遊技状態では、遊技者は右打ちして右遊技領域７Ｂに遊技球を打ち込めば、遊技球が特別可変入賞球装置２０の大入賞口に入賞することを期待できる。
【０２７２】
第２の遊技機からは、第１の遊技機と同様の賞球信号、大当り信号、および時短信号が出力され、これらの各信号はターミナル基板を介して外部出力されるようになっている。
【０２７３】
この第２の遊技機からは、第１特別図柄表示器８ａや第２特別図柄表示器８ｂにおいて特別図柄の変動表示が終了して表示結果が導出表示されたときに、特別図柄が確定したことを示す図柄確定信号が出力される。図柄確定信号は所定幅のパルス信号である。
【０２７４】
また、第２の遊技機からは、当該パチンコ遊技機１の製造者を示す製造者ＩＤおよび当該パチンコ遊技機１の型式（機種）を示す型式ＩＤを含む機械識別情報が出力される。機械識別情報は、パチンコ遊技機１の電源投入時から所定時間（例えば８秒）経過後に出力される所定データ長の信号であり、スタートビットとストップビットを含むフレーム単位に分割して出力される。また、図示しない磁気検知センサにより磁気が検出された場合や、異常入賞が検出された場合には、異常検出を示すセキュリティ信号が出力される。セキュリティ信号は所定幅のパルス信号である。
【０２７５】
また、第２の遊技機からは、第１始動口スイッチ１４ａまたは第２始動口スイッチ１５ａにより遊技球が検出されたときに、第１始動入賞口１３ａまたは第２始動入賞口１３ｂに遊技球が入賞したことを示す始動口通過信号が出力される。始動口通過信号は所定幅のパルス信号であり、この実施の形態では、第１始動口スイッチ１４ａおよび第２始動口スイッチ１５ａのいずれにより遊技球が検出された場合にも、共通の始動口通過信号が共通の信号線を通じて出力される。
【０２７６】
また、第２の遊技機からは、第１ゲートスイッチ３２ａまたは第２ゲートスイッチ３３ａにより遊技球が検出されたときに、左ゲート３２または右ゲート３３を遊技球が通過したことを示すゲート通過信号が出力される。ゲート通過信号は所定幅のパルス信号であり、この実施の形態では、第１ゲートスイッチ３２ａおよび第２ゲートスイッチ３３ａのいずれにより遊技球が検出された場合にも、共通のゲート通過信号が共通の信号線を通じて出力される。
【０２７７】
上記図柄確定信号、セキュリティ信号、始動口通過信号、およびゲート通過信号は、ターミナル基板を介して外部出力されるようになっている。
【０２７８】
（遊技情報の集計）
図３２に戻り、上述したパチンコ遊技機１の下方には、該パチンコ遊技機１において遊技に使用されて、該パチンコ遊技機１から排出された遊技球（アウト玉）を計数するアウト玉計数器１１２０が設けられている。所定数（例えば１０玉）のアウト玉が計数される毎にアウト玉計数器１１２０から打込信号が出力される。打込信号は所定幅のパルス信号である。
【０２７９】
ターミナル基板から出力される機械識別信号、賞球信号、図柄確定信号、始動口通過信号、大当り信号、時短信号、ゲート通過信号、およびセキュリティ信号、ならびに、アウト玉計数器１１２０から出力される打込信号が、台端末１２２０等の中継機器および通信ケーブルを介してホールコンピュータ１２００の通信部１２０７に入力されることで、該ホールコンピュータ１２００において各パチンコ遊技機１の遊技情報を集計できるようになっている。
【０２８０】
台端末１２２０等の中継機器には複数のパチンコ遊技機１（およびこれに対応するアウト玉計数器１１２０）からの出力信号が入力される。台端末１２２０等の中継機器からは、入力信号に対応させて当該信号を出力した（または当該信号を出力したアウト玉計数器１１２０に対応する）パチンコ遊技機１を識別可能な台識別情報（例えば中継機器の信号入力端子に対応して付された識別情報）が出力される。これにより、ホールコンピュータ１２００等の情報管理装置においては、台識別情報に対応させた台番号毎に遊技情報を管理することが可能となる。
【０２８１】
次いで、本実施形態に係るホールコンピュータ１２００の記憶装置１２０６には、該ホールコンピュータ１２００が実施する各種処理内容が記述された処理プログラムに加えて、図３５に示す機種データベースと、図３６に示す遊技履歴テーブルが記憶されている。
【０２８２】
機種データベースは、図３５に示すように、遊技機の製造者を識別するための「製造者ＩＤ」と、当該製造者が製造した遊技機の型式を識別するための「型式ＩＤ」とを対応づけて記憶すると共に、当該型式から特定される「機種名」と、当該型式から特定される機種における遊技領域中のゲート位置である「ゲート位置」とが記憶されている。例えば、遊技領域の左にのみゲートが設けられている場合には「左」、右にのみゲートが設けられている場合には「右」、左右いずれにもゲートが設けられている場合には「左・右」が記憶される。ＣＰＵ１２０３は、遊技場の営業開始前の時間帯に、情報管理サーバ（図示せず）において随時更新されているこれらの情報をインターネットを通じてダウンロードすることにより、機種データベースを最新の情報に更新している。
【０２８３】
遊技履歴テーブルには、図３６に示すように、遊技場に設置されている各パチンコ遊技機１の台番号に対応付けて、当該パチンコ遊技機１の「機種名」と、遊技領域中のゲート位置である「ゲート位置」と、大当り信号がＯＮであるかＯＦＦであるか（大当り遊技状態に制御されているか否か）を示す「大当り信号」と、時短信号がＯＮであるかＯＦＦであるか（高ベース状態に制御されているか否か）を示す「時短信号」と、当日払い出された賞球数の合計を示す「総賞球数」と、当日打ち込まれた打込玉数の合計を示す「総打込玉数」と、「総打込玉数」−「総賞球数」により算出される「総差玉数」と、当日の特別図柄の変動表示回数を示す「総スタート回数」と、当日の大当り発生回数を示す「総大当り回数」と、当日における第１始動口１３ａへの入賞数と第２始動口１３ｂへの入賞数との合計値を示す「総始動入賞数」と、当日における左ゲート３２の通過数と右ゲート３３の通過数との合計値を示す「総ゲート通過数」と、当日、左ゲート３２の通過に基づくものと判定されたゲート通過数を示す「左ゲート通過数」と、当日、右ゲート３３の通過に基づくものと判定されたゲート通過数を示す「右ゲート通過数」と、当日、左遊技領域７Ａに打ち込まれたと判定された打込玉数を示す「左領域打込玉数」と、当日、右遊技領域７Ｂに打ち込まれたと判定された打込玉数を示す「右領域打込玉数」と、［左ゲート通過数÷左領域打込玉数］×１００により算出される「左ゲート通過率」と、［右ゲート通過数÷右領域打込玉数］×１００により算出される「右ゲート通過率」と、を記憶している。
【０２８４】
遊技履歴テーブルの内容は、全て表示装置１２０６に表示させることが可能であり、表示されたこれらの情報によって、遊技場の管理者は、各遊技機の稼働状況や入賞状況等を把握することができる。
【０２８５】
（第１の集計処理）
次に、ホールコンピュータ１２００が実行する第１の集計処理について説明する。ＣＰＵ１２０２は、機械識別信号、賞球信号、打込信号、図柄確定信号、始動口通過信号、ゲート通過信号、およびセキュリティ信号の入力、ならびに、大当り信号、および確変信号の切り替わり（ＯＦＦからＯＮ、ＯＮからＯＦＦへの変化）を待機しており、これらの検出に伴い、検出結果に応じた集計処理を実行する。
【０２８６】
ＣＰＵ１２０２は、機械識別信号の入力を検出した場合には、まず、入力された機械識別信号から、製造者ＩＤおよび型式ＩＤを各々抽出し、機種データベースを参照して、抽出した製造者ＩＤおよび型式ＩＤに合致する機種名とゲート位置を特定する。そして、特定した機種名およびゲート位置を、遊技履歴テーブルにおいて、対応する台番号の「機種名」および「ゲート位置」として登録する。これにより、遊技場の管理者は、各遊技機の機種名とゲート位置とを把握することができる。
【０２８７】
以下に説明する集計処理は、「ゲート位置」が「左・右」の機種に対応した集計処理であり、「ゲート位置」が「左」または「右」の機種に関しては、左ゲート通過数や右ゲート通過数を個別集計することなく、また、左領域打込玉数や右領域打込玉数を個別集計することなく、以下に説明する集計処理とは異なる集計処理が実行される。このように、ＣＰＵ１２０２は、各種信号を出力した遊技機の「ゲート位置」に応じた集計処理を実行する。このように、遊技機の電源投入時に出力される機械識別信号に基づいて、管理対象とする遊技機が左ゲートおよび右ゲートの双方を有する遊技機であることを識別して、適切な集計処理を行うようにしている。
【０２８８】
ＣＰＵ１２０２は、賞球信号の入力を検出した場合には、まず、遊技履歴テーブルにおいて総賞球数を１０加算し、［総打込玉数−更新後の総賞球数］により総差玉数を更新する。
【０２８９】
ＣＰＵ１２０２は、打込信号の入力を検出した場合には、まず、遊技履歴テーブルにおいて総打込玉数を１０加算し、［更新後の総打込玉数−総賞球数］により総差玉数を更新する。さらに、非集計タイマがタイムアウトしているか否かを判定する。非集計タイマは、大当り遊技状態開始時および高ベース状態終了時にセットされる。
【０２９０】
非集計タイマがタイムアウトしていれば、右打ちフラグがセットされているか否かを判定する。右打ちフラグは、大当り遊技状態開始時にセットされ、高ベース状態終了時にリセットされる。なお、パチンコ遊技機１の電源投入検出時（例えば機械識別信号入力時）には、右打ちフラグはリセットされた状態（非セット状態）となっている。右打ちフラグがセットされていなければ、遊技履歴テーブルにおいて左領域打込玉数を１０加算し、更新後の左領域打込玉数に基づいて左ゲート通過率を更新する。右打ちフラグがセットされていれば、遊技履歴テーブルにおいて右領域打込玉数を１０加算し、更新後の右領域打込玉数に基づいて右ゲート通過率を更新する。
【０２９１】
非集計タイマがタイムアウトしていなければ、処理を終了する。すなわち、大当り遊技状態が発生してから所定期間を経過していない場合、高ベース状態が終了してから所定期間を経過していない場合には、左打ちから右打ち、または、右打ちから左打ちへの切り替えが行われる場合があり、左遊技領域７Ａと右遊技領域７Ｂのいずれに遊技球が発射されたのか不明であるため、左領域打込玉数や右領域打込玉数の個別集計を行わないこととしている。
【０２９２】
ＣＰＵ１２０２は、図柄確定信号の入力を検出した場合には、遊技履歴テーブルにおいて総スタート回数を１加算する。ＣＰＵ１２０２は、始動口通過信号の入力を検出した場合には、遊技履歴テーブルにおいて総始動入賞数を１加算する。
【０２９３】
ＣＰＵ１２０２は、大当り信号のＯＦＦからＯＮへの切り替わり（立ち上がり）を検出した場合には、まず、遊技履歴テーブルにおいて大当り信号をＯＮに更新し、総大当り回数を１加算する。さらに、右打ちフラグをセットし、非集計タイマをセットする。右打ちフラグは大当り遊技状態開始から高ベース状態終了までの期間セットされ、セット時に右打ちが実行されていることを判別可能である。また、非集計タイマは大当り遊技状態開始時と高ベース状態終了時にセットされ、タイムアウトするまでの期間は、前述したように左領域打込数や右領域打込数の個別集計が実行されず、後述する左ゲート通過数や右ゲート通過数の集計も実行されない。
【０２９４】
ＣＰＵ１２０２は、大当り信号のＯＮからＯＦＦへの切り替わり（立ち下がり）を検出した場合には、遊技履歴テーブルにおいて大当り信号をＯＦＦに更新する。ＣＰＵ１２０２は、時短信号のＯＦＦからＯＮへの切り替わり（立ち上がり）を検出した場合には、遊技履歴テーブルにおいて時短信号をＯＮに更新する。
【０２９５】
ＣＰＵ１２０２は、時短信号のＯＮからＯＦＦへの切り替わり（立ち下がり）を検出した場合には、まず、遊技履歴テーブルにおいて時短信号をＯＦＦに更新する。さらに、右打ちフラグをリセットし、非集計タイマをセットする。即ち、高ベース状態が終了するときには、その後に遊技状態が通常状態となり左打ちに切り替わる場合があるので、右打ちフラグをリセットする（非セット状態とする）ようにしている。また、非集計タイマがタイムアウトするまでの期間は、左領域打込玉数や右領域打込玉数、左ゲート通過数や右ゲート通過の個別集計は実行しないようにしている。
【０２９６】
ＣＰＵ１２０２は、ゲート通過信号の入力を検出した場合には、まず、遊技履歴テーブルにおいて総ゲート通過数を１加算する。さらに、非集計タイマがタイムアウトしているか否かを判定する。
【０２９７】
非集計タイマがタイムアウトしていれば、右打ちフラグがセットされているか否かを判定する。右打ちフラグがセットされていなければ、遊技履歴テーブルにおいて左ゲート通過数を１加算し、更新後の左ゲート通過数に基づいて左ゲート通過率を更新する。右打ちフラグがセットされていれば、遊技履歴テーブルにおいて右ゲート通過数を１加算し、更新後の右ゲート通過数に基づいて右ゲート通過率を更新する。
【０２９８】
非集計タイマがタイムアウトしていなければ、ゲート通過信号入力時処理を終了する。すなわち、大当り遊技状態が発生してから所定期間を経過していない場合、高ベース状態が終了してから所定期間を経過していない場合には、左打ちから右打ち、または、右打ちから左打ちへの切り替えが行われる場合があり、左遊技領域７Ａと右遊技領域７Ｂのいずれに遊技球が発射されたのか不明であるため、左ゲート通過数や右ゲート通過数の個別集計を行わないこととしている。
【０２９９】
ＣＰＵ１２０２は、セキュリティ信号の入力を検出した場合には、まず、遊技履歴テーブルにおいて、セキュリティ信号を出力したパチンコ遊技機１の台番号を点滅表示して、所定の警報音を出力する。なお、パチンコ遊技機１に設けられるリセットスイッチが操作されると、パチンコ遊技機１から出力されたリセット信号がホールコンピュータ１２００に入力され、ＣＰＵ１２０２は、リセット信号を送信したパチンコ遊技機１の台番号の点滅表示を終了させると共に、警報音の出力も終了する。
【０３００】
次に、図３７を用いて、本実施形態における左ゲート通過数および右ゲート通過数の個別集計方法について説明する。図中には、通常状態において大当りが発生して大当り遊技状態に制御されるタイミングを（１）として示し、大当り遊技状態が終了して高ベース状態に制御されるタイミングを（２）として示し、その後に、大当り遊技状態が発生することなく特別図柄の可変表示が５０回実行されて高ベース状態が終了するタイミングを（３）として示している。
【０３０１】
遊技状態が通常状態のときには、大当り遊技状態が発生するまで遊技者は左打ちを行っており、右打ちフラグはセットされていない。従って（１）のタイミングよりも前にゲート通過信号が入力された場合には、当該ゲート通過信号は左ゲート通過に基づくものと判定される。そして、通常状態で大当りが発生して大当り遊技状態が開始されるときには（（１）のタイミング）、遊技者が右打ちを行うことになるため右打ちフラグがセットされる。
【０３０２】
ここで、大当り遊技状態が開始された後のタイミングで、大当り遊技状態が開始されるよりも前に左遊技領域に発射された遊技球が左ゲートを通過する場合があるため、大当り遊技状態が開始されたタイミングを契機としてゲート通過信号が右ゲートの通過に基づくものであると判定してしまうと誤判定となる場合がある。同様に、大当り遊技状態が開始された後のタイミングで、大当り遊技状態が開始されるよりも前に左遊技領域に発射された遊技球がアウト玉計数器１１２０により計数される場合があるため、大当り遊技状態が開始されたタイミングを契機として打込信号が右遊技領域への打ち込みに基づくものであると判定してしまうと誤判定となる場合がある。従って、この実施形態では、大当り遊技状態が開始された後の所定期間を非集計期間として、このような誤判定を防止するようにしている。例えば、非集計期間は、遊技球が発射されてからアウト玉計数器１１２０により計数されるまでに要する期間であり、例えば１０秒が設定される。
【０３０３】
非集計期間が経過した後は、右打ちフラグがセットされていることを条件として、入力されたゲート通過信号が右ゲート通過に基づくものと判定される。この実施形態では、大当り遊技状態が終了して高ベース状態となる（２）のタイミングでも、右打ちフラグがセットされているため、継続して、入力されたゲート通過信号が右ゲート通過に基づくものと判定される。そして、高ベース状態となった後、特別図柄の可変表示が５０回実行されて高ベース状態が終了する（３）のタイミングで、右打ちフラグがリセットされることになる。
【０３０４】
ここで、高ベース状態が終了した後のタイミングで、高ベース状態が終了するよりも前に右遊技領域に発射された遊技球が右ゲートを通過する場合があるため、高ベース状態が終了したタイミングを契機としてゲート通過信号が左ゲートの通過に基づくものであると判定してしまうと誤判定となる場合がある。同様に、高ベース状態が終了した後のタイミングで、高ベース状態が終了するよりも前に右遊技領域に発射された遊技球がアウト玉計数器１１２０により計数される場合があるため、高ベース状態が終了したタイミングを契機として打込信号が左遊技領域への打ち込みに基づくものであると判定してしまうと誤判定となる場合がある。従って、この実施形態では、高ベース状態が終了した後の所定期間を非集計期間として、このような誤判定を防止するようにしている。例えば、非集計期間は、遊技球が発射されてからアウト玉計数器１１２０により計数されるまでに要する期間であり、例えば１０秒が設定される。
【０３０５】
そして、非集計期間が経過した後は、右打ちフラグがセットされていないことを条件として、入力されたゲート通過信号が左ゲート通過に基づくものと判定される。
【０３０６】
このように、入力されたゲート通過信号が左ゲート３２の通過に基づくものであるか又は右ゲート３３の通過に基づくものであるかを判別して、左ゲート通過数及び右ゲート通過数を個別集計することができる。また、この実施の形態では、左領域打込玉数に対する左ゲート通過数の割合を左ゲート通過率として集計し、右領域打込玉数に対する右ゲート通過数の割合を右ゲート通過率として集計しており、これらを対比させてホールコンピュータ１２００の表示装置１２０６に表示させることが可能となっている。遊技場の管理者は、左ゲート通過率と右ゲート通過率とを個別に把握して、左ゲートの通過頻度や右ゲートの通過頻度を釘調整によって変更することも可能となる。
【０３０７】
また、本実施形態のホールコンピュータ１２００の表示装置１２０６において、ゲート通過信号の入力状況を右打ち期間と左打ち期間に対応させて提示することが可能となっている。本実施形態では、大当り信号および時短信号のいずれも入力されていなければ遊技状態が通常状態（低確率／低ベース状態）であることを識別可能であり、大当り信号が入力されていれば遊技状態が大当り遊技状態であることを識別可能であり、時短信号が入力されていれば遊技状態が高ベース状態であることを識別可能であるため、遊技状態の時間変化を把握することが可能である。また、ゲート通過信号の入力も逐次検出しているため、例えば、図３８に示すように、各台毎に遊技状態の時間推移を提示すると共に、各遊技状態におけるゲート通過信号の入力状況（図中ではパルスにより示される）を対比させて提示することが可能となる。この例では、遊技状態の推移とゲート通過信号の入力タイミングとを上下に並べて表示しており、両者を上下で対比視認することで、各遊技状態におけるゲート通過信号の入力タイミングや、入力頻度を把握可能である。なお、大当り信号がＯＮとなった時刻やＯＦＦとなった時刻、時短信号がＯＮとなった時刻やＯＦＦとなった時刻を履歴として記憶しておくようにしても良い。
【０３０８】
これにより、遊技状態が、通常状態（図中では「通常」）、大当り遊技状態（図中では「大当り」）、および高ベース状態（図中では「時短」）と推移したこと、および、各遊技状態の期間を視覚的に把握することが可能である。また、左打ちの遊技状態において入力されたゲート通過信号が左ゲート３２の通過に基づくものであると把握し、右打ちの遊技状態において入力されたゲート通過信号が右ゲート３３の通過に基づくものであると把握し、各遊技状態においてゲート通過信号が入力された頻度も視覚的に把握することが可能である。例えば、右打ちの期間である大当り遊技状態や高ベース状態において、ゲート通過信号が高頻度で入力されていれば、右ゲート３３は通過し易いと把握し、左打ちの期間である通常状態において、ゲート通過信号が殆ど入力されていなければ、左ゲート３２は極めて通過し難いと把握して左右で個別に遊技釘の調整を行うことができる。
【０３０９】
（第２の集計処理）
次に、第２の集計処理について説明する。ここで第２の集計処理に係るパチンコ遊技機１からは、第１の集計処理に係る遊技機と異なり、遊技球が第１始動入賞口１３ａに入賞した場合には、第１始動口通過信号が出力され、遊技球が第２始動入賞口１３ｂに入賞した場合には、第２始動口通過信号が出力されるものとする。この実施の形態では、第１始動口通過信号と第２始動口通過信号とは異なる信号線から出力される。そのため台端末１２２０やホールコンピュータ１２００側では、いずれの信号線から出力された信号であるかによって両信号を区別可能である。しかし、このような形態に限らず共通の信号線から各々の信号を区別可能な態様で出力するようにしても良い。
【０３１０】
ＣＰＵ１２０２は、打込信号の入力を検出した場合には、まず、遊技履歴テーブルにおいて総打込玉数を１０加算し、［更新後の総打込玉数−総賞球数］により総差玉数を更新する。
【０３１１】
さらに、左打ち判定タイマがタイムアウトしているか否かを判定する。左打ち判定タイマは、第１始動口通過信号入力時にセットされる。すなわち、第１始動入賞口１３ａへの入賞が確認されてから左打ち判定タイマがタイムアウトするまでの期間は左打ちが行われているものとして、集計処理が実行される。左打ち判定タイマがタイムアウトしていなければ、遊技履歴テーブルにおいて左領域打込玉数を１０加算し、更新後の左領域打込玉数に基づいて左ゲート通過率を更新する。左打ち判定タイマがタイムアウトしていれば、遊技履歴テーブルにおいて右領域打込玉数を１０加算し、更新後の右領域打込玉数に基づいて右ゲート通過率を更新する。
【０３１２】
すなわち、左打ちを実行している期間は、所定の割合で第１始動入賞口１３ａへの入賞が発生するため、その後の所定期間については、左打ちが実行されているものとして集計処理を行っている。一方で、第１始動入賞口１３ａへの入賞が確認されなくなってから所定期間を経過した場合には、左打ちが実行されておらず右打ちが実行されているものとして集計処理を行っている。
【０３１３】
ＣＰＵ１２０２は、第１始動口通過信号の入力を検出した場合には、遊技履歴テーブルにおいて総始動入賞数を１加算して、左打ち判定タイマをセットする。例えば、左打ち判定タイマの値としては、左打ちを継続している状態における第１始動入賞口１３ａへの入賞間隔を考慮した場合の、最長の期間を設定するようにすると良く、例えば３０秒に設定すると良い。
【０３１４】
ＣＰＵ１２０２は、第２始動口通過信号の入力を検出した場合には、遊技履歴テーブルにおいて総始動入賞数を１加算して、左打ち判定タイマがタイムアウトしているか否かを判定する。左打ち判定タイマがタイムアウトしていれば、処理を終了する。
【０３１５】
左打ち判定タイマがタイムアウトしていなければ、長開放中入賞数を１加算して、［長開放中入賞数／左領域打込玉数］×１００により、「長開放中入賞率」を算出し、更新する。なお、集計された長開放中入賞数や長開放中入賞率、および、後述する長開放回数や長開放１回あたり入賞数は、いずれも遊技履歴テーブルで管理され、他の集計データ（例えば左ゲート通過率や左領域打込玉数）と共に表示装置１２０６に表示させることが可能となっている。
【０３１６】
この実施の形態では、左打ちが実行されている場合、図３４に示した短開放当りとなる場合には可変入賞球装置１５への入賞は殆ど期待ができないため、左打ちが実行されている状態で第２始動入賞口１３ｂへの入賞が発生した場合には、全て、長開放当りとなったことに基づく長開放状態（５秒×１回）における入賞として集計している。このようにして、長開放状態における入賞数を集計することができる。また、左遊技領域に発射された遊技球うち第２始動入賞口１３ｂに入賞した割合が「長開放中入賞率」として示されるので、左ゲート通過率と長開放中入賞率とを比較して、適切に遊技釘の調整を行うことができる。例えば、左ゲート通過率の割に長開放中入賞率が低ければ、第２始動入賞口１３ｂへの経路の遊技釘を調整して入賞し易くする措置をとることができる。すなわち、この実施の形態において、「長開放中入賞率」は、第２始動入賞口１３ｂへの入賞率を示す「第２始動入賞口入賞率」ということもできる。
【０３１７】
さらに、連続入賞タイマがタイムアウトしているか否かを判定する。連続入賞タイマは、１の長開放状態において最初の入賞が発生したときにセットされ、当該長開放状態の終了以降にタイムアウトするタイマである。連続入賞タイマがタイムアウトしていれば、即ち、前回の入賞とは異なる長開放状態における入賞であると判別されるものであれば、当日における長開放状態の発生回数（当日における長開放当りの発生回数）を示す長開放回数を１加算して、連続入賞タイマをセットする。連続入賞タイマのセット値は、例えば、長開放当りのときの、可変入賞球装置１５の開放時間（本例では５秒）とすると良い。さらに、［長開放中入賞数／長開放回数］により、「長開放１回あたり入賞数」を算出し、更新する。なお、連続入賞タイマがタイムアウトしていなければ、即ち、前回の入賞と同じ長開放状態における入賞であると判別されるものであれば、更新後の長開放中入賞数に基づいて、長開放１回あたり入賞数を更新する。
【０３１８】
このようにして、長開放状態１回あたりの入賞数を集計することができる。例えば、長開放１回あたり入賞数が少なければ、第２始動入賞口１３ｂへの経路の遊技釘を調整して入賞し易くする措置をとることができる。
【０３１９】
ＣＰＵ１２０２は、大当り信号のＯＦＦからＯＮへの切り替わり（立ち上がり）を検出した場合には、遊技履歴テーブルにおいて大当り信号をＯＮに更新し、総大当り回数を１加算する。ＣＰＵ１２０２は、時短信号のＯＮからＯＦＦへの切り替わり（立ち下がり）を検出した場合には、遊技履歴テーブルにおいて時短信号をＯＦＦに更新する。
【０３２０】
ＣＰＵ１２０２は、ゲート通過信号の入力を検出した場合には、まず、遊技履歴テーブルにおいて総ゲート通過数を１加算する。さらに、左打ち判定タイマがタイムアウトしているか否かを判定する。左打ち判定タイマがタイムアウトしていなければ、遊技履歴テーブルにおいて左ゲート通過数を１加算し、更新後の左ゲート通過数に基づいて左ゲート通過率を更新する。左打ち判定タイマがタイムアウトしていれば、遊技履歴テーブルにおいて右ゲート通過数を１加算し、更新後の右ゲート通過数に基づいて右ゲート通過率を更新する。
【０３２１】
次に、図３９を用いて、本実施形態における左ゲート通過数および右ゲート通過数の個別集計方法について説明する。図中には、第１始動入賞口１３ａに遊技球が入賞して第１始動口通過信号が出力されたタイミングを（１）として示し、第１始動口通過信号が入力されたことに基づいてセットされた左打ち判定タイマがタイムアウトしたタイミングを（２）として示している。
【０３２２】
第１始動口通過信号が入力されたことに基づいて左打ち判定タイマがセットされた後であって、該セットした左打ち判定タイマがタイムアウトするよりも前の期間では（図中の（１）〜（２）の期間）、ゲート通過信号が入力されたときに、当該ゲート通過信号は左ゲート３２の通過に基づくものであると判定される。一方、左打ち判定タイマがタイムアウトした後の期間では（図中の（２）以降の期間）、ゲート通過信号が入力されたときに、当該ゲート通過信号は右ゲート３３の通過に基づくものであると判定される（Ｓ４９６）。
【０３２３】
このように、入力されたゲート通過信号が左ゲート３２の通過に基づくものであるか又は右ゲート３３の通過に基づくものであるかを判別して、左ゲート通過数及び右ゲート通過数を個別集計することができる。また、この実施の形態では、左領域打込玉数に対する左ゲート通過数の割合を左ゲート通過率として集計し、右領域打込玉数に対する右ゲート通過数の割合を右ゲート通過率として集計しており、これらを対比させてホールコンピュータ１２００の表示装置１２０６に表示させることが可能となっている。遊技場の管理者は、左ゲート通過率と右ゲート通過率とを個別に把握して、左ゲートの通過頻度や右ゲートの通過頻度を釘調整によって変更することも可能となる。
【０３２４】
また、この実施形態においては、左打ちと判定される期間内において、第２始動口通過信号が入力されたことに基づいて、左打ち中の第２始動入賞口１３ｂへの入賞数が集計される。これにより、左領域打込玉数に対する第２始動入賞口１３ｂへの入賞割合を把握して、第２始動入賞口１３ｂ周辺の遊技釘の調整を適切に行うことができる。ここで、左打ちと判定される期間内における第２始動入賞口１３ｂへの入賞は、全て長開放状態において発生したものと判定することで、長開放状態における入賞数も集計可能である。また、長開放状態における最初の入賞に基づいて連続入賞タイマをセットするようにしており、連続入賞タイマがタイムアウトするまでに発生した第２始動入賞口への入賞を、同一の長開放状態において発生した入賞とみなすことで、長開放状態の発生回数を集計可能である。これにより、１回の長開放状態における入賞数を把握して、第２始動入賞口１３ｂ周辺の遊技釘の調整を適切に行うことができる。
【０３２５】
（第３の集計処理）
次に、第３の集計処理について、第１の集計処理と異なる点について説明する。
【０３２６】
ＣＰＵ１２０２は、賞球信号の入力を検出した場合には、まず、遊技履歴テーブルにおいて総賞球数を１０加算し、［総打込玉数−更新後の総賞球数］により総差玉数を更新する。
【０３２７】
さらに、直近１０秒以内に入力された賞球信号数に基づいて、直近１０秒以内に増加した賞球数を算出し、更新する。例えば、ＣＰＵ１２０２は、賞球信号が入力された時刻等の時間情報を逐次記憶しておくようにしておき、且つ、賞球信号が入力されたタイミングで、当該賞球信号の入力時刻を含めた過去１０秒間の賞球信号数をカウントし、［カウントした賞球信号数×１０］により、直近１０秒以内に増加した賞球数を算出するようにしている。
【０３２８】
ＣＰＵ１２０２は、打込信号の入力を検出した場合には、まず、遊技履歴テーブルにおいて総打込玉数を１０加算し、［更新後の総打込玉数−総賞球数］により総差玉数を更新する。
【０３２９】
さらに、直近１０秒以内に増加した賞球数が３０以上であるか否かを判定する。直近１０秒以内に増加した賞球数が３０未満であれば、打込信号入力時処理を終了する。直近１０秒以内に増加した賞球数が３０以上であれば、遊技履歴テーブルにおいて右領域打込玉数を１０加算し、更新後の右領域打込玉数に基づいて右ゲート通過率を更新する。
【０３３０】
すなわち、直近１０秒以内に増加した賞球数が３０以上である場合には、賞球数の多い大入賞口への入賞が発生している可能性が極めて高いため、大当り遊技状態の発生に伴う賞球数の増加であり、右打ちが行われているものとして、右領域打込玉数の集計処理が実行される。
【０３３１】
ＣＰＵ１２０２は、大当り信号のＯＦＦからＯＮへの切り替わり（立ち上がり）を検出した場合には、まず、遊技履歴テーブルにおいて大当り信号をＯＮに更新し、総大当り回数を１加算する。
【０３３２】
ＣＰＵ１２０２は、時短信号のＯＮからＯＦＦへの切り替わり（立ち下がり）を検出した場合には、遊技履歴テーブルにおいて時短信号をＯＦＦに更新する。
【０３３３】
ＣＰＵ１２０２は、ゲート通過信号の入力を検出した場合には、まず、遊技履歴テーブルにおいて総ゲート通過数を１加算する。
【０３３４】
さらに、直近１０秒以内に増加した賞球数が３０以上であるか否かを判定する。直近１０秒以内に増加した賞球数が３０未満であれば、ゲート通過信号入力時処理を終了する。直近１０秒以内に増加した賞球数が３０以上であれば、遊技履歴テーブルにおいて右ゲート通過数を１加算し、更新後の右ゲート通過数に基づいて右ゲート通過率を更新する。
【０３３５】
すなわち、直近１０秒以内に増加した賞球数が３０以上である場合には、賞球数の多い大入賞口への入賞が発生している可能性が極めて高いため、大当り遊技状態の発生に伴う賞球数の増加であり、右打ちが行われているものとして、右ゲート通過数の集計処理が実行される。
【０３３６】
次に、図４０を用いて、本実施形態における右ゲート通過数の個別集計方法について説明する。図中には、直近１０秒以内に増加した賞球数が３０以上となったタイミングを（１）として示している。
【０３３７】
この実施形態では、直近１０秒以内に増加した賞球数が３０未満である（１）よりも前の期間では、左ゲート通過数と右ゲート通過数の個別集計を実行していない。一方、直近１０秒以内に増加した賞球数が３０以上である（１）以降の期間では、賞球数が多く設定されている大入賞口への入賞が発生している可能性が高いため、大当り遊技状態において右打ちが実行されているものとして、入力されたゲート通過信号を、右ゲート３３の通過に基づくものであると判定している。
【０３３８】
このように、入力されたゲート通過信号が右ゲート３３の通過に基づくものであるか否かを判別して、右ゲート通過数を個別集計することができる。また、この実施の形態では、右領域打込玉数に対する右ゲート通過数の割合を右ゲート通過率として集計しており、これをホールコンピュータ１２００の表示装置１２０６に表示させることが可能となっている。遊技場の管理者は、右ゲート通過率を把握して、右ゲートの通過頻度を釘調整によって変更することも可能となる。
【０３３９】
（第４の集計処理）
次に、第４の集計処理について、第１の集計処理と異なる点について説明する。
【０３４０】
ここで第４の集計処理に係るパチンコ遊技機１からは、遊技球の発射強度を示す発射強度信号が出力されるものとする。この実施の形態では、打球発射装置が、ステッピングモータによる発射モータ又はロータリソレノイドの軸に直接打球ハンマを固定して遊技球を打出す方式のものであるものとする。そして、打球操作ハンドル５の回動角度（位置）を可変抵抗器により検出し、検出結果に応じて駆動源としてのステッピングモータ又はロータリソレノイドの動作速度を上げることにより遊技球を打出す力（発射強度）が調整されるものとする。そして、可変抵抗器により検出された打球操作ハンドル５の回動角度に応じた発射強度信号が、遊技球が発射される毎に外部出力される（台端末１２２０やホールコンピュータ１２００に入力される）ものとする。
【０３４１】
この実施の形態では、発射強度信号として、発射強度が「弱」の場合には単発パルスの弱信号、発射強度が「強」の場合には連続パルスの強信号が出力されるものとする（図４１を参照）。この実施形態では、弱信号と強信号は共通の信号線（発射強度信号線）から出力され、これらの信号が入力されるホールコンピュータ側では、発射強度信号線から入力されている信号が単発パルスか連続パルスに基づいて発射強度を判別することが可能である。
【０３４２】
ＣＰＵ１２０２は、打込信号の入力を検出した場合には、まず、遊技履歴テーブルにおいて総打込玉数を１０加算し、［更新後の総打込玉数−総賞球数］により総差玉数を更新する。
【０３４３】
さらに、直近に入力された発射強度信号が強信号であるか又は弱信号であるかを判定する。発射強度信号が弱信号であれば、遊技履歴テーブルにおいて左領域打込玉数を１０加算し、更新後の左領域打込玉数に基づいて左ゲート通過率を更新する。発射強度信号が強信号であれば、遊技履歴テーブルにおいて右領域打込玉数を１０加算し、更新後の右領域打込玉数に基づいて右ゲート通過率を更新する。
【０３４４】
すなわち、発射強度信号が弱信号である場合には、遊技球の発射位置から近距離にある左領域への打ち込みが実行されているものとして、左領域打込玉数の集計処理を実行し、発射強度信号が強信号である場合には、遊技球の発射位置から遠距離にある右領域への打ち込みが実行されているものとして、右領域打込玉数の集計処理を実行する。
【０３４５】
ＣＰＵ１２０２は、大当り信号のＯＦＦからＯＮへの切り替わり（立ち上がり）を検出した場合には、まず、遊技履歴テーブルにおいて大当り信号をＯＮに更新し、総大当り回数を１加算する。
【０３４６】
ＣＰＵ１２０２は、時短信号のＯＮからＯＦＦへの切り替わり（立ち下がり）を検出した場合には、遊技履歴テーブルにおいて時短信号をＯＦＦに更新する。
【０３４７】
ＣＰＵ１２０２は、ゲート通過信号の入力を検出した場合には、まず、遊技履歴テーブルにおいて総ゲート通過数を１加算する。
【０３４８】
さらに、直近に入力された発射強度信号が強信号であるか又は弱信号であるかを判定する。発射強度信号が弱信号であれば、遊技履歴テーブルにおいて左ゲート通過数を１加算し、更新後の左ゲート通過数に基づいて左ゲート通過率を更新する。発射強度信号が強信号であれば、遊技履歴テーブルにおいて右ゲート通過数を１加算し、更新後の右ゲート通過数に基づいて右ゲート通過率を更新する。
【０３４９】
すなわち、発射強度信号が弱信号である場合には、遊技球の発射位置から近距離にある左領域への打ち込みが実行されているものとして、左ゲート通過数の集計処理を実行し、発射強度信号が強信号である場合には、遊技球の発射位置から遠距離にある右領域への打ち込みが実行されているものとして、右ゲート通過数の集計処理を実行する。
【０３５０】
次に、図４１を用いて、本実施形態における左ゲート通過数および右ゲート通過数の個別集計方法について説明する。発射強度信号が弱信号から強信号に切り替わったタイミングを（１）として示している。
【０３５１】
この実施形態では、弱信号が入力されている（１）より前の期間では、遊技球の発射強度が弱い左打ちが実行されているものとして、入力されたゲート信号を左ゲート３２の通過に基づくものであると判定している。一方、強信号が入力されている（１）以降の期間では、遊技球の発射強度が強い右打ちが実行されているものとして、入力されたゲート信号を右ゲート３３の通過に基づくものであると判定している。
【０３５２】
このように、入力されたゲート通過信号が左ゲート３２の通過に基づくものであるか又は右ゲート３３の通過に基づくものであるかを判別して、左ゲート通過数及び右ゲート通過数を個別集計することができる。また、この実施の形態では、左領域打込玉数に対する左ゲート通過数の割合を左ゲート通過率として集計し、右領域打込玉数に対する右ゲート通過数の割合を右ゲート通過率として集計しており、これらを対比させてホールコンピュータ１２００の表示装置１２０６に表示させることが可能となっている。遊技場の管理者は、左ゲート通過率と右ゲート通過率とを個別に把握して、左ゲートの通過頻度や右ゲートの通過頻度を釘調整によって変更することも可能となる。
【０３５３】
また、遊技球の発射強度は、左領域への発射および右領域への発射に直結する情報であるため、左ゲート通過数や右ゲート通過数を正確に集計することが可能である。
【０３５４】
［第３の遊技機およびその遊技情報を管理する情報管理装置］
図４２に示す報管理装置としてのホールコンピュータ１２００は、遊技場において複数配置された遊技島に並設される第３の遊技機としてのパチンコ遊技機１における遊技にて発生した遊技情報を管理する。遊技情報は、図４２に示すパチンコ遊技機１や、該パチンコ遊技機１に対応して設けられているアウト玉計数器１１２０等から出力される各種信号に基づいて集計される。
【０３５５】
（第３の遊技機）
第３の遊技機の一例であるパチンコ遊技機１の全体の構成について説明する。ここでは、第１の遊技機と異なる点について説明する。図４３はパチンコ遊技機１を正面からみた正面図である。図４４は、図４３に示す飾り部材９０の拡大斜視図である。図４５は、大当り種別の制御の特徴を表形式で説明する図である。
【０３５６】
演出表示装置９の下方には、遊技球が入賞（進入）可能な第１始動入賞口１３が設けられている。第１始動入賞口１３ａは、遊技領域７の左右方向の中央部に設けられている。第１始動入賞口１３ａに入賞した遊技球は、遊技盤６の背面に導かれ、第１始動口スイッチ１４ａによって検出される。本実施の形態の場合、第１始動入賞口１３は、「左打ち」をしたときが「右打ち」をしたときよりも入賞しやすいように、構造物および釘の配列等により遊技球の流路が形成されている。
【０３５７】
また、第１始動入賞口（第１始動口）１３ａの右側方部における右領域７ｂには、遊技球が入賞（進入）可能な第２始動入賞口１３ｂ（第２始動口）を有する可変入賞球装置（電動チューリップ）１５が設けられている。可変入賞球装置１５は、左右一対の可動片を備え、可動片の状態により、遊技球が入賞可能な第１の状態（開状態）と遊技球が入賞しない第２の状態（開状態）とに変化可能なものである。可動片の上方には、上方からの遊技球の入賞を阻止するストッパ部材が設けられており、閉状態のときには、遊技球が第２始動入賞口１３ｂに入賞しない構造とされている。可変入賞球装置１５に設けられた第２始動入賞口１３ｂは、「右打ち」をしたときが「左打ち」をしたときよりも入賞しやすいように、構造物および釘の配列等により遊技球の流路が形成されている。
【０３５８】
演出表示装置９の右側方の右領域７ｂにおいては、遊技球が進入して通過可能な普図ゲート３２が設けられている。普図ゲート３２には、普図ゲート３２に進入（通過）した遊技球を検出する普図ゲートスイッチ３２ａが設けられている。
【０３５９】
遊技球が普図ゲート３２を通過し普図ゲートスイッチ３２ａで検出されると、普通図柄表示器１０の表示の変動表示が開始される。この実施の形態では、左右のランプ（点灯時に図柄が視認可能になる）が交互に点灯することによって変動表示が行なわれ、たとえば、変動表示の終了時に左側のランプが点灯すれば当りとなる。そして、普通図柄表示器１０における停止図柄が所定の図柄（当り図柄「○」）である場合に、可変入賞球装置１５が所定回数、所定時間だけ開状態になる。すなわち、可変入賞球装置１５の状態は、普通図柄の停止図柄が当り図柄である場合に、遊技者にとって不利な状態から有利な状態（第２始動入賞口１３ｂに遊技球が入賞可能な状態）に変化する。
【０３６０】
また、演出表示装置９の表示画面には、第１保留記憶数と第２保留記憶数との合計である合計数（合算保留記憶数）を表示する領域としての合算保留記憶表示部１８ｃが設けられている。このように、合計数を表示する合算保留記憶表示部１８ｃが設けられることにより、変動表示の開始条件が成立していない実行条件の成立数の合計を把握しやすくすることができる。なお、第１保留記憶数を表示する第１保留記憶表示部と、第２保留記憶数を表示する第２保留記憶表示部とのそれぞれの表示領域が設けられるようにしてもよい。
【０３６１】
遊技領域７の中央の領域においては、演出表示装置９の周囲を枠形状の壁部で囲う態様の飾り部材９０が設けられている。飾り部材９０の下端部には、遊技球が進入（入賞）可能な第１特定領域６１、第２特定領域６２、および、第３特定領域６３という３つの特定領域の領域口が同心円上に分配形成された円盤状の特定領域部６０（「３穴クルーン」ともいう。）が設けられたステージ部４００が形成されている。特定領域部６０は、中心部に向けて傾斜しており、特定領域部６０に誘導された遊技球は、中心部に向けて転動していく。
【０３６２】
ステージ部４００は、流下してくる遊技球を受けるステージ状（舞台状）の部分であり、正面から見て、左右から中央部にかけて下るように傾斜し、かつ、後方から前方にかけて下るように傾斜した形状に形成されている。ステージ部４００の正面から見て中央部には、内部に特定領域部６０が取付けられる円形の穴よりなる特定領域入口部６００が設けられている。
【０３６３】
特定領域入口部６００内においては、周囲よりも１段下がった位置に特定領域部６０が設けられている。ステージ部４００の前縁部としての流下縁部４０は、遊技球が前縁に向けて転がると、どの位置からでも下方へ流下可能な形状に形成されている。すなわち、ガラス扉枠２のガラスと、ステージ部４００の前縁部との間には空間が形成されることにより、ステージ部４００において前方に転がった遊技球は、流下縁部４０を超えると下方へ流下することとなる。これにより、ステージ部４００においては、流下縁部４０が、第１特定領域６１、第２特定領域６２、および、第３特定領域６３のいずれにも進入しない遊技球が飾り部材９０の外部へ流下する流下経路として用いられる。
【０３６４】
なお、第１特定領域６１、第２特定領域６２、および、第３特定領域６３のいずれにも進入しない遊技球が飾り部材９０の外部へ流下する流下経路としては、特定領域入口部６００内、または、特定領域入口部６００外の所定位置に遊技球が進入可能な穴等の開口部を形成し、当該開口部に進入した遊技球を内部に取込まずに遊技領域７に誘導する誘導経路を設け、遊技球を当該誘導経路から放出して流下させるようにしてもよい。
【０３６５】
飾り部材９０の正面から見て右側の側壁部には、矩形状の穴９０１が形成されており、当該穴９０１の外側から内側に挿通する態様で、玉送出装置７０が設けられている。玉送出装置７０は、飾り部材９０の外側において遊技領域７を流下する遊技球を受入れて飾り部材９０の内側に送出する装置である。玉送出装置７０は、上方に向いて開口した球入口７１と、下方に向いて開口した球出口７２とを有する湾曲した形状の誘導路７３と、当該誘導路７３への遊技球の進入を遮蔽する遮蔽状態（閉状態ともいう）と、遊技球の進入を遮蔽しない状態（開状態ともいう）とに変化可能なシャッター状の遮蔽部材７５とを含み、遊技球を特定領域部６０に向けて送出する手段である。玉送出装置７０における球入口７１、誘導路７３、および、球出口７２のそれぞれにおける遊技球の通路は、遊技球を１個ずつ送出するために、１個の遊技球が通過可能な程度の広さで形成されている。
【０３６６】
玉送出装置７０において、遮蔽部材７５は、ソレノイドにより駆動され、球入口７１の内部において、前後方向に移動することで出没することにより、前述の開状態または閉状態となる。たとえば、ソレノイドが非励磁状態ではバネの弾性力により遮蔽部材７５が前方へ付勢されて閉状態となっており、ソレノイドが励磁状態にされると遮蔽部材７５がバネの弾性力に抗して後退して開状態となるように構成されている。遮蔽部材７５が設けられた位置のよりも下方においては、誘導路７３での遊技球の進入（言い換えると遊技球の送出）を検出する送出領域スイッチ３３が設けられている。なお、遮蔽部材７５を駆動する手段は、このような開状態または閉状態とすることができる駆動手段であれば、ソレノイドに限らず、モータ等のその他の駆動手段を設けてもよい。
【０３６７】
玉送出装置７０において、遊技領域７においては、球入口７１近傍の障害釘Ｐにより誘導された遊技球等、流下する遊技球が、球入口７１に向けて転動する。遮蔽部材７５は、通常時は開状態（あるいは開状態と閉状態が所定の周期で切り替わる状態）である。遮蔽部材７５が開状態であるときには、遊技球が誘導路７３内に進入可能となり、進入した遊技球が誘導路７３内で球出口７２へ誘導されていく。閉状態であるときは、遊技球は誘導路７３に進入できない。開状態であるときに遊技球が誘導路７３内に進入して送出領域スイッチ３３により検出されると、遮蔽部材７５が所定の閉期間（例えば５秒間）の間、閉状態に制御される。遮蔽部７５が閉状態となる期間は、遊技球が球入口７１に進入してから第１特定領域６１、第２特定領域６２、および第３特定領域６３のいずれかの特定領域を通過するか、または飾り部材９０の外部に流出するに十分な期間であればよい。このように、遮蔽部材７５は、遊技球が玉送出装置７０に１個進入するとただちに閉状態となる。これにより、特定領域を含む飾り部材９０の内部に遊技球が１個ずつ受入れられ、１個ずつ送出されることとなる。
【０３６８】
このように、同時に複数の遊技球が特定領域部６０に向けて送出されることがないので、送出された遊技球が第１特定領域６１、第２特定領域６２、および第３特定領域６３のいずれの特定領域を通過するか、またはいずれの特定領域も通過せずに飾り部材９０の外部へ流下するかを把握し易くすることができる。また、送出領域スイッチ３３により特定領域部６０に向けて送出される遊技球を検出することが可能であるため、この検出に応じた演出を実行することが可能である。
【０３６９】
球出口７２は、ステージ部４００の上方において下方を向いた態様で開口している。たとえば、球出口７２は、正面から見て特定領域入口部６００の右端部近傍上の位置にある。誘導路７３内で球出口７２まで誘導された遊技球は、球出口７２から、特定領域部６０を含むステージ部４００へ向けて送出されて落下することとなる。ステージ部４００に向けて落下した遊技球は、ステージ部４００上で転動し、第１特定領域６１、第２特定領域６２、および、第３特定領域６３のいずれかに進入するか、または、いずれにも進入せずに、流下縁部４０から飾り部材９０の外部へ流下する。
【０３７０】
なお、球出口７２の位置は、特定領域部６０に対して遊技球を送出できる位置であれば、特定領域部６０上のどの位置であってもよく、また、特定領域部６０上以外のステージ部４００上の位置であってもよい。また、特定領域部６０に設けられる特定領域は、複数設けられればよく、３つに限られない。また、球出口７２は、遊技球をステージ部４００の上方から落下させる位置ではなく、たとえば、遊技球を落下させずにステージ部４００の側面から転動する態様で特定領域部６０に対して遊技球を送出できる位置に設けてもよい。
【０３７１】
第１特定領域６１に進入した遊技球は、第１特定領域スイッチ６１ａにより検出される。第２特定領域６２に進入した遊技球は、第２特定領域スイッチ６２ａにより検出される。第３特定領域６３に進入した遊技球は、第３特定領域スイッチ６３ａにより検出される。
【０３７２】
権利発生状態（大当り図柄が停止してから遊技球が第１特定領域６１、第２特定領域６２、および、第３特定領域６３のうちのいずれかに進入するまでの期間）において玉送出装置７０から送出された遊技球が、第１特定領域６１、第２特定領域６２、および、第３特定領域６３のいずれかに進入（入賞）したときは、後述するような大入賞口の開放制御状態（大当り遊技状態）に制御される。具体的には、遊技球が、第１特定領域スイッチ６１ａ、第２特定領域スイッチ６２ａ、および、第３特定領域スイッチ６３ａのいずれかにより検出されたときに、大当り遊技状態に制御される。
【０３７３】
一方、一旦閉状態となった遮蔽部材７５は所定期間経過後には再度開状態となる。そのため、権利発生状態において玉送出装置７０から送出された遊技球が、所定期間内に第１特定領域６１、第２特定領域６２、および、第３特定領域６３のいずれかに進入しないときでも、再度玉送出装置７０に遊技球を受け入れて特定領域部６０に送出可能な状態となる。すなわち、遊技球が送出領域スイッチ３３で検出されてから所定期間経過しても、第１特定領域スイッチ６１ａ、第２特定領域スイッチ６２ａ、第３特定領域スイッチ６３ａ、および共通領域スイッチ６４ａのいずれでも検出されない場合、再度遮蔽部材７５を開状態として玉送出装置７０に遊技球を受入れて送出する制御が行なわれる。遊技球が第１特定領域６１、第２特定領域６２、および、第３特定領域６３のうちのいずれかに進入するまで繰返し遊技球を受入れて特定領域部６０に送出することになる。
【０３７４】
本実施の形態の場合、普図ゲート３２、および、玉送出装置７０の球入口７１のそれぞれは、右領域７ｂに設けられており、「右打ち」をしたときに遊技球が進入可能であるが、「左打ち」をしたときには遊技球が進入不可能となるように、構造物および釘の配列等により遊技球の流路が形成されている。なお、普図ゲート３２は、「右打ち」をしたときが「左打ち」をしたときよりも遊技球が進入しやすい（遊技球が進入不可能ではない）ように、構造物および釘の配列等により遊技球の流路が形成されてもよい。
【０３７５】
パチンコ遊技機１においては、第１特別図柄表示器８ａまたは第２特別図柄表示器８ｂによる変動表示の表示結果が大当り表示結果となったとき、そして、このような表示結果に対応して演出表示装置９による変動表示の表示結果が大当り表示結果となったときに、当該大当り表示結果の停止表示から遊技球が第１特定領域６１、第２特定領域６２、および、第３特定領域６３のうちのいずれかに進入するまでの期間は権利発生状態に制御される。当該権利発生状態においては、遊技球が第１特定領域６１、第２特定領域６２、および、第３特定領域６３のうちのいずれかに進入することに基づいて、大当り遊技状態に制御される。すなわち遊技者にとって有利な大入賞口の開放制御状態を実行する権利が発生した権利発生状態に制御される。
【０３７６】
そして、権利発生状態において、遊技球が、第１特定領域６１に進入して第１特定領域スイッチ６１ａにより検出され、第２特定領域６２に進入して第２特定領域スイッチ６２ａにより検出され、または、第３特定領域６３に進入して第３特定領域スイッチ６３ａにより検出されると、大入賞口の開放制御状態（大当り遊技状態）に制御される。
【０３７７】
本実施の形態では、変動表示の表示結果が大当り表示結果となることに基づいて権利発生状態となり、権利発生状態において遊技球が第１特定領域６１、第２特定領域６２、および、第３特定領域６３のうちいずれかに進入すると特別可変入賞球装置２０の大入賞口を開放する開放制御状態となる。遊技者にとって有利となる大当り遊技状態は、このような権利発生状態後の開放制御状態が該当する。また、権利発生状態は、遊技球が特定領域（第１特定領域６１、第２特定領域６２、第３特定領域６３）に進入すること以外の条件で終了することはない。したがって、変動表示の表示結果が大当り表示結果となったときに、大当り遊技状態（開放制御状態）に制御可能となる所定条件が成立することとなる。変動表示の表示結果を大当り表示結果とするか否かは、変動表示結果が表示される前に事前決定される。したがって、このような事前決定は、開放制御状態（大当り遊技状態）に制御可能な状態とするか否かの事前決定と定義することができる。
【０３７８】
また、本実施の形態では、玉送出装置７０および飾り部材９０においては、玉送出装置７０から送出された１つの遊技球が第１特定領域６１、第２特定領域６２、および、第３特定領域のいずれにも進入しない流下経路として、ステージ部４００の流下縁部４０があるので、玉送出装置７０から送出された１つの遊技球が、いずれかの特定領域に進入する場合と、いずれの特定領域にも進入しない場合とが生じるため、権利発生状態が成立した後に遊技球がいずれかの特定領域に進入したことに基づいて大当り遊技状態に制御される構成における遊技の興趣を向上させることができる。
【０３７９】
なお、権利発生状態とする大当り表示結果を決定することが結果的に開放制御状態に制御することに関与するので、表示結果を決定することを、大当りとするか否かを決定する大当り判定と呼ぶ場合がある。また、本実施の形態では、大入賞口が開放される開放制御状態が遊技者にとって有利な状態であるので、開放制御状態のみを「大当り」と呼ぶが、前述した権利発生状態も開放制御状態に制御されることが保証された遊技者にとって有利な状態であるので、権利発生状態と開放制御状態とを含めて「大当り」と呼んでもよい。したがって、本実施の形態において「大当り」と呼ぶときは、基本的に開放制御状態を示すが、たとえば「大当り確率」のように権利発生状態となる大当り表示結果を決定する確率等のように、「大当り」という概念で示した方が意味が分かりやすくなるときには、権利発生状態ならびに開放制御状態を含む概念として、「大当り」と呼ぶ場合がある。
【０３８０】
本実施の形態では、前述したように、遊技領域７における複数の領域（左領域７ａ、右領域７ｂ）のうちの特別可変入賞球装置２０が設けられた領域に、玉送出装置７０の球入口７１が設けられている。そして、打球操作ハンドル５の操作量に応じて打球発射装置の発射強度を変更することで、右打ちまたは左打ちする等、遊技者の選択により遊技球を打込む領域が変更できるので、遊技者が大入賞口の開放制御状態を開始させる意思を持ったときに開放制御状態を開始させることができるようになり、遊技者の意に反した時期に開放制御状態が開始されてしまうことを防ぐことができる。
【０３８１】
また、図４３に示すように、遊技領域７における右領域７ｂには、可変入賞球装置１５の下方に、遊技球が入賞可能な特別可変入賞球装置２０が設けられている。特別可変入賞球装置２０は、大入賞口と呼ばれる入賞口を開閉可能な開閉板を備え、遊技球が入賞可能な開状態（第１の状態）と、遊技球が入賞しない閉状態（第２の状態）とに変化可能な可変入賞装置である。これにより、特別可変入賞球装置２０は、右領域７ｂに設けられており、「右打ち」をしたときに遊技球が進入可能であるが、「左打ち」をしたときには遊技球が進入不可能となるように、構造物および釘の配列等により遊技球の流路が形成されている。
【０３８２】
図４５においては、（Ａ）に大当り時の制御の概要が表形式で示され、（Ｂ）に特定領域の種別と大当り時のラウンド数（ラウンド上限値）との関係が示されている。
【０３８３】
「大当り」のうち、大当り遊技状態に制御された後、低確率状態（高確率状態ではない通常の大当り確率となっている状態であり通常状態ともいう）に比べて大当りとすることに決定される確率が高い高確率状態（確変状態ともいう）に移行する大当りの種類（種別）は、「確変大当り」と呼ばれる。
【０３８４】
「大当り」のうち、大当り遊技状態に制御された後、低確率状態に移行する大当りの種類（種別）は、「通常大当り」と呼ばれる。
【０３８５】
本実施の形態では、通常大当りとして、通常大当りＡ〜Ｇという複数種類の通常大当りが設けられており、また、確変大当りとして、確変大当りＡ〜Ｇという複数種類の確変大当りが設けられている。これらの大当り種別のうち、いずれの大当り種別とするかは、特別図柄の変動表示が開始されるときに、大当りとすることの決定がされた場合に、抽出された大当り種別判定用乱数の値に基づいて決定される。大当りとすることの決定および大当り種別の決定がされると、遊技制御用マイクロコンピュータは、第１特別図柄表示器８ａまたは第２特別図柄表示器８ｂにより変動表示が実行されて大当り図柄が導出表示されたことに基づいて権利発生状態に移行する。そして、権利発生状態において第１特定領域６１、第２特定領域６２、および、第３特定領域６３のいずれかを遊技球が通過したことに基づいて、特別可変入賞球装置２０の開放態様を選択する（ラウンド数を決定する）。
【０３８６】
図４５（Ａ）では、通常大当りＡ〜Ｇおよび確変大当りＡ〜Ｇの大当り種別ごとに、大当り遊技状態の終了後の大当り確率、大当り遊技状態の終了後のベース、大当り遊技状態の終了後の変動時間、大当り遊技状態における開放回数（ラウンド数）、および、各ラウンドの開放時間が示されている。
【０３８７】
具体的に、通常大当りＡ〜Ｇおよび確変大当りＡ〜Ｇのそれぞれの大当り遊技状態においては、特別可変入賞球装置２０が、開放状態とされた後、所定の開放状態の終了条件（開放状態において所定期間（たとえば２９秒間）が経過したこと、または、所定個数（たとえば１０個）の入賞球が発生したという開放終了条件）が成立したことに応じて閉鎖状態とされる。そして、開放終了条件が成立すると、継続権が発生し、特別可変入賞球装置２０の開放が再度行なわれる。継続権の発生は、大当り遊技状態における開放回数が、ラウンド数の上限値（最終ラウンド）に達するまで繰返される。
【０３８８】
通常大当りＡ〜Ｇのそれぞれの大当り遊技状態におけるラウンド数の上限値は、（Ｂ）に示されるように、第１特定領域６１、第２特定領域６２、および、第３特定領域６３のうち、どの特定領域への遊技球の進入が、権利発生状態から開放制御状態に移行するきっかけとなったか、に応じて選択決定される。そして、通常大当りＡ〜Ｇのそれぞれでは、通常大当りの種別ごとに、第１特定領域６１、第２特定領域６２、および、第３特定領域６３のそれぞれの領域に対応するラウンド数の上限値の割振りが異なるように設定されている。
【０３８９】
たとえば、通常大当りＡの場合、第１特定領域６１への遊技球の進入に基づいて開放制御状態に移行したときには、ラウンド数の上限値が５ラウンドに決定される。第２特定領域６２への遊技球の進入に基づいて開放制御状態に移行したときには、ラウンド数の上限値が１０ラウンドに決定される。第３特定領域６３への遊技球の進入に基づいて開放制御状態に移行したときには、ラウンド数の上限値が１５ラウンドに決定される。
【０３９０】
（Ｂ）に示されるように、通常大当りＡ〜Ｇのそれぞれの大当り遊技状態におけるラウンド数の上限値を選択するときの遊技者にとっての有利度は、通常大当りＡ＝Ｂ＝Ｃ＜Ｄ＝Ｅ＝Ｆ＜Ｇという関係となるように設定されている。
【０３９１】
また、確変大当りＡ〜Ｇのそれぞれの大当り遊技状態におけるラウンド数の上限値は、（Ｃ）に示されるように、第１特定領域６１、第２特定領域６２、および、第３特定領域６３のうち、どの特定領域への遊技球の進入が、権利発生状態から開放制御状態に移行するきっかけとなったか、に応じて選択決定される。そして、確変大当りＡ〜Ｇのそれぞれでは、確変大当りの種別ごとに、第１特定領域６１、第２特定領域６２、および、第３特定領域６３のそれぞれの領域に対応するラウンド数の上限値の割振りが異なるように設定されている。
【０３９２】
（Ｂ）に示されるように、確変大当りＡ〜Ｇのそれぞれの大当り遊技状態におけるラウンド数の上限値を選択するときの遊技者にとっての有利度は、確変大当りＡ＝Ｂ＝Ｃ＜Ｄ＝Ｅ＝Ｆ＜Ｇという関係となるように設定されている。
【０３９３】
このように、第１特定領域６１、第２特定領域６２、および、第３特定領域６３は、大当りの種別に応じて、遊技球が進入したときに移行する開放制御状態（大当り遊技状態）でのラウンド数の上限値の割振りが異なるので、遊技球が進入したときに移行する開放制御状態（大当り遊技状態）において付与される価値の大きさの割振りが異なる。
【０３９４】
この実施の形態では、大当り遊技状態において付与される遊技価値として、第１特定領域６１、第２特定領域６２、および、第３特定領域６３のいずれの特定領域を遊技球が通過したかによって付与される価値の大きさが異なる第１の遊技価値としてのラウンド数と、第１特定領域６１、第２特定領域６２、および、第３特定領域６３のいずれの特定領域を遊技球が通過したかによらず大当り判定のときに付与するか否かが決定される第２の遊技価値としての高確率状態が存在する。このように遊技価値の付与態様を多様化することで、遊技の興趣を向上させるようにしている。
【０３９５】
このように、大当りとなるときには、権利発生状態においていずれの特定領域に遊技球が進入したかに応じて、開放制御状態におけるラウンド数が選択されるように制御される。
【０３９６】
通常大当りＡ〜Ｇおよび確変大当りＡ〜Ｇのそれぞれについて、ラウンド数が異なる大当りが選択され得るので、ラウンド数が異なる大当りについても種別が異なる大当りとして類別した場合、本実施の形態では、５Ｒ通常大当り、１０Ｒ通常大当り、１５Ｒ通常大当り、５Ｒ確変大当り、１０Ｒ確変大当り、および、１５Ｒ確変大当りという複数の種別の大当りが選択され得ることとなる。
【０３９７】
この実施の形態では、５Ｒ通常大当り、１０Ｒ通常大当り、および、１５Ｒ通常大当りのような通常大当りについて、これらを総称して「通常大当り」として示す場合があり、５Ｒ通常大当り、１０Ｒ通常大当り、または、１５Ｒ通常大当りというように、ラウンド数を特定した通常大当りとして示す場合がある。同様に、この実施の形態では、５Ｒ確変大当り、１０Ｒ確変大当り、および、１５Ｒ確変大当りのような確変大当りについて、これらを総称して「確変大当り」として示す場合があり、５Ｒ確変大当り、１０Ｒ確変大当り、または、１５Ｒ確変大当りというように、ラウンド数を特定した確変大当りとして示す場合がある。
【０３９８】
なお、本実施の形態では、通常大当りＡ〜Ｇおよび確変大当りＡ〜Ｇについて、ラウンド数の上限値の選択対象（５Ｒ、１０Ｒ、１５Ｒ）が同じである例を説明するが、これに限らず、大当り種別により、ラウンド数の上限値の選択対象が異なる（たとえば、確変大当りのときには通常大当りのときよりも選択対象のラウンド数の上限値が大きい等）ようにしてもよい。
【０３９９】
本実施の形態において、確変大当りは、決定されたラウンド数の大当り遊技状態の終了後に、高確率／高ベース状態に移行する制御が行なわれる大当りである。確変大当りの場合は、高確率／高ベース状態が、変動表示回数とは関係なく、次回の大当りが発生するまでという条件が成立するまでの期間継続する。
【０４００】
また、本実施の形態において、通常大当りは、決定されたラウンド数の大当り遊技状態の終了後に、低確率／高ベース状態に移行する制御が行なわれる大当りである。通常大当りの場合は、低確率／高ベース状態が、変動表示が１００回という所定回数実行されるまでという条件と、次回の大当りが発生するまでという条件とのいずれか早い方の条件が成立するまでの期間継続する。
【０４０１】
本実施の形態のパチンコ遊技機１は、打球操作ハンドル５の操作量を調整することにより発射強度を調整することにより、次のような態様で遊技者が遊技球を左領域７ａまたは右領域７ｂへ打分けることにより、遊技者にとって有利な状態に制御されやすくなるように構成されている。
【０４０２】
低ベース状態においては可変入賞球装置１５が開状態になりにくく、第１始動入賞口１３ａの方が第２始動入賞口１３ｂよりも遊技球が進入しやすい。したがって、低ベース状態においてより多数の始動入賞を得たい場合に、遊技者は、第１始動入賞口１３ａを狙って「左打ち」をすればよい。
【０４０３】
また、大当り遊技状態後の高ベース状態においては、低ベース状態と比べて可変入賞球装置１５が開状態になりやすく、第２始動入賞口１３ｂの方が第１始動入賞口１３ａよりも遊技球が進入しやすい。したがって、大当り遊技状態後の高ベース状態においてより多数の始動入賞を得たい場合に、第２始動入賞口１３ｂが設けられた可変入賞球装置１５を開状態にするために、普図ゲート３２を狙って「右打ち」をすればよい。
【０４０４】
また、特別図柄および演出図柄の変動表示結果が大当り表示結果となって権利発生状態となったときには、遊技球が、第１特定領域６１、第２特定領域６２、および、第３特定領域６３のうちいずれかを通過すれば大入賞口の開放制御状態となる大当り遊技状態に制御される。したがって、権利発生状態において大入賞口の開放制御状態に移行させたい場合には、玉送出装置７０の球入口７１を狙って「右打ち」をすればよい。
【０４０５】
また、権利発生状態において遊技球が第１特定領域６１、第２特定領域６２、および、第３特定領域６３のうちいずれかを通過して大入賞口の開放制御状態となったときには、特別可変入賞球装置２０の大入賞口を狙って「右打ち」をすればよい。
【０４０６】
本実施形態に係る第３の遊技機では、第１特別図柄表示器８ａや第２特別図柄表示器８ｂにおいて特別図柄の変動表示が終了して表示結果が導出表示されたときに、特別図柄が確定したことを示す図柄確定信号が出力される。図柄確定信号は所定幅のパルス信号である。また、権利発生状態において遊技球が第１特定領域６１、第２特定領域６２、および、第３特定領域６３のうちのいずれかに進入したことに基づいて大当り遊技状態に制御されたときに、大当り遊技状態に制御されていることを示す大当り信号が出力される。大当り信号は大当り遊技状態の開始から大当り遊技状態の終了（最終ラウンドの終了）まで出力される（ＯＮとなる）信号である。また、特別可変入賞球装置２０が開放制御状態のときには、開放制御状態であることを示す開放信号が出力される。開放信号は１ラウンドの開始（大入賞口の開放開始）から１ラウンドの終了（大入賞口の開放終了）まで出力される（ＯＮとなる）信号である。さらに、高確率状態に制御されている期間は、高確率状態に制御されていることを示す確変信号が情報出力回路１５９から出力される。確変信号は高確率状態の開始（確変大当りの大当り遊技状態の終了）から高確率状態の終了（大当り遊技状態の開始）まで出力される（ＯＮとなる）信号である。これらの各種信号は、ターミナル基板を介して出力される。
【０４０７】
また、前述したように、賞球が１０個払い出される毎にターミナル基板１６０から賞球信号が出力される。賞球信号は所定幅のパルス信号である。
【０４０８】
（遊技情報の集計）
図４２に戻り、上述したパチンコ遊技機１の下方には、該パチンコ遊技機１において遊技に使用されて、該パチンコ遊技機１から排出された遊技球（アウト玉）を計数するアウト玉計数器１１２０が設けられている。所定数（例えば１０玉）のアウト玉が計数される毎にアウト玉計数器１１２０から打込信号が出力される。打込信号は所定幅のパルス信号である。
【０４０９】
ターミナル基板から出力される賞球信号、大当り信号、開放信号、図柄確定信号、および確変信号、ならびに、アウト玉計数器１１２０から出力される打込信号が、台端末１２２０等の中継機器および通信ケーブルを介してホールコンピュータ１２００の通信部１２０７に入力されることで、該ホールコンピュータ１２００において各パチンコ遊技機１の遊技情報を集計できるようになっている。
【０４１０】
本実施形態に係るホールコンピュータ１２００の記憶装置１２０６には、該ホールコンピュータ１２００が実施する各種処理内容が記述された処理プログラムに加えて、図４６に示す全体テーブルと、図４７に示す台別履歴テーブルと、図４８に示す台別統計テーブルが記憶されている。
【０４１１】
全体テーブルには、図４６に示すように、遊技場に設置されている各パチンコ遊技機１の台番号に対応付けて、当該パチンコ遊技機１が通常状態（低確率状態）であるか確変状態（高確率状態）であるかを示す「遊技状態」と、大当り遊技状態に制御されているか否かを示す「大当り信号」と、大当り遊技状態に制御されている場合の現在のラウンド数を示す「ラウンド数」と、当日払い出された賞球数の合計を示す「総賞球数」と、当日打ち込まれた打込玉数の合計を示す「総打込玉数」と、「総打込玉数」−「総賞球数」により算出される「総差玉数」と、当日の特別図柄の変動表示回数を示す「総スタート回数」と、当日の大当り発生回数を示す「総大当り回数」と、当日の確変大当り回数を示す「総確変回数」と、直前の図柄確定信号入力後からの賞球数を示す「図柄確定後賞球数」と、直前の図柄確定信号入力後からの打込玉数を示す「図柄確定後打込玉数」と、「図柄確定後打込玉数」−「図柄確定後賞球数」により算出される「図柄確定後差玉数」とが記憶されている。
【０４１２】
台別履歴テーブルは、図４７に示すように、台番号毎に設けられており、当該台番号のパチンコ遊技機１において当日発生した全ての大当りの履歴が記憶されている。「大当り番号」は、当日発生した大当りの順番に応じて付される大当り遊技状態の識別番号であり、「ラウンド数」は、当該大当り遊技状態のラウンド数（最終ラウンド数）を示し、「待機期間差玉数」は、当該大当り遊技状態に係る大当り図柄の導出表示から大当り遊技状態に制御されるまでの期間（前述した権利発生前状態および権利発生状態を合計した期間）における差玉数（当該期間における打込玉数−当該期間における賞球数）を示し、「大当り期間差玉数」は、当該大当り遊技状態に制御されている期間における差玉数（当該期間における打込玉数−当該期間における賞球数）を示している。
【０４１３】
台別統計テーブルは、図４８に示すように、台番号毎に設けられており、当該台番号のパチンコ遊技機１において当日発生した大当りの統計情報が記憶されている。「待機期間平均差玉数」は、当日発生した全ての大当りにおける「待機期間差玉数」の平均値を示しており、「大当り回数」は、ラウンド数の異なる複数の大当り遊技状態（この例では５Ｒ、１０Ｒ、１５Ｒ）各々について、当日発生した回数を示しており、「大当り期間平均差玉数」は、ラウンド数の異なる複数の大当り遊技状態（この例では５Ｒ、１０Ｒ、１５Ｒ）各々について、当日における「大当り期間差玉数」の平均値を示している。
【０４１４】
次に図４９を用いて、パチンコ遊技機１において大当り遊技状態に制御される場合のホールコンピュータ１２００における差玉の集計方法について説明する。パチンコ遊技機１において特別図柄の変動表示が実行されて大当り図柄が導出表示されると、これに伴い、図柄確定信号がホールコンピュータ１２００に入力される（このタイミングを（１）として示す）。そして、パチンコ遊技機１においては前述したようにゲート無効期間を経て権利発生状態となり、該権利発生状態において第１特定領域６１〜第３特定領域６３のいずれかを遊技球が通過すると、開放態様選択処理が実行されて大当り遊技状態のラウンド数が決定される。この例では５ラウンドに決定されたものとする。そして、該決定されたラウンド数の大当り遊技状態に制御され、大当り信号がＯＮになる（このタイミングを（２）として示す）。大当り遊技状態の開始に伴い大入賞口が開放されて、各ラウンド（１Ｒ〜５Ｒ）の開放期間（例えば１０個の遊技球が入賞するまでの期間または２９秒）に応じて開放信号がＯＮになる。そして、最終ラウンドの終了に伴い大当り遊技状態が終了して、大当り信号がＯＦＦになる（このタイミングを（３）として示す）。
【０４１５】
この実施の形態では、ホールコンピュータ１２００は、図柄確定信号の入力から大当り信号がＯＮとなるまでの待機期間、すなわち（１）から（２）までの期間の差玉数を「待機期間差玉数」として集計する。また、図柄確定信号の入力から大当り信号がＯＦＦとなるまでの合計期間、すなわち（１）から（３）までの期間の差玉数を「合計期間差玉数」として集計する。また、大当り信号がＯＮとなってから大当り信号がＯＦＦとなるまでの大当り期間、すなわち（２）から（３）までの期間の差玉数を「大当り期間差玉数」として集計する。「大当り期間差玉数」は「合計期間差玉数」−「待機期間差玉数」により算出される。
【０４１６】
（第１の差玉集計処理）
次に、ホールコンピュータ１２００が実行する第１の差玉集計処理について説明する。ＣＰＵ１２０２は、賞球信号、打込信号、および図柄確定信号の入力、ならびに、大当り信号、開放信号、および確変信号の切り替わり（ＯＦＦからＯＮ、ＯＮからＯＦＦへの変化）を待機しており、これらの検出に伴い、検出結果に応じた集計処理を実行する。
【０４１７】
ＣＰＵ１２０２は、賞球信号の入力を検出した場合には、まず、全体テーブルにおいて総賞球数を１０加算し、［総打込玉数−更新後の総賞球数］により総差玉数を更新する。さらに、図柄確定後賞球数を１０加算し、［図柄確定後打込玉数−更新後の図柄確定後賞球数］により図柄確定後差玉数を更新する。ＣＰＵ１２０２は、打込信号の入力を検出した場合には、まず、全体テーブルにおいて総打込玉数を１０加算し、［更新後の総打込玉数−総賞球数］により総差玉数を更新する。さらに、図柄確定後打込玉数を１０加算し、［更新後の図柄確定後打込玉数−図柄確定後賞球数］により図柄確定後差玉数を更新する。
【０４１８】
ＣＰＵ１２０２は、図柄確定信号の入力を検出した場合には、まず、全体テーブルにおいて総スタート回数を１加算し、図柄確定後賞球数を０にリセットし、図柄確定後打込玉数を０にリセットし、図柄確定後差玉数を０にリセットする。このようにして、図柄確定後賞球数、図柄確定後打込玉数、および図柄確定後差玉数は、図柄確定信号の入力毎に０にリセットされる。
【０４１９】
ＣＰＵ１２０２は、大当り信号のＯＦＦからＯＮへの切り替わり（立ち上がり）を検出した場合には、まず、全体テーブルにおいて大当り信号をＯＮに更新し、総大当り回数を１加算する。また、台別履歴テーブルにおいて加算更新後の大当り回数を大当り番号として記憶し、全体テーブルにおける図柄確定後差玉数を台別履歴テーブルにおける待機期間差玉数として履歴化する。このときの図柄確定後差玉数は、大当り図柄が導出表示されてから大当り遊技状態が開始されるまでの期間の差玉数に相当する。
【０４２０】
ＣＰＵ１２０２は、開放信号のＯＦＦからＯＮへの切り替わり（立ち上がり）を検出した場合には、全体テーブルにおいてラウンド数を１加算する。
【０４２１】
ＣＰＵ１２０２は、大当り信号のＯＮからＯＦＦへの切り替わり（立ち下がり）を検出した場合には、まず、全体テーブルにおいて大当り信号をＯＦＦに更新し、全体テーブルにおけるラウンド数を台別履歴テーブルにおけるラウンド数として履歴化した後、全体テーブルにおけるラウンド数を０にリセットする。さらに、全体テーブルにおける図柄確定後差玉数を台別履歴テーブルにおける合計期間差玉数として履歴化し、台別履歴テーブルにおいて「合計期間差玉数」−「待機期間差玉数」を「大当り期間差玉数」として履歴化する。このときの合計期間差玉数は、大当り図柄が導出表示されてから大当り遊技状態が終了するまでの期間の差玉数に相当する。
【０４２２】
このように、大当り図柄が導出表示されたことに伴って権利発生状態となり、権利発生状態において遊技球が第１特定領域６１〜第３特定領域６３のいずれかを通過したことに基づいて大当り遊技状態に制御される場合において、大当り期間のみならず待機期間と大当り期間との合計期間における差玉数を集計することにより、大当り発生に伴って実質的に遊技者が獲得する遊技球数を把握することが可能となる。例えば、大入賞口への入賞が容易であっても、権利発生状態において遊技球が第１特定領域６１〜第３特定領域６３を通過することが困難である場合には、権利発生状態の期間は打込玉数がかさむことになる。その分、遊技者が大当り発生に伴って実質的に獲得可能な遊技球数は減少することになる。すなわち、単に大当り期間のみの差玉数を集計したのでは、大当り発生による遊技者の有利度を正確に把握することができない。本実施の形態では、大当り期間のみならず待機期間も含めた合計期間の差玉数を集計することにより、大当り発生による遊技者の有利度を正確に把握することが可能となる。
【０４２３】
また、この実施の形態では、大当り図柄の導出表示から大当り遊技状態に制御されるまでの待機期間における待機期間差玉数と、大当り遊技状態に制御されている大当り期間における大当り期間差玉数とを個別に把握することが可能となる。待機期間差玉数は球入口７１近傍の障害釘Ｐを調整する際の指標とすることができ、大当り期間差玉数は特別可変入賞球装置２０近傍の障害釘を調整する際の指標とすることができる。例えば、待機期間差玉数の値が小さい（賞球数に対しての打込玉数が少なく遊技者にとって有利であることを示す）場合には、球入賞口７１への入賞が困難（即ち、特定領域への入賞が困難）となるように、球入口７１近傍の障害釘Ｐを調整するようにする。また、大当り期間差玉数の値が大きい（賞球数に対しての打込玉数が多く遊技者にとって不利であることを示す）場合には、大入賞口への入賞が容易となるように、特別可変入賞球装置２０近傍の障害釘を調整するようにする。
【０４２４】
また、この実施の形態では、通常のパチンコ遊技機（およびこれに対応するアウト玉計数器）から出力される図柄確定信号および大当り信号に基づいて、大当り信号の入力直前に入力された図柄確定信号の入力タイミングを待機期間の開始点（すなわち待機期間の開始点）として、待機期間差玉数および合計期間差玉数の集計を実行することが可能である。すなわち、大当り図柄が導出表示されたタイミングを特定するために特殊な手段を用いることなく、待機期間差玉および合計期間差玉の集計を行うことができる。
【０４２５】
ＣＰＵ１２０２は、確変信号のＯＮからＯＦＦへの切り替わり（立ち上がり）を検出した場合には、全体テーブルにおいて遊技状態を確変状態に更新し、総確変回数を１加算する。ＣＰＵ１２０２は、確変信号のＯＦＦからＯＮへの切り替わり（立ち下がり）を検出した場合には、全体テーブルにおいて遊技状態を通常状態に更新する。
【０４２６】
なお、図４８に示した台別統計テーブルは、台別履歴テーブルに基づいて以下のようにして更新される。まず、台別履歴テーブルにおける最新の大当り番号について、前述した集計処理に基づいてラウンド数、待機期間差玉数、大当り期間差玉数、および合計期間差玉数が履歴化された場合に、当該台別履歴テーブルにおける全ての待機期間差玉数を対象とした平均値を算出して、台別統計テーブルの待機期間平均差玉数とする。また、台別履歴テーブルにおける最新の大当り番号に対応するラウンド数（５Ｒ、１０Ｒ、または１５Ｒ）に基づいて台別統計テーブルにおいて当該ラウンド数の大当り回数を１加算する。また、台別履歴テーブルにおける最新の大当り番号に対応するラウンド数（５Ｒ、１０Ｒ、または１５Ｒ）と同じラウンド数の大当り期間差玉数を対象とした平均値を算出して、台別統計テーブルにおいて当該ラウンド数（５Ｒ、１０Ｒ、または１５Ｒ）に対応する大当り期間平均差玉数とする。また、台別履歴テーブルにおける最新の大当り番号に対応するラウンド数（５Ｒ、１０Ｒ、または１５Ｒ）と同じラウンド数の合計期間差玉数を対象とした平均値を算出して、台別統計テーブルにおいて当該ラウンド数（５Ｒ、１０Ｒ、または１５Ｒ）に対応する合計期間平均差玉数とする。
【０４２７】
このように、大当り遊技状態のラウンド数を特定可能な開放信号が入力されることにより、ラウンド数が異なる複数の大当り遊技状態が存在する場合に、いずれのラウンド数の大当り遊技状態に制御されたのかを識別することが可能となる。これにより、ラウンド数が異なる複数の大当り遊技状態毎に大当り回数、大当り期間平均差玉数、および合計期間平均差玉数を集計することが可能となる。
【０４２８】
（第２の差玉集計処理）
次に、第２の差玉集計処理について、第１の差玉集計処理と異なる点について説明する。第２の差玉集計処理に係るパチンコ遊技機１には、特別図柄の表示結果が大当り図柄となるときに、第１特別図柄表示器８ａまたは第２特別図柄表示器８ｂに大当り図柄が導出表示される前、すなわち大当り図柄の導出表示に基づく図柄確定信号が出力される前に点灯する大当り報知ＬＥＤ５１が設けられている。
【０４２９】
本実施形態においては、大当り報知ＬＥＤ５１の発光を検出する発光検出センサ１２１０が配置されている。例えば、発光検出センサ１２１０はフォトダイオードにより構成されており、大当り報知ＬＥＤ５１から受光したことに基づいて所定の発光検出信号を出力する。発光検出信号は所定幅のパルス信号である。発光検出信号は、台端末１２２０等の中継機器を経由して台識別情報と共にホールコンピュータ１２００の通信部１２０７に入力される。ＣＰＵ１２０２は、該入力された発光検出信号に基づいて当該台番号のパチンコ遊技機１において大当り図柄が導出表示されること（大当りが発生すること）を検出する。即ち、ＣＰＵ１２０２は、大当り図柄の導出表示前に、当該台番号のパチンコ遊技機１において大当り図柄が導出表示されることを検出することになる。
【０４３０】
次に図５０を用いて、本実施形態に係るホールコンピュータ１２００における差玉の集計方法について説明する。パチンコ遊技機１において特別図柄の変動表示が実行されて大当り図柄が導出表示される場合には、特別図柄の変動表示中であって大当り図柄の導出表示前（例えば導出表示直前）に大当り報知ＬＥＤ５１が点灯することにより大当りが報知される。これに伴い、大当り報知ＬＥＤ５１の発光を検出した発光検出センサ１２１０が発光検出信号を出力し、該発光検出信号がホールコンピュータ１２００に入力される（このタイミングを（１）として示す）。この（１）のタイミングで発光検出フラグがセットされる。そして、その後に大当り図柄が導出表示されて図柄確定信号がホールコンピュータ１２００に入力される（このタイミングを（２）として示す）。この（２）のタイミングで発光検出フラグがリセットされて、集計フラグがセットされる。そして、パチンコ遊技機１においては前述したようにゲート無効期間を経て権利発生状態となり、該権利発生状態において第１特定領域６１〜第３特定領域６３のいずれかを遊技球が通過すると、開放態様選択処理が実行されて大当り遊技状態のラウンド数が決定される。そして、該決定されたラウンド数の大当り遊技状態に制御され、大当り信号がＯＮになる（このタイミングを（３）として示す）。そして、最終ラウンドの終了に伴い大当り遊技状態が終了して、大当り信号がＯＦＦになる（このタイミングを（４）として示す）。
【０４３１】
この実施の形態では、ホールコンピュータ１２００は、発光検出信号の直後に入力された図柄確定信号に基づいて、該図柄確定信号の入力から大当り信号がＯＦＦとなるまでの期間についてのみ（この（２）〜（４）の期間は集計フラグがセットされている）、全体テーブルの図柄確定後賞球数、図柄確定後打込玉数、および図柄確定後差玉数を集計することになる。
【０４３２】
次に、ホールコンピュータ１２００が実行する第２の差玉集計処理について説明する。ＣＰＵ１２０２は、賞球信号、打込信号、図柄確定信号、および発光検出信号の入力、ならびに、大当り信号、開放信号、および確変信号の切り替わり（ＯＦＦからＯＮ、ＯＮからＯＦＦへの変化）を待機しており、これらの検出に伴い、検出結果に応じた集計処理を実行する。
【０４３３】
ＣＰＵ１２０２は、賞球信号の入力を検出した場合には、まず、全体テーブルにおいて総賞球数を１０加算し、［総打込玉数−更新後の総賞球数］により総差玉数を更新する。さらに、集計フラグがセットされている場合にのみ、図柄確定後賞球数を１０加算し、［図柄確定後打込玉数−更新後の図柄確定後賞球数］により図柄確定後差玉数を更新する。即ち、集計フラグがセットされていない場合には、図柄確定後賞球数および図柄確定後差玉数を更新しない。
【０４３４】
ＣＰＵ１２０２は、打込信号の入力を検出した場合には、まず、全体テーブルにおいて総打込玉数を１０加算し、［更新後の総打込玉数−総賞球数］により総差玉数を更新する。さらに、集計フラグがセットされている場合にのみ、図柄確定後打込玉数を１０加算し、［更新後の図柄確定後打込玉数−図柄確定後賞球数］により図柄確定後差玉数を更新する。即ち、集計フラグがセットされていない場合には、図柄確定後打込玉数および図柄確定後差玉数を更新しない。
【０４３５】
ＣＰＵ１２０２は、図柄確定信号の入力を検出した場合には、まず、全体テーブルにおいて総スタート回数を１加算する。そして、発光検出フラグがセットされている場合にのみ、図柄確定後賞球数を０にリセットし、図柄確定後打込玉数を０にリセットし、図柄確定後差玉数を０にリセットし、さらに、集計フラグをセットすると共に、発光検出フラグをリセットする。発光検出フラグがセットされていなければ、これらの処理は実行しない。このようにして、発光検出信号が入力された直後に入力された図柄確定信号についてのみ、集計フラグがセットされて、その後に図柄確定後賞球数、図柄確定後打込玉数、および図柄確定後差玉数が集計されることになる。
【０４３６】
ＣＰＵ１２０２は、大当り信号のＯＦＦからＯＮへの切り替わり（立ち上がり）を検出した場合には、第１の差玉集計処理と同様の大当り信号ＯＮ検出時処理を実行する。ＣＰＵ１２０２は、開放信号のＯＦＦからＯＮへの切り替わり（立ち上がり）を検出した場合には（Ｓ３０４でＹ）、第１の差玉集計処理と同様の開放信号検出時処理を実行する。
【０４３７】
ＣＰＵ１２０２は、大当り信号のＯＮからＯＦＦへの切り替わり（立ち下がり）を検出した場合には、第１の差玉集計処理と同様の大当り信号ＯＦＦ検出時処理を実行し、さらに集計フラグをリセットする。ＣＰＵ１２０２は、確変信号のＯＮからＯＦＦへの切り替わり（立ち上がり）を検出した場合には、全体テーブルにおいて遊技状態を確変状態に更新し、総確変回数を１加算する。
【０４３８】
ＣＰＵ１２０２は、確変信号のＯＦＦからＯＮへの切り替わり（立ち下がり）を検出した場合には、全体テーブルにおいて遊技状態を通常状態に更新する。ＣＰＵ１２０２は、発光検出信号の入力を検出した場合には、発光検出フラグをセットする。
【０４３９】
このように、第２の差玉集計処理においては、大当り報知ＬＥＤ５１の発光が発光検出センサ１２１０により検出されて発光検出信号が入力された場合にのみ、すなわち、大当り遊技状態が発生することが確定した場合にのみ、図柄確定信号の入力に基づいて集計フラグがセットされて図柄確定後賞球数、図柄確定後打込玉数、および図柄確定後差玉数が集計されるようになるため、ホールコンピュータ１２００（ＣＰＵ１２０２）の処理負担が軽減される。
【０４４０】
（第３の差玉集計処理）
次に、第３の差玉集計処理について、第１の差玉集計処理と異なる点について説明する。第３の差玉集計処理に係るパチンコ遊技機１には、特別図柄の表示結果が大当り図柄となったときに、第１特別図柄表示器８ａまたは第２特別図柄表示器８ｂに大当り図柄が導出表示された後、すなわち大当り図柄の導出表示に基づく図柄確定信号が出力された後に点灯する大当り報知ＬＥＤ５１が設けられている。
【０４４１】
本実施形態においては、大当り報知ＬＥＤ５１の発光を検出する発光検出センサ１２１０が配置されている。例えば、発光検出センサ１２１０はフォトダイオードにより構成されており、大当り報知ＬＥＤ５１から受光したことに基づいて所定の発光検出信号を出力する。発光検出信号は所定幅のパルス信号である。発光検出信号は、台端末１２２０等の中継機器を経由して台識別情報と共にホールコンピュータ１２００の通信部１２０７に入力される。ＣＰＵ１２０２は、該入力された発光検出信号に基づいて当該台番号のパチンコ遊技機１において大当り図柄が導出表示されたことを検出する。即ち、ＣＰＵ１２０２は、大当り図柄の導出表示後に当該台番号のパチンコ遊技機１において大当り図柄が導出表示されたことを検出することになる。
【０４４２】
次に図５１を用いて、本実施形態に係るホールコンピュータ１２００における差玉の集計方法について説明する。パチンコ遊技機１において特別図柄の変動表示が実行されて大当り図柄が導出表示された場合には、図柄確定信号が出力され、該図柄確定信号がホールコンピュータ１２００に入力される（このタイミングを（１）として示す）。図柄確定信号の入力に基づいて、発光待ちタイマに所定時間がセットされる。このときの所定時間は、第１特別図柄表示器８ａまたは第２特別図柄表示器８ｂに大当り図柄が導出表示されてから大当り報知ＬＥＤ５１が点灯するまでの時間よりも長い時間であり、この例ではｔとしている。
【０４４３】
ここで図柄確定信号の入力（（１）のタイミング）に基づいて、全体テーブルにおける図柄確定後賞球数、図柄確定後打込玉数、および、図柄確定後差玉数の集計が開始される。そして、発光検出信号が入力された場合、すなわち大当り図柄の導出表示から所定時間以内に大当り報知ＬＥＤ５１が点灯した場合（このタイミングを（２）として示す）には、図柄確定後賞球数、図柄確定後打込玉数、および、図柄確定後差玉数の集計が継続されることになる。そして、パチンコ遊技機１においては前述したようにゲート無効期間を経て権利発生状態となり、該権利発生状態において第１特定領域６１〜第３特定領域６３のいずれかを遊技球が通過すると、開放態様選択処理が実行されて大当り遊技状態のラウンド数が決定される。そして、該決定されたラウンド数の大当り遊技状態に制御され、大当り信号がＯＮになる（このタイミングを（３）として示す）。そして、最終ラウンドの終了に伴い大当り遊技状態が終了して、大当り信号がＯＦＦになる（このタイミングを（４）として示す）。
【０４４４】
一方、発光待ちタイマがタイムアウトした場合（所定時間以内に発光検出信号の入力が無かった場合）には、集計無効フラグがセットされて、全体テーブルにおける図柄確定後賞球数、図柄確定後打込玉数、および、図柄確定後差玉数の集計が継続されない。この実施の形態では、ホールコンピュータ１２００は、図柄確定信号の入力直後に発光検出信号が入力されたことに基づいて、該発光検出信号の入力から大当り信号がＯＦＦとなるまでの期間について（この（２）〜（４）の期間は集計無効フラグがセットされていない）、全体テーブルの図柄確定後賞球数、図柄確定後打込玉数、および図柄確定後差玉数を継続して集計することになる。
【０４４５】
次に、ホールコンピュータ１２００が実行する第３の差玉集計処理について、第１の差玉集計処理と異なる点について説明する。ＣＰＵ１２０２は、賞球信号、打込信号、図柄確定信号、および発光検出信号の入力、ならびに、大当り信号、開放信号、および確変信号の切り替わり（ＯＦＦからＯＮ、ＯＮからＯＦＦへの変化）を待機しており、これらの検出に伴い、検出結果に応じた集計処理を実行する。
【０４４６】
ＣＰＵ１２０２は、賞球信号の入力を検出した場合には、まず、全体テーブルにおいて総賞球数を１０加算し、［総打込玉数−更新後の総賞球数］により総差玉数を更新する。さらに、集計無効フラグがセットされていない場合にのみ、図柄確定後賞球数を１０加算し、［図柄確定後打込玉数−更新後の図柄確定後賞球数］により図柄確定後差玉数を更新する。即ち、集計無効フラグがセットされている場合には、図柄確定後賞球数および図柄確定後差玉数を更新しない。
【０４４７】
ＣＰＵ１２０２は、打込信号の入力を検出した場合には、まず、全体テーブルにおいて総打込玉数を１０加算し、［更新後の総打込玉数−総賞球数］により総差玉数を更新する。さらに、集計無効フラグがセットされていない場合にのみ、図柄確定後打込玉数を１０加算し、［更新後の図柄確定後打込玉数−図柄確定後賞球数］により図柄確定後差玉数を更新する。即ち、集計無効フラグがセットされている場合には、図柄確定後打込玉数および図柄確定後差玉数を更新しない。
【０４４８】
ＣＰＵ１２０２は、図柄確定信号の入力を検出した場合には、第１の差玉集計処理と同様の図柄確定信号入力時処理を実行し、さらに発光待ちタイマに所定時間をセットし、セットされていれば集計無効フラグをリセットする。ここで所定時間は、前述したように、第１特別図柄表示器８ａまたは第２特別図柄表示器８ｂに大当り図柄が導出表示されてから大当り報知ＬＥＤ５１が点灯するまでの時間よりも長い時間である。
【０４４９】
ＣＰＵ１２０２は、大当り信号のＯＦＦからＯＮへの切り替わり（立ち上がり）を検出した場合には、第１の差玉集計処理と同様の大当り信号ＯＮ検出時処理を実行する。ＣＰＵ１２０２は、開放信号のＯＦＦからＯＮへの切り替わり（立ち上がり）を検出した場合には、第１の差玉集計処理と同様の開放信号検出時処理を実行する。
【０４５０】
ＣＰＵ１２０２は、大当り信号のＯＮからＯＦＦへの切り替わり（立ち下がり）を検出した場合には、第１の差玉集計処理と同様の大当り信号ＯＦＦ検出時処理を実行する。ＣＰＵ１２０２は、確変信号のＯＮからＯＦＦへの切り替わり（立ち上がり）を検出した場合には、全体テーブルにおいて遊技状態を確変状態に更新し、総確変回数を１加算する。
【０４５１】
ＣＰＵ１２０２は、確変信号のＯＦＦからＯＮへの切り替わり（立ち下がり）を検出した場合には、全体テーブルにおいて遊技状態を通常状態に更新する。ＣＰＵ１２０２は、発光検出信号の入力を検出した場合には、発光待ちタイマの値をクリアする。なお発光待ちタイマの値がクリアされると、以降は、発光待ちタイマがタイムアウトしたとは判定されない。
【０４５２】
ＣＰＵ１２０２は、発光待ちタイマがタイムアウトした場合には、集計無効フラグをセットする。このように、大当り図柄の導出表示後、所定時間（ｔ）以内に発光検出信号が入力されない場合、すなわち大当り遊技状態が発生しないことが確定した場合には、集計無効フラグがセットされることになるため、これ以降は、図柄確定後賞球数、図柄確定後打込玉数、および図柄確定後差玉数が集計されず、ホールコンピュータ１２００（ＣＰＵ１２０２）の処理負担が軽減される。
【符号の説明】
【０４５３】
１２００…ホールコンピュータ
１２０２…ＣＰＵ
１２０４…記憶装置
１２０７…通信部
【図１】
2014155563.tif 000003
【図２】
2014155563.tif 000004
【図３】
2014155563.tif 000005
【図４】
2014155563.tif 000006
【図５】
2014155563.tif 000007
【図６】
2014155563.tif 000008
【図７】
2014155563.tif 000009
【図８】
2014155563.tif 000010
【図９】
2014155563.tif 000011
【図１０】
2014155563.tif 000012
【図１１】
2014155563.tif 000013
【図１２】
2014155563.tif 000014
【図１３】
2014155563.tif 000015
【図１４】
2014155563.tif 000016
【図１５】
2014155563.tif 000017
【図１６】
2014155563.tif 000018
【図１７】
2014155563.tif 000019
【図１８】
2014155563.tif 000020
【図１９】
2014155563.tif 000021
【図２０】
2014155563.tif 000022
【図２１】
2014155563.tif 000023
【図２２】
2014155563.tif 000024
【図２３】
2014155563.tif 000025
【図２４】
2014155563.tif 000026
【図２５】
2014155563.tif 000027
【図２６】
2014155563.tif 000028
【図２７】
2014155563.tif 000029
【図２８】
2014155563.tif 000030
【図２９】
2014155563.tif 000031
【図３０】
2014155563.tif 000032
【図３１】
2014155563.tif 000033
【図３２】
2014155563.tif 000034
【図３３】
2014155563.tif 000035
【図３４】
2014155563.tif 000036
【図３５】
2014155563.tif 000037
【図３６】
2014155563.tif 000038
【図３７】
2014155563.tif 000039
【図３８】
2014155563.tif 000040
【図３９】
2014155563.tif 000041
【図４０】
2014155563.tif 000042
【図４１】
2014155563.tif 000043
【図４２】
2014155563.tif 000044
【図４３】
2014155563.tif 000045
【図４４】
2014155563.tif 000046
【図４５】
2014155563.tif 000047
【図４６】
2014155563.tif 000048
【図４７】
2014155563.tif 000049
【図４８】
2014155563.tif 000050
【図４９】
2014155563.tif 000051
【図５０】
2014155563.tif 000052
【図５１】
2014155563.tif 000053